(57)【要約】方法およびシステムは、単一周波数ネットワーク上位レイヤに依存していない仮想ホームチャネルを提供することによって、移動体ＴＶデバイスのような多重周波数ブロードキャスト受信機デバイスに対する発見およびハンドオフを簡単にする。利用可能な上位レイヤを使用せずにエリアをサポートするために、または、単一周波数ネットワークにおいて共通データ帯域幅の何らかの部分の負担を軽減するために、単一周波数ネットワーク上位レイヤとともにこの方法およびシステムを使用してもよい。例えば、単一周波数ネットワークは、多重周波数ネットワークに対する周波数データのみを、または、包括的なマーケットメタデータを用いるネットワークに対する周波数データのみを伝えてもよい。【選択図】図５
2013512622.tif 000002
【特許請求の範囲】
【請求項１】
複数の多重周波数ブロードキャストネットワークに対するブロードキャストメタデータを通信する方法において、
前記複数の多重周波数ブロードキャストネットワークのそれぞれに対するメタデータを受信することと、
仮想ホームチャネルを提供するために、前記複数の多重周波数ブロードキャストネットワークのうちのローカルのものに対する、および、前記複数の多重周波数ブロードキャストネットワークのうちの少なくとも１つの他のものから受信したメタデータの少なくとも一部分に対するメタデータ、をブロードキャストすることとを含む方法。
【請求項２】
前記複数の多重周波数ブロードキャストネットワークのうちのローカルのものは、地理的エリアのマーケット内にあり、ローカルコンテンツを伝える請求項１記載の方法。
【請求項３】
前記メタデータは、File Delivery over Undirectional Transport（ＦＬＵＴＥ）プロトコルを使用してブロードキャストされる請求項１記載の方法。
【請求項４】
メタデータは、時間的ドメインのサービスのオーバーラップを減少させるように設定されているずらされたサイクリックパターンにしたがって、前記複数の多重周波数ブロードキャストネットワークによってブロードキャストされる請求項１記載の方法。
【請求項５】
物理レイヤにおいてサポートされているような潜在的な受信を評価するために、受信機デバイスによって前記メタデータブロードキャストを使用することができるように、前記複数の多重周波数ブロードキャストネットワークの間で、メタデータブロードキャストを時間的に同期させる請求項１記載の方法。
【請求項６】
複数の異なるネットワークからの同じサービスを受信機デバイスが評価できるように、前記同期させたメタデータブロードキャストもずらす請求項５記載の方法。
【請求項７】
４つの時間的フェーズに関して、前記メタデータブロードキャストをずらす請求項６記載の方法。
【請求項８】
時間的ドメインのサービスのオーバーラップを減少させるために、前記複数の多重周波数ブロードキャストネットワークのうちの近接しているものの間で、コンテンツのブロードキャストをずらし、
前記メタデータブロードキャストは、受信機デバイスが前記コンテンツブロードキャストを受信することを可能にするために、前記時間的にずらすことについての情報を提供する請求項１記載の方法。
【請求項９】
前記メタデータブロードキャストは、より速い電源投入獲得と、信号の損失状態からのより速い回復とを、受信機デバイスが達成することを可能にするように構成されている請求項１記載の方法。
【請求項１０】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
ブロードキャストされるべきである前記複数の多重周波数ブロードキャストネットワークから受信した前記メタデータの部分を決定することをさらに含む項１記載の方法。
【請求項１１】
前記データレポジトリは、前記複数の多重周波数ブロードキャストネットワークのうちの１つ以上によって管理される請求項１０記載の方法。
【請求項１２】
前記データレポジトリは、前記複数の多重周波数ブロードキャストネットワークのうちの任意のものに関係しない第三者によって管理される請求項１０記載の方法。
【請求項１３】
ブロードキャストされるべき受信したメタデータの前記決定された部分は、前記受信したメタデータのすべてを実質的に含む請求項１０記載の方法。
【請求項１４】
ブロードキャストされるべき受信したメタデータの前記決定された部分は、前記受信したメタデータのサブセットを含む請求項１０記載の方法。
【請求項１５】
ブロードキャストされるべき受信したメタデータの前記決定された部分は、マーケット内のすべてのネットワークに対するすべてのメタデータの少なくとも一部分をブロードキャストする前記マーケット内の特定のネットワークに対するメタデータを含む請求項１０記載の方法。
【請求項１６】
前記複数の多重周波数ブロードキャストネットワークのうちの１つ以上によってブロードキャストされるべきである前記複数の多重周波数ブロードキャストネットワークから受信した前記メタデータの部分を決定することは、前記複数のブロードキャストネットワークのうちの１つ以上内の受信エリアに基づいて、ブロードキャストされるべきである前記受信したメタデータの部分を決定することを含む請求項１０記載の方法。
【請求項１７】
ブロードキャストされるべき受信したメタデータの前記決定された部分は、前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含む請求項１０記載の方法。
【請求項１８】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む請求項１０記載の方法。
【請求項１９】
前記ローカルのもの前記複数の多重周波数ブロードキャストネットワークの前記カバレッジエリアに近接して位置付けられているブロードキャストカバレッジエリアを持つ多重周波数ブロードキャストネットワークは、前記複数の多重周波数ブロードキャストネットワークのうちのローカルのものと、前記複数の多重周波数ブロードキャストネットワークのうちの他のものとの間の距離に基づいて識別される請求項１８記載の方法。
【請求項２０】
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものは、前記複数の多重周波数ブロードキャストネットワークのブロードキャストカバレッジエリアの形状に基づいてさらに決定される請求項１９記載の方法。
【請求項２１】
ブロードキャストされるべき受信したメタデータの前記決定された部分は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択される請求項１０記載の方法。
【請求項２２】
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む請求項１記載の方法。
【請求項２３】
前記複数の多重周波数ブロードキャストネットワークのうちの１つ以上に対するメタデータパッケージを発生させることは、前記複数の多重周波数ブロードキャストネットワークの少なくともサブセットに対する複数のメタデータパッケージを発生させることを含む請求項２２記載の方法。
【請求項２４】
前記複数のメタデータパッケージのうちの１つ以上は、前記複数の多重周波数ブロードキャストネットワークから受信した前記メタデータのサブセットを含む請求項２３記載の方法。
【請求項２５】
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む請求項１記載の方法。
【請求項２６】
前記複数の多重周波数ブロードキャストネットワークのそれぞれに対する各メタデータパッケージを発生させることは、メタデータのＮ個のサブセットを含むメタデータパッケージを発生させることを含む請求項２５記載の方法。
【請求項２７】
前記複数の多重周波数ブロードキャストネットワークのそれぞれに対するメタデータを受信することは、前記複数の多重周波数ブロードキャストネットワークのうちのローカルのものにおける前記複数の多重周波数ブロードキャストネットワークのそれぞれから、前記メタデータを受信することを含み、
前記方法は、
前記複数の多重周波数ブロードキャストネットワークから受信した前記メタデータにルールのセットを適用して、前記複数の多重周波数ブロードキャストネットワークのうちのローカルのものによってブロードキャストされるべき前記受信したメタデータの一部分を決定することをさらに含む請求項１記載の方法。
【請求項２８】
前記複数の多重周波数ブロードキャストネットワークのうちのローカルのものにおける前記複数の多重周波数ブロードキャストネットワークのそれぞれに対する前記メタデータを受信することは、データネットワークから前記メタデータを受信することと、前記複数の多重周波数ブロードキャストネットワークのうちの１つ以上のうちのブロードキャスト送信から前記メタデータを受信することと、のうちの１つを含む請求項２７記載の方法。
【請求項２９】
コンピュータにおいて、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対する、メタデータを前記多重周波数ブロードキャストネットワークにブロードキャストさせることとを含む動作を実行するための、コンピュータ実行可能なソフトウェア命令を有するように構成されている多重周波数ブロードキャストネットワークに結合されているコンピュータ。
【請求項３０】
前記多重周波数ブロードキャストネットワークは、地理的エリアのマーケット内にあり、ローカルコンテンツをブロードキャストする請求項２９記載のコンピュータ。
【請求項３１】
前記コンピュータは、File Delivery over Undirectional Transport（ＦＬＵＴＥ）プロトコルを使用して前記メタデータがブロードキャストされるように、コンピュータ実行可能なソフトウェア命令を有するように構成されている請求項２９記載のコンピュータ。
【請求項３２】
前記コンピュータは、前記複数の多重周波数ブロードキャストネットワークによるメタデータブロードキャストの時間的ドメインサービスのオーバーラップを減少させるように構成されているずらされたサイクリックパターンにしたがって、前記メタデータが時々ブロードキャストされるように、コンピュータ実行可能なソフトウェア命令を有するように構成されている請求項２９記載のコンピュータ。
【請求項３３】
前記コンピュータは、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるようにコンピュータ実行可能なソフトウェア命令を有するように構成されている請求項２９記載のコンピュータ。
【請求項３４】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項３３記載のコンピュータ。
【請求項３５】
前記コンピュータは、４つの時間的フェーズの観点で前記メタデータブロードキャストをずらすようにコンピュータ実行可能なソフトウェア命令を有するように構成されている請求項３４記載のコンピュータ。
【請求項３６】
前記コンピュータは、
時間的ドメインサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するようにコンピュータ実行可能なソフトウェア命令を有するように構成されている請求項２９記載のコンピュータ。
【請求項３７】
前記コンピュータは、前記メタデータのブロードキャストにより、より速い電源投入獲得と、信号の損失状態からのより速い回復とを受信機デバイスが達成することが可能になるようにコンピュータ実行可能なソフトウェア命令を有するように構成されている請求項２９記載のコンピュータ。
【請求項３８】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
ブロードキャストされるべきである前記複数の多重周波数ブロードキャストネットワークから受信した前記メタデータの部分を決定することをさらに含む動作を実行するための、コンピュータ実行可能なソフトウェア命令を有するように構成されている請求項２９記載のコンピュータ。
【請求項３９】
前記コンピュータは、前記複数の多重周波数ブロードキャストネットワークのうちの任意のものに関係しない第三者によって管理される請求項３８記載のコンピュータ。
【請求項４０】
前記コンピュータは、ブロードキャストされるべき受信したメタデータの前記決定された部分が、前記受信したメタデータのすべてを実質的に含むようにコンピュータ実行可能なソフトウェア命令を有するように構成されている請求項３８記載のコンピュータ。
【請求項４１】
前記コンピュータは、ブロードキャストされるべき受信したメタデータの前記決定された部分が、前記受信したメタデータのサブセットを含むようにコンピュータ実行可能なソフトウェア命令を有するように構成されている請求項３８記載のコンピュータ。
【請求項４２】
前記コンピュータは、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むようにコンピュータ実行可能なソフトウェア命令を有するように構成されている請求項３８記載のコンピュータ。
【請求項４３】
前記コンピュータは、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むようにコンピュータ実行可能なソフトウェア命令を有するように構成されている請求項３８記載のコンピュータ。
【請求項４４】
前記コンピュータは、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むようにコンピュータ実行可能なソフトウェア命令を有するように構成されている請求項３８記載のコンピュータ。
【請求項４５】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作を実行するための、コンピュータ実行可能なソフトウェア命令を有するように構成されている請求項２９記載のコンピュータ。
【請求項４６】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように、コンピュータ実行可能なソフトウェア命令を有するように構成されている請求項４５記載のコンピュータ。
【請求項４７】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように、コンピュータ実行可能なソフトウェア命令を有するように構成されている請求項４６記載のコンピュータ。
【請求項４８】
前記コンピュータは、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機のカラーまたはグループ識別子、メタデータシーケンス番号からなるグループから選択されるようにコンピュータ実行可能なソフトウェア命令を有するように構成されている請求項３８記載のコンピュータ。
【請求項４９】
前記コンピュータは、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作を実行するためのコンピュータ実行可能なソフトウェア命令を有するように構成されている請求項３８記載のコンピュータ。
【請求項５０】
前記コンピュータは、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むようにコンピュータ実行可能なソフトウェア命令を有するように構成されている請求項４９記載のコンピュータ。
【請求項５１】
前記コンピュータは、前記複数のメタデータパッケージのうちの１つ以上が、前記複数の多重周波数ブロードキャストネットワークから受信した前記メタデータのサブセットを含むようにコンピュータ実行可能なソフトウェア命令を有するように構成されている請求項５０記載の方法。
【請求項５２】
前記コンピュータは、
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作を実行するためのコンピュータ実行可能なソフトウェア命令を有するように構成されている請求項２９記載のコンピュータ。
【請求項５３】
前記コンピュータは、前記複数の多重周波数ブロードキャストネットワークのそれぞれに対する各メタデータパッケージを発生させることが、メタデータのＮ個のサブセットを含むメタデータパッケージを発生させることを含むようにコンピュータ実行可能なソフトウェア命令を有するように構成されている請求項５２記載のコンピュータ。
【請求項５４】
前記コンピュータは、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作を実行するための、コンピュータ実行可能なソフトウェア命令を有するように構成されている請求項２９記載のコンピュータ。
【請求項５５】
前記コンピュータは、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むようにコンピュータ実行可能なソフトウェア命令を有するように構成されている請求項５４記載のコンピュータ。
【請求項５６】
多重周波数ブロードキャストネットワークに結合されているコンピュータにおいて、
複数の多重周波数ブロードキャストネットワークのそれぞれに対するメタデータを受信する手段と、
仮想ホームチャネルを提供するために、前記多重周波数ブロードキャストネットワークのものに対する、および、前記複数の多重周波数ブロードキャストネットワークのうちの少なくとも１つの他のものから受信した前記メタデータの少なくとも一部分に対するメタデータをブロードキャストする手段とを具備するコンピュータ。
【請求項５７】
前記多重周波数ブロードキャストネットワークは、地理的エリアのマーケット内にあり、ローカルコンテンツをブロードキャストする請求項５６記載のコンピュータ。
【請求項５８】
メタデータをブロードキャストする手段は、File Delivery over Undirectional Transport（ＦＬＵＴＥ）プロトコルを使用して、前記メタデータをブロードキャストする手段を備える請求項５６記載のコンピュータ。
【請求項５９】
前記複数の多重周波数ブロードキャストネットワークによるメタデータブロードキャストの時間的ドメインサービスのオーバーラップを減少させるように構成されているずらされたサイクリックパターンにしたがって、前記メタデータを時々ブロードキャストする手段をさらに具備する請求項５６記載のコンピュータ。
【請求項６０】
物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、メタデータブロードキャストを同期させる手段をさらに具備する請求項５６記載のコンピュータ。
【請求項６１】
メタデータブロードキャストとメタデータブロードキャストを同期させる手段は、複数の異なる多重周波数ブロードキャストネットワークからの同じサービスを受信機デバイスが評価することを可能にするずらした態様でメタデータブロードキャストと、メタデータブロードキャストを同期させる手段を備える請求項６０記載のコンピュータ。
【請求項６２】
ずらした態様でメタデータブロードキャストとメタデータブロードキャストを同期させる手段は、４つの時間的フェーズの観点でずらす、ずらした様態でメタデータブロードキャストと、メタデータブロードキャストを同期させる手段を備える請求項６１記載のコンピュータ。
【請求項６３】
時間的ドメインサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらし、
メタデータをブロードキャストする手段は、受信機デバイスが前記コンテンツブロードキャストを受信することを可能するために、前記時間的にずらすことについての情報を提供する前記メタデータをブロードキャストする手段を備える請求項５６記載のコンピュータ。
【請求項６４】
メタデータをブロードキャストする手段は、より速い電源投入獲得と、信号の損失状態からのより速い回復とを受信機デバイスが達成することを可能にする形態で前記メタデータをブロードキャストする手段を備える請求項５６記載のコンピュータ。
【請求項６５】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、
ブロードキャストされるべきである前記複数の多重周波数ブロードキャストネットワークから受信した前記メタデータの部分を決定する手段をさらに備える請求項５６記載のコンピュータ。
【請求項６６】
前記コンピュータは、前記複数の多重周波数ブロードキャストネットワークのうちの任意のものに関係しない第三者によって管理される請求項６５記載のコンピュータ。
【請求項６７】
ブロードキャストされるべき受信したメタデータの部分を決定する手段は、前記受信したメタデータのすべてを実質的にブロードキャストする手段を備える請求項６５記載のコンピュータ。
【請求項６８】
ブロードキャストされるべき受信したメタデータの部分を決定する手段は、前記受信したメタデータのサブセットをブロードキャストする手段を備える請求項６５記載のコンピュータ。
【請求項６９】
ブロードキャストされるべき受信したメタデータの部分を決定する手段は、マーケット内のすべてのネットワークに対するすべてのメタデータの少なくとも一部分をブロードキャストする前記マーケット内の特定のネットワークに対する、ブロードキャストされるべき受信したメタデータの部分を決定する手段を備える請求項６５記載のコンピュータ。
【請求項７０】
仮想ホームチャネルを提供するために、ブロードキャストされるべきである前記複数の多重周波数ブロードキャストネットワークから受信した前記メタデータの部分を決定する手段は、前記複数のブロードキャストネットワークのうちの１つ以上内の受信エリアに基づいて、ブロードキャストされるべきである前記受信したメタデータの部分を決定する手段を備える請求項６５記載のコンピュータ。
【請求項７１】
仮想ホームチャネルを提供するために、ブロードキャストされるべきである前記複数の多重周波数ブロードキャストネットワークから受信した前記メタデータの部分を決定する手段は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的にブロードキャストする手段を備える請求項６５記載のコンピュータ。
【請求項７２】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７３】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークと、前記複数の多重周波数ブロードキャストネットワークのうちの他のものとの間の距離に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択するための手段をさらに備える請求項５６記載のコンピュータ。
【請求項７４】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記複数の多重周波数ブロードキャストネットワークのブロードキャストカバレッジエリアの形状に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択するための手段をさらに備える請求項５６記載のコンピュータ。
【請求項７５】
ブロードキャストされるべきである前記複数の多重周波数ブロードキャストネットワークから受信した前記メタデータの部分を決定する手段は、ネットワーク周波数のリスト、ブロードキャスト波形をエンコードするために送信機によって使用される物理レイヤパラメータ、番組ガイドデータ、加入可能なサービス、データダウンロードスケジュール、送信機のカラーまたはグループ識別子、メタデータシーケンス番号からなるグループから選択されるメタデータを選択する手段を備える請求項６５記載のコンピュータ。
【請求項７６】
前記複数の多重周波数ブロードキャストネットワークのうちの特定のものによってブロードキャストされるべきである前記複数の多重周波数ブロードキャストネットワークから受信したメタデータの部分を決定する手段と、
前記複数の多重周波数ブロードキャストネットワークのうちの１つ以上に対するメタデータパッケージを発生させる手段と、
ブロードキャストのために、前記発生されたメタデータパッケージを前記複数の多重周波数ブロードキャストネットワークのうちの１つ以上に送信する手段とをさらに具備する請求項６５記載のコンピュータ。
【請求項７７】
前記複数の多重周波数ブロードキャストネットワークのうちの１つ以上に対するメタデータパッケージを発生させる手段は、前記複数の多重周波数ブロードキャストネットワークの少なくともサブセットに対する複数のメタデータパッケージを発生させる手段を備える請求項７６記載のコンピュータ。
【請求項７８】
前記複数の多重周波数ブロードキャストネットワークの少なくともサブセットに対する複数のメタデータパッケージを発生させる手段は、前記複数のメタデータパッケージのうちの１つ以上が、前記複数の多重周波数ブロードキャストネットワークから受信した前記メタデータのサブセットを含むように、前記複数の多重周波数ブロードキャストネットワークの少なくともサブセットに対する複数のメタデータパッケージを発生させる手段を備える請求項７７記載のコンピュータ。
【請求項７９】
前記複数の多重周波数ブロードキャストネットワークのそれぞれによってブロードキャストされるべきである前記複数の多重周波数ブロードキャストネットワークから受信した前記メタデータの部分を決定する手段と、
前記複数の多重周波数ブロードキャストネットワークのそれぞれに対する各メタデータパッケージを発生させる手段と、
ブロードキャストのために、前記複数の多重周波数ブロードキャストネットワークのそれぞれに前記発生された各メタデータパッケージを送信する手段とをさらに具備する請求項５６記載のコンピュータ。
【請求項８０】
ブロードキャストのために、前記複数の多重周波数ブロードキャストネットワークのそれぞれに前記発生された各メタデータパッケージを送信する手段は、メタデータのＮ個のサブセットを含むメタデータパッケージを発生させることを含む、前記複数の多重周波数ブロードキャストネットワークのそれぞれに対する各メタデータパッケージを発生させる手段を備える請求項７９記載のコンピュータ。
【請求項８１】
前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定する手段をさらに具備する請求項５６記載のコンピュータ。
【請求項８２】
前記複数の多重周波数ブロードキャストネットワークのそれぞれに対する前記メタデータを受信する手段は、データネットワークから前記メタデータを受信する手段と、前記複数の多重周波数ブロードキャストネットワークのうちの１つ以上のうちのブロードキャスト送信から前記メタデータを受信する手段と、のうちの１つを備える請求項８１記載のコンピュータ。
【請求項８３】
一時的でないコンピュータ読み取り可能な記憶媒体において、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対するメタデータを前記多重周波数ブロードキャストネットワークにブロードキャストさせることとを含む動作を、多重周波数ブロードキャストネットワークに結合されているコンピュータに実行させるように構成されている、コンピュータ実行可能なソフトウェア命令がその上に記憶されている一時的でないコンピュータ読み取り可能な記憶媒体。
【請求項８４】
前記多重周波数ブロードキャストネットワークは、地理的エリアのマーケット内にあり、ローカルコンテンツをブロードキャストする請求項８３記載の一時的でないコンピュータ読み取り可能な記憶媒体。
【請求項８５】
前記記憶されているコンピュータ実行可能なソフトウェア命令は、前記メタデータが、File Delivery over Undirectional Transport（ＦＬＵＴＥ）プロトコルを使用してブロードキャストされるように動作をコンピュータに実行させるように構成されている請求項８３記載の一時的でないコンピュータ読み取り可能な記憶媒体。
【請求項８６】
前記記憶されているコンピュータ実行可能なソフトウェア命令は、前記メタデータが、前記複数の多重周波数ブロードキャストネットワークによるメタデータブロードキャストの時間的ドメインサービスのオーバーラップを減少させるように構成されているずらされたサイクリックパターンにしたがって、時々ブロードキャストされるように動作をコンピュータに実行させるように構成されている請求項８３記載の一時的でないコンピュータ読み取り可能な記憶媒体。
【請求項８７】
前記記憶されているコンピュータ実行可能なソフトウェア命令は、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるように動作をコンピュータに実行させるように構成されている請求項８３記載の一時的でないコンピュータ読み取り可能な記憶媒体。
【請求項８８】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項８７記載の一時的でないコンピュータ読み取り可能な記憶媒体。
【請求項８９】
前記記憶されているコンピュータ実行可能なソフトウェア命令は、４つの時間的フェーズの観点で、前記メタデータブロードキャストをずらすように動作をコンピュータに実行させるように構成されている請求項８８記載の一時的でないコンピュータ読み取り可能な記憶媒体。
【請求項９０】
前記記憶されているコンピュータ実行可能なソフトウェア命令は、
時間的ドメインサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するように動作をコンピュータに実行させるように構成されている請求項８３記載の一時的でないコンピュータ読み取り可能な記憶媒体。
【請求項９１】
前記記憶されているコンピュータ実行可能なソフトウェア命令は、前記ブロードキャストのメタデータが、より速い電源投入獲得と、信号の損失状態からのより速い回復とを受信機デバイスが達成することを可能にするように動作をコンピュータに実行させるように構成されている請求項８３記載の一時的でないコンピュータ読み取り可能な記憶媒体。
【請求項９２】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、ブロードキャストされるべきである前記複数の多重周波数ブロードキャストネットワークから受信した前記メタデータの部分を決定することをさらに含む動作をコンピュータに実行させるように構成されている請求項８３記載の一時的でないコンピュータ読み取り可能な記憶媒体。
【請求項９３】
前記コンピュータは、前記複数の多重周波数ブロードキャストネットワークのうちの任意のものに関係しない第三者によって管理される請求項９２記載の一時的でないコンピュータ読み取り可能な記憶媒体。
【請求項９４】
前記記憶されているコンピュータ実行可能なソフトウェア命令は、ブロードキャストされるべき受信したメタデータの前記決定された部分が、前記受信したメタデータのすべてを実質的に含むように動作をコンピュータに実行させるように構成されている請求項９２記載の一時的でないコンピュータ読み取り可能な記憶媒体。
【請求項９５】
前記記憶されているコンピュータ実行可能なソフトウェア命令は、ブロードキャストされるべき受信したメタデータの前記決定された部分が、前記受信したメタデータのサブセットを含むように動作をコンピュータに実行させるように構成されている請求項９２記載の一時的でないコンピュータ読み取り可能な記憶媒体。
【請求項９６】
前記記憶されているコンピュータ実行可能なソフトウェア命令は、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むように動作をコンピュータに実行させるように構成されている請求項９２記載の一時的でないコンピュータ読み取り可能な記憶媒体。
【請求項９７】
前記記憶されているコンピュータ実行可能なソフトウェア命令は、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むように動作をコンピュータに実行させるように構成されている請求項９２記載の一時的でないコンピュータ読み取り可能な記憶媒体。
【請求項９８】
前記記憶されているコンピュータ実行可能なソフトウェア命令は、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むように動作をコンピュータに実行させるように構成されている請求項９２記載の一時的でないコンピュータ読み取り可能な記憶媒体。
【請求項９９】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作をコンピュータに実行させるように構成されている請求項８３記載の一時的でないコンピュータ読み取り可能な記憶媒体。
【請求項１００】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように動作をコンピュータに実行させるように構成されている請求項９９記載の一時的でないコンピュータ読み取り可能な記憶媒体。
【請求項１０１】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように動作をコンピュータに実行させるように構成されている請求項１００記載の一時的でないコンピュータ読み取り可能な記憶媒体。
【請求項１０２】
前記記憶されているコンピュータ実行可能なソフトウェア命令は、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機のカラーまたはグループ識別子、メタデータシーケンス番号からなるグループから選択されるように動作をコンピュータに実行させるように構成されている請求項９２記載の一時的でないコンピュータ読み取り可能な記憶媒体。
【請求項１０３】
前記記憶されているコンピュータ実行可能なソフトウェア命令は、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作をコンピュータに実行させるように構成されている請求項９２記載の一時的でないコンピュータ読み取り可能な記憶媒体。
【請求項１０４】
前記記憶されているコンピュータ実行可能なソフトウェア命令は、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むように動作をコンピュータに実行させるように構成されている請求項１０３記載の一時的でないコンピュータ読み取り可能な記憶媒体。
【請求項１０５】
前記記憶されているコンピュータ実行可能なソフトウェア命令は、前記複数のメタデータパッケージのうちの１つ以上が、前記複数の多重周波数ブロードキャストネットワークから受信した前記メタデータのサブセットを含むように動作をコンピュータに実行させるように構成されている請求項１０４記載の一時的でないコンピュータ読み取り可能な記憶媒体。
【請求項１０６】
前記記憶されているコンピュータ実行可能なソフトウェア命令は、前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作をコンピュータに実行させるように構成されている請求項８３記載の一時的でないコンピュータ読み取り可能な記憶媒体。
【請求項１０７】
前記記憶されているコンピュータ実行可能なソフトウェア命令は、前記複数の多重周波数ブロードキャストネットワークのそれぞれに対する各メタデータパッケージを発生させることが、メタデータのＮ個のサブセットを含むメタデータパッケージを発生させることを含むように動作をコンピュータに実行させるように構成されている請求項１０６記載の一時的でないコンピュータ読み取り可能な記憶媒体。
【請求項１０８】
前記記憶されているコンピュータ実行可能なソフトウェア命令は、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作をコンピュータに実行させるように構成されている請求項８３記載の一時的でないコンピュータ読み取り可能な記憶媒体。
【請求項１０９】
前記記憶されているコンピュータ実行可能なソフトウェア命令は、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むように動作をコンピュータに実行させるように構成されている請求項１０８記載の一時的でないコンピュータ読み取り可能な記憶媒体。
【請求項１１０】
１つの多重周波数ブロードキャストネットワークから受信機デバイス中の別のものへのハンドオフを実施する方法において、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む方法。
【請求項１１１】
前記異なるネットワークは、前記別の多重周波数ブロードキャストネットワークである請求項１１０記載の方法。
【請求項１１２】
別の多重周波数ブロードキャストネットワークに対する前記メタデータを使用して、マーケット中の複数のネットワークから前記異なるネットワークを選択することをさらに含む請求項１１０記載の方法。
【請求項１１３】
受信したメタデータが、前記ローカル多重周波数ブロードキャストネットワークから受信したメタデータに類似しているか否かを決定することをさらに含み、
前記異なるネットワークへの前記ハンドオフを達成することは、前記受信したメタデータが前記ローカル多重周波数ブロードキャストネットワークから受信したメタデータに類似しているときに、同じまたは類似したコンテンツへの暗黙的なハンドオフを達成することを含む請求項１１０記載の方法。
【請求項１１４】
前記受信機デバイスは、前記受信したメタデータブロードキャストを使用して、より速い電源投入獲得と、信号損失の状態からのより速い回復とを達成する請求項１１０記載の方法。
【請求項１１５】
前記別の多重周波数ブロードキャストネットワークに対する前記メタデータを使用して、そのネットワークへのハンドオフを実行する準備をすることは、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含む請求項１１０記載の方法。
【請求項１１６】
前記別の多重周波数ブロードキャストネットワークから受信した前記メタデータブロードキャストを使用して、マーケット中の複数のネットワークから前記異なるネットワークを選択することは、類似したサービスメタデータをブロードキャストする前記マーケット中の前記複数のネットワークのうちの１つを選択することを含む請求項１１５記載の方法。
【請求項１１７】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するマーケットメタデータは、現在受信されているコンテンツの一意的なコンテンツ識別子と一致する一意的なコンテンツ識別子を含む請求項１１５記載の方法。
【請求項１１８】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークのからのサービスデータと、前記ローカル多重周波数ブロードキャストネットワークのからの多重化の詳細と、のうちの１つと、または、両方と、正確に一致する請求項１１５記載の方法。
【請求項１１９】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークからの物理レイヤコンフィギュレーションと一致する物理レイヤコンフィギュレーションのプロビジョニングを含む請求項１１５記載の方法。
【請求項１２０】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含む請求項１１５記載の方法。
【請求項１２１】
前記別の多重周波数ブロードキャストネットワークから受信した前記メタデータブロードキャストを使用して、マーケット中の複数のネットワークから前記異なるネットワークを選択することは、現在受信されているコンテンツをブロードキャストしている前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含む請求項１１５記載の方法。
【請求項１２２】
受信機デバイスにおいて、
プロセッサと、
前記プロセッサに結合され、多重周波数ブロードキャストネットワークからのブロードキャスト送信を受信するように構成されている多重周波数受信機回路とを具備し、
前記プロセッサは、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を実行するための、プロセッサ実行可能な命令を有するように構成されている受信機デバイス。
【請求項１２３】
前記プロセッサは、前記異なるネットワークが前記別の多重周波数ブロードキャストネットワークであるように動作を実行するための、プロセッサ実行可能な命令を有するように構成されている請求項１２２記載の受信機デバイス。
【請求項１２４】
前記プロセッサは、別の多重周波数ブロードキャストネットワークに対する前記メタデータを使用して、マーケット中の複数のネットワークから前記異なるネットワークを選択することをさらに含む動作を実行するための、プロセッサ実行可能な命令を有するように構成されている請求項１２２記載の受信機デバイス。
【請求項１２５】
前記プロセッサは、受信したメタデータが前記ローカル多重周波数ブロードキャストネットワークから受信したメタデータに類似しているか否かを決定することをさらに含む動作を実行するための、プロセッサ実行可能な命令を有するように構成され、
前記プロセッサは、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を実行するための、プロセッサ実行可能な命令を有するように構成されている請求項１２２記載の受信機デバイス。
【請求項１２６】
前記プロセッサは、前記受信機デバイスが、前記受信したメタデータブロードキャストを使用して、より速い電源投入獲得と、信号損失の状態からのより速い回復とを達成するように動作を実行するための、プロセッサ実行可能な命令を有するように構成されている請求項１２２記載の受信機デバイス。
【請求項１２７】
前記プロセッサは、
前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を実行するための、プロセッサ実行可能な命令を有するように構成されている請求項１２２記載の受信機デバイス。
【請求項１２８】
前記プロセッサは、
前記別の多重周波数ブロードキャストネットワークから受信した前記メタデータブロードキャストを使用して、マーケット中の複数のネットワークから前記異なるネットワークを選択することが、類似したサービスメタデータをブロードキャストする前記マーケット中の前記複数のネットワークのうちの１つを選択することを含むように動作を実行するための、プロセッサ実行可能な命令を有するように構成されている請求項１２７記載の受信機デバイス。
【請求項１２９】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、現在受信されているコンテンツの一意的なコンテンツ識別子と一致する一意的なコンテンツ識別子を含むように動作を実行するための、プロセッサ実行可能な命令を有するように構成されている請求項１２７記載の受信機デバイス。
【請求項１３０】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークのからのサービスデータと、前記ローカル多重周波数ブロードキャストネットワークのからの多重化の詳細と、のうちの１つと、または、両方と、正確に一致するように動作を実行するための、プロセッサ実行可能な命令を有するように構成されている請求項１２７記載の受信機デバイス。
【請求項１３１】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークからの物理レイヤコンフィギュレーションと一致する物理レイヤコンフィギュレーションのプロビジョニングを含むように動作を実行するための、プロセッサ実行可能な命令を有するように構成されている請求項１２７記載の受信機デバイス。
【請求項１３２】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３３】
前記プロセッサは、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３４】
受信機デバイスにおいて、
別の多重周波数ブロードキャストネットワークに対するメタデータを含む、ローカル多重周波数ブロードキャストネットワークによるブロードキャストからメタデータを獲得する手段と、
前記別の多重周波数ブロードキャストネットワークに対する前記メタデータを使用して、異なるネットワークへのハンドオフを実行する準備をする手段と、
ハンドオフを達成すべきときを決定する手段と、
前記異なるネットワークへの前記ハンドオフを達成する手段とを具備する受信機デバイス。
【請求項１３５】
前記異なるネットワークは、前記別の多重周波数ブロードキャストネットワークである請求項１３４記載の受信機デバイス。
【請求項１３６】
別の多重周波数ブロードキャストネットワークに対する前記メタデータを使用して、マーケット中の複数のネットワークから前記異なるネットワークを選択する手段をさらに具備する請求項１３４記載の受信機デバイス。
【請求項１３７】
前記受信したメタデータが、前記ローカル多重周波数ブロードキャストネットワークから受信したメタデータに類似しているか否かを決定する手段をさらに具備し、
前記異なるネットワークへの前記ハンドオフを達成する手段は、前記受信したメタデータが前記ローカル多重周波数ブロードキャストネットワークから受信したメタデータに類似しているときに、同じまたは類似したコンテンツへの暗黙的なハンドオフを達成する手段を備える請求項１３４記載の受信機デバイス。
【請求項１３８】
前記受信したメタデータブロードキャストを使用して、より速い電源投入獲得と、信号損失の状態からのより速い回復とを達成する手段をさらに具備する請求項１３４記載の受信機デバイス。
【請求項１３９】
前記別の多重周波数ブロードキャストネットワークに対する前記メタデータを使用して、そのネットワークへのハンドオフを実行する準備をする手段は、
前記別の多重周波数ブロードキャストネットワークに対する前記メタデータを使用して、前記別の多重周波数ブロードキャストネットワークを受信する手段と、
前記別の多重周波数ブロードキャストネットワークからのメタデータブロードキャストを受信する手段と、
前記別の多重周波数ブロードキャストネットワークから受信した前記メタデータブロードキャストを使用して、マーケット中の複数のネットワークから前記異なるネットワークを選択する手段とを備える請求項１３４記載の受信機デバイス。
【請求項１４０】
前記別の多重周波数ブロードキャストネットワークから受信した前記メタデータブロードキャストを使用して、マーケット中の複数のネットワークから前記異なるネットワークを選択する手段は、類似したサービス前記マーケット中の前記複数のネットワークのうちの１つを選択する手段を備える請求項１３９記載の受信機デバイス。
【請求項１４１】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するマーケットメタデータは、現在受信されているコンテンツの一意的なコンテンツ識別子と一致する一意的なコンテンツ識別子を含む請求項１３９記載の受信機デバイス。
【請求項１４２】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するマーケットメタデータは、前記ローカル多重周波数ブロードキャストネットワークのからのサービスデータと、前記ローカル多重周波数ブロードキャストネットワークのからの多重化の詳細と、のうちの１つと、または、両方と正確に一致する請求項１３９記載の受信機デバイス。
【請求項１４３】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するマーケットメタデータは、前記ローカル多重周波数ブロードキャストネットワークからの物理レイヤコンフィギュレーションと一致する物理レイヤコンフィギュレーションのプロビジョニングを含む請求項１３９記載の受信機デバイス。
【請求項１４４】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するマーケットメタデータは、前記受信機デバイスが受信することができる物理レイヤコンフィギュレーションのプロビジョニングを含む請求項１３９記載の受信機デバイス。
【請求項１４５】
前記別の多重周波数ブロードキャストネットワークから受信した前記メタデータブロードキャストを使用して、マーケット中の複数のネットワークから前記異なるネットワークを選択する手段は、現在受信されているコンテンツをブロードキャストしている前記マーケット中の前記複数のネットワークのうちの１つを選択する手段を備え、前記マーケット中の前記複数のネットワークのうちの１つに対するマーケットメタデータは、前記受信機デバイスが受信することができる物理レイヤコンフィギュレーションのプロビジョニングを含む請求項１３９記載の受信機デバイス。
【請求項１４６】
一時的でないプロセッサ読み取り可能な記憶媒体において、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を、受信機デバイスのプロセッサに実行させるように構成されているプロセッサ実行可能な命令がその上に記憶されている一時的でないプロセッサ読み取り可能な記憶媒体。
【請求項１４７】
前記記憶されているプロセッサ実行可能な命令は、前記異なるネットワークが、前記別の多重周波数ブロードキャストネットワークであるように動作を受信機デバイスのプロセッサに実行させるように構成されている請求項１４６記載の一時的でないプロセッサ読み取り可能な記憶媒体。
【請求項１４８】
前記記憶されているプロセッサ実行可能な命令は、別の多重周波数ブロードキャストネットワークに対する前記メタデータを使用して、マーケット中の複数のネットワークから前記異なるネットワークを選択することをさらに含む動作を受信機デバイスのプロセッサに実行させるように構成されている請求項１４６記載の一時的でないプロセッサ読み取り可能な記憶媒体。
【請求項１４９】
前記記憶されているプロセッサ実行可能な命令は、前記受信したメタデータが、前記ローカル多重周波数ブロードキャストネットワークから受信したメタデータに類似しているか否かを決定することをさらに含む動作を受信機デバイスのプロセッサに実行させるように構成され、
前記記憶されているプロセッサ実行可能な命令は、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を受信機デバイスのプロセッサに実行させるように構成されている請求項１４６記載の一時的でないプロセッサ読み取り可能な記憶媒体。
【請求項１５０】
前記記憶されているプロセッサ実行可能な命令は、より速い電源投入獲得と、信号損失の状態からのより速い回復とを達成するために、前記受信機デバイスが、前記受信したメタデータブロードキャストを使用するように動作を受信機デバイスのプロセッサに実行させるように構成されている請求項１４６記載の一時的でないプロセッサ読み取り可能な記憶媒体。
【請求項１５１】
前記記憶されているプロセッサ実行可能な命令は、前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからのメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を、受信機デバイスのプロセッサに実行させるように構成されている請求項１４６記載の一時的でないプロセッサ読み取り可能な記憶媒体。
【請求項１５２】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、類似したサービスメタデータをブロードキャストする前記マーケット中の前記複数のネットワークのうちの１つを選択することを含むように動作を受信機デバイスのプロセッサに実行させるように構成されている請求項１５１記載の一時的でないプロセッサ読み取り可能な記憶媒体。
【請求項１５３】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、現在受信されているコンテンツの一意的なコンテンツ識別子と一致する一意的なコンテンツ識別子を含むように動作を受信機デバイスのプロセッサに実行させるように構成されている請求項１５１記載の一時的でないプロセッサ読み取り可能な記憶媒体。
【請求項１５４】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークのからのサービスデータと、前記ローカル多重周波数ブロードキャストネットワークのからの多重化の詳細と、のうちの１つと、または、両方と正確に一致するように動作を受信機デバイスのプロセッサに実行させるように構成されている請求項１５１記載の一時的でないプロセッサ読み取り可能な記憶媒体。
【請求項１５５】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記ローカル多重周波数ブロードキャストネットワークからの物理レイヤコンフィギュレーションと一致する物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５６】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５７】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するマーケットメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。
【発明の詳細な説明】
【背景】
【０００１】
ワイヤレス通信技術は、過去数年にわたって爆発的な成長が見られている。ワイヤレス通信技術に最近加えられたものは、移動体ユーザに番組をブロ
ードキャストする能力である。移動体ブロードキャストユーザは、移動体ブロードキャストユーザのセル電話機または他のワイヤレスデバイスを使用して、移動体版の、ニュース、エンターテイメント、スポーツ、ビジネス、および他の番組を見ることができる。これらのブロードキャストシステムは、世界中で、使用および利用可能性の著しい増加が見られる。しかしながら、移動体ブロードキャストネットワークは、従来のテレビセットのような固定された受信機にブロードキャスタによって共有されないという問題に直面している。
【概要】
【０００２】
さまざまな実施形態は、多重周波数ブロードキャストネットワーク中で配備することができる仮想ホームチャネルを提供する方法およびシステムを含み、これにより、移動体受信機が、利用可能なチャネルおよびコンテンツを速く決定することが可能になる。
【０００３】
実施形態では、複数の多重周波数ブロードキャストネットワークに対するブロードキャストメタデータを通信する方法は、複数の多重周波数ブロードキャストネットワークのそれぞれに対するメタデータを受信することと、仮想ホームチャネルを提供するために、複数の多重周波数ブロードキャストネットワークのうちのローカルのものに対する、および、複数の多重周波数ブロードキャストネットワークのうちの少なくとも１つの他のものから受信したメタデータの少なくとも一部分に対するメタデータをブロードキャストすることとを含んでいてもよい。複数の多重周波数ブロードキャストネットワークは、異なる地理的エリアのマーケット内にあり、ローカルコンテンツを伝えてもよい。メタデータは、File Delivery over Unidirectional Transport（ＦＬＵＴＥ）プロトコルを使用してブロードキャストされてもよい。メタデータは、時間的ドメインサービスのオーバーラップを減少させるように構成されているずらされたサイクリックパターンにしたがってブロードキャストされてもよく、または、物理レイヤにおいてサポートされているような潜在的な受信を評価するために、受信機デバイスによってメタデータブロードキャストを使用することができるように、複数の多重周波数ブロードキャストネットワークの間で時間的に同期させてもよい。メタデータは、中央メタデータ集約サーバにおいて収集されてもよく、この中央メタデータ集約サーバは、ブロードキャストされるべき複数の多重周波数ブロードキャストネットワークから受信したメタデータの部分を決定してもよい。決定された部分は、実質的に、受信したメタデータのすべて、受信したメタデータのサブセット、および／または、マーケット内のすべてのネットワークに対するすべてのメタデータの少なくとも一部分をブロードキャストするマーケット内の特定のネットワークに対するメタデータであってもよい。この決定は、ネットワークの受信エリアの位置および／または形状、近接ネットワークに関する送信機の位置等のような地理的に考慮すべきこととともに、近接ネットワークにおけるメタデータブロードキャストの本質を考慮に入れてもよい。ブロードキャストされるべき受信したメタデータの決定された部分は、ネットワーク周波数のリスト、ブロードキャスト波形をエンコードするための送信機によって使用される物理レイヤパラメータ、番組ガイドデータ、加入可能なサービス、データダウンロードスケジュール、送信機のカラーまたはグループ識別子、メタデータシーケンス番号等のうちの１つ以上を含んでいてもよい。この決定は、複数の多重周波数ブロードキャストネットワークのうちの特定のものに対するものであってもよく、複数の多重周波数ブロードキャストネットワークのうちの１つ以上に対するメタデータパッケージを発生させることと、ブロードキャストのために、発生されたメタデータパッケージを複数の多重周波数ブロードキャストネットワークのうちの１つ以上に送信することとを含んでいてもよい。代替的に、この決定は、複数の多重周波数ブロードキャストのそれぞれに対するものであってもよく、ネットワークのそれぞれに対する各メタデータパッケージを発生させることと、ブロードキャストのために、発生さ��た各メタデータパッケージをネットワークのそれぞれに送信することとを含んでいてもよい。この実施形態の方法は、コンピュータ実行可能な命令で方法の動作を実行するように構成されている、サーバまたは類似したコンピュータで実現してもよく、このコンピュータ実行可能な命令はまた、一時的でないコンピュータ読み取り可能記憶媒体上で記憶されていてもよい。
【０００４】
別の実施形態では、１つの多重周波数ブロードキャストネットワークから受信機デバイス中の別のものへのハンドオフを実施する方法は、別の多重周波数ブロードキャストネットワークに対するメタデータを含む、ローカル多重周波数ブロードキャストネットワークによるブロードキャストからメタデータを獲得することと、別の多重周波数ブロードキャストネットワークに対するメタデータを使用して、異なるネットワークへのハンドオフを実行する準備をすることと、ハンドオフを達成すべきときを決定することと、異なるネットワークへのハンドオフを達成することとを含んでいてもよい。この異なるネットワークは、他の多重周波数ブロードキャストネットワークであってもよい。この方法では、受信機デバイスが、例えば、受信したメタデータが、ローカル多重周波数ブロードキャストネットワークから受信したメタデータに類似しているか否かを決定するようなことによって、別の多重周波数ブロードキャストネットワークに対するメタデータを使用して、マーケット中の複数のネットワークから異なるネットワークを選択してもよい。受信したメタデータがローカル多重周波数ブロードキャストネットワークから受信したメタデータに類似しているときに、同じまたは類似したコンテンツへの暗黙的なハンドオフが達成されてもよい。受信機デバイスは、別の多重周波数ブロードキャストネットワークに対するメタデータを使用して、別の多重周波数ブロードキャストネットワークを受信することと、別の多重周波数ブロードキャストネットワークからメタデータブロードキャストを受信することと、別の多重周波数ブロードキャストネットワークから受信したメタデータブロードキャストを使用して、マーケット中の複数のネットワークから異なるネットワークを選択することととによって、別の多重周波数ブロードキャストネットワークに対するメタデータを使用して、そのネットワークへのハンドオフを実行する準備をしてもよく、この選択することは、類似したサービスメタデータをブロードキャストするマーケット中の複数のネットワークのうちの１つを選択することを含んでいてもよい。受信機デバイスは、マーケット中の複数のネットワークのうちの１つを選択し、マーケット中の複数のネットワークのうちの１つに対するブロードキャストメタデータは、現在受信されているコンテンツの一意的なコンテンツ識別子と一致する一意的なコンテンツ識別子を含むことと；マーケット中の複数のネットワークのうちの１つを選択し、マーケット中の複数のネットワークのうちの１つに対するブロードキャストメタデータはローカル多重周波数ブロードキャストネットワークのからのサービスデータと、ローカル多重周波数ブロードキャストネットワークのからの多重化の詳細と、のうちの１つと、または、両方と、正確に一致することと；マーケット中の複数のネットワークのうちの１つを選択し、マーケット中の複数のネットワークのうちの１つに対するブロードキャストメタデータは、ローカル多重周波数ブロードキャストネットワークの物理レイヤコンフィギュレーションと一致する物理レイヤコンフィギュレーションのプロビジョニングを含むことと；マーケット中の複数のネットワークのうちの１つを選択し、マーケット中の複数のネットワークのうちの１つに対するブロードキャストメタデータは、受信機デバイスが受信することができる物理レイヤコンフィギュレーションのプロビジョニングを含むことと；または、現在受信されているコンテンツをブロードキャストしているマーケット中の複数のネットワークのうちの１つを選択し、このマーケット中の複数のネットワークのうちの１つに対するブロードキャストメタデータは、受信機デバイスが受信することができる物理レイヤコンフィギュレーションのプロビジョニングを含むこととによって、別の多重周波数ブロードキャストネットワークから受信したメタデータブロードキャストを使用して、異なるネットワークを選択してもよい。受信したメタデータブロードキャストを使用することにより、受信機デバイスは、より速い電源投入獲得と、信号の損失状態からのより速い回復とを達成することを可能にすることができる。この実施形態の方法は、プロセッサ実行可能な命令で方法の動作を実行するように構成されている、プロセッサまたは受信機デバイスで実現してもよく、このプロセッサ実行可能な命令はまた、一時的でないコンピュータ読み取り可能記憶媒体上で記憶されていてもよい。
【図面の簡単な説明】
【０００５】
ここに組み込まれ、本明細書の一部を構成している、付随する図面は、上記の一般的な説明と下記の詳細な説明と一緒に、この発明の例示的な実施形態を例示的に図示しており、この発明の特徴を説明する働きをする。  
【図１】図１は、実施形態における使用に適した、移動体ＴＶブロードキャスト通信システムを図示している通信システムブロック図である。
【図２Ａ】図２Ａは、それぞれが複数のネットワークを備えている３つの近接マーケットを図示している。
【図２Ｂ】図２Ｂは、それぞれが複数のネットワークを備えている３つの近接マーケットを図示している。
【図３】図３は、実施形態にしたがった、データ共有ルールの構成を図示している。
【図４】図４は、時間的ドメインとオーバーラッピングしないで、近接ネットワークによって、規則的なサイズにされたメタデータパッケージを送信することを可能にするための、サイクリックサービス構成とサイクルスキップ方法とを図示している。
【図５】図５は、集約器サーバにおいてメタデータを集約する実施形態の方法のプロセスフロー図である。
【図６】図６は、個々のネットワークまたは送信機サーバにおいてメタデータを集約するための、実施形態の方法のプロセスフロー図である。
【図７】図７は、仮想ホームチャネルから取得した情報を使用して、ハンドオフを達成するための、実施形態の方法のプロセスフロー図である。
【図８】図８は、仮想ホームチャネルから取得した情報を使用して、ハンドオフを達成するための、別の実施形態の方法のプロセスフロー図である。
【図９】図９は、実施形態にしたがった、集約器サーバの論理ブロック図である。
【図１０】図１０は、実施形態における使用に適した、サーバデバイスのコンポーネントブロック図である。
【図１１】図１１は、実施形態における使用に適した、移動体デバイスのコンポーネントブロック図である。
【詳細な説明】
【０００６】
付随する図面を参照して、さまざまな実施形態を詳細に記述する。可能な限り、図面全体を通して、同じ参照番号を使用して、同じまたは類似する部分を参照する。特定の例およびインプリメンテーションに対してなされる参照は、例示目的のものであり、本発明の範囲、すなわち特許請求の範囲を限定することを意図したものではない。
【０００７】
「例として、事例として、あるいは例示として役割を果たすこと」を意味するために、ここでは「例示的な」というワードを使用する。「例示的な」ものとして、ここで記述するあらゆるインプリメンテーションは、他のインプリメンテーションと比較して、必ずしも、好ましいものとして、または、有利なものとして解釈すべきではない。
【０００８】
ここで使用されているような、「移動体デバイス」という用語は、セルラ電話機、移動体マルチメディア受信機、パーソナルテレビ受信機、移動体テレビ受信機デバイス、パーソナルデータアシスタント（ＰＤＡ）、パームトップコンピュータ、ラップトップコンピュータ、ワイヤレス電子メール受信機（例えば、Ｂｌａｃｋｂｅｒｒｙ（登録商標）およびＴｒｅｏ（登録商標）デバイス）、マルチメディアインターネット使用可能セルラ電話機（例えば、Ｂｌａｃｋｂｅｒｒｙ Ｓｔｏｒｍ（登録商標））、グローバルポジショニングシステム（ＧＰＳ）受信機、および、類似したパーソナル電子デバイスのうちのいずれか１つ、または、これらのすべてにあてはまる。この類似したパーソナル電子デバイスは、移動体ＴＶブロードキャスト送信を受信および処理するための、プログラマブルプロセッサおよびメモリおよび移動体ＴＶブロードキャスト受信機回路を備えている。
【０００９】
ここで使用されているような、「ネットワーク」は、送信機の加入グループにあてはまり、この送信機の加入グループは、ネットワークであるローカルエリア単一周波数ネットワークを形成するために同じ波形を放射する。単一の送信機は、適切なサブセットである、すなわち、単一の送信機が、「ネットワーク」を形成することができる。
【００１０】
ここで使用されているような、「マーケット」は、主要大都市のエリア、ＤＭＡ、または継続的な発展エリアであるマーケットを意味する。一般的に、マーケットは、メディア消費の観点から単一のエンティティとして扱われることができる、地理的エリアである。
【００１１】
非常に多くの受信デバイスによってデータ(情報パケット)を同時に受信できるような、データ(情報パケット)の送信を意味するために、ここでは「ブロードキャスト」というワードを使用する。
【００１２】
多数の異なる移動体ＴＶレイヤ技術および関連標準規格は、将来、利用可能である、または、企図される。これらのすべては、さまざまな実施形態を実現することができ、さまざまな実施形態から利益を得ることができる。このような標準規格は、オープン・モバイル・アライアンス・モバイル・ブロードキャスト・サービス・イネーブラ・スイート（Open Mobile Alliance Mobile Broadcast Services Enabler Suite (OMA BCAST)）、ＭｅｄｉａＦＬＯ、デジタルビデオブロードキャストＩＰデータキャスティング（Digital Video broadcast IP Datacasting (DVB-IPDC)）、および中国のマルチメディア移動体ブロードキャスティング（China Multimedia Mobile Broadcasting(CMMB)）を含む。さまざまな実施形態は、一般的に、埋め込まれた移動体テレビコンポーネントまたは移動体マルチメディアコンポーネントを持つブロードキャストテレビネットワークに適用可能である。特に、実施形態は、ＩＳＤＶＴ、ＡＴＳＣＭＨ、およびＤＶＤＴ標準規格ネットワークに有用である。従来の地上テレビの受信機は、ある位置に固定されており、特定のエリア中で受信することがあるブロードキャストチャネルのようなブロードキャスト特性が変わることを経験しないので、実施形態は、移動体のテレビコンポーネントに有用である。しかしながら、ハンドヘルドおよび自動車のテレビ受信機のような形態でテレビ受信機が移動体デバイスに構成されているとき、この受信機は、地方を動き回っていると、異なるブロードキャストネットワークに遭遇するだろう。例えば、１つの都市において利用可能なテレビ局およびテレビ番組は、次の都市において利用可能なテレビ局およびテレビ番組とは、部分的にまたは完全に異なることがある。したがって、移動体テレビ受信機は、特定の位置における受信機に適用可能である局を発見するための何らかの能力を持っている必要がある。
【００１３】
マーケットにおけるコンテンツの利用可能性を決定するために移動体受信機によって使用される従来の方法は、例えば、すべての利用可能なチャネルまたはコンテンツフローを調整するといったことによって、情報を発見するようにデバイスに要請する。いくつかの移動体テレビネットワークでは、同じ一般的なエリアまたはマーケット中で利用可能なサービスについての共通の情報を提供するために、すべてのマーケットまたは大部分のマーケット中で利用可能であろう、ワイドエリア単一周波数ネットワークを配備することが可能である。このような概念は、米国特許公開番号第２００９／０２５３４１５として公開されている、２００９年４月２日に出願された「上位単一周波数ネットワークを使用している多重周波数ネットワークに対する、ガイドおよび周波数マップ情報の集約のための方法および装置」と題する、米国特許出願番号第１２／４１７，５２０において記述されており、この内容全体は、参照により組み込まれている。しかしながら、多重周波数ネットワークのうちの１つのネットワークをサポートするための、すべてのマーケットにおける１つの単一周波数ネットワークの存在は保証されておらず、多重周波数ネットワークが自己サポートしていることが好ましい。
【００１４】
オーバーヘッド情報の伝送専用のブロードキャスト送信の一部を通して将来ブロードキャストされるであろう番組およびコンテンツについての情報をブロードキャストすることによって、移動体デバイスが独立型になることを可能にするように、多重周波数ネットワークを構成してもよい。このような情報ブロードキャストは、「メタデータ」、「オーバーヘッドフロー」、または「コンテンツ記述フロー」と呼ばれることが多い。このようなメタデータブロードキャストは、（ここでは「コンテンツフロー」と呼ぶ）、コンテンツを運ぶブロードキャスト送信の部分から分かれている。移動体デバイスはまた、このメタデータを処理して、電子ビューイングガイドをユーザに提供することもできる。このような電子ビューイングガイドは、「サービスガイド」（ＳＧ）または「電子サービスガイド」（ＥＳＧ）のようないくつかの移動体ＴＶフォーマットで知られており、ケーブルおよび衛星テレビシステム上で利用可能であるものと類似しているビュー可能な番組ガイドである。これらのサービスガイドは、典型的に、ブロードキャストコンテンツを見るためのコストを潜在的な加入者（ユーザとも呼ばれる）に報知する固定価格情報を含む。
【００１５】
図１では、典型的な移動体ＴＶブロードキャストシステム１００の例示的なコンポーネントを図示している。移動体ＴＶブロードキャストネットワーク１は、典型的に、移動体ブロードキャストネットワーク制御センター４によって制御される複数のブロードキャスト送信機２を含む。移動体ＴＶブロードキャストネットワーク１は、移動体デバイス１０による受信のために、ブロードキャスト送信機２から、移動体ブロードキャスト送信３として、コンテンツをブロードキャストする。移動体ブロードキャストネットワーク内では、制御センター４は、典型的に、１つ以上のネットワークサーバ６になるだろう。この１つ以上のネットワークサーバ６は、コンテンツブロードキャストのスケジューリングと、コンテンツブロードキャストに関する電子サービスガイドおよび他のメタデータの発生とともに、他のネットワークとの情報の交換を管理し、移動体ＴＶブロードキャストネットワーク１を通してのブロードキャストのために、メタデータメッセージを発生させるように構成してもよい。１つ以上のネットワークサーバ６は、インターネット７のような外部ネットワークに結合させてもよく、これを通して、ネットワークサーバ６は、コンテンツプロバイダサーバ８からコンテンツフィードを受け取り、他のネットワークと情報を交換してもよい。
【００１６】
単一のネットワーク内の、または、複数のネットワークにわたった送信機は、コンテンツを効率的に送信するために、異なる物理レイヤパラメータを使用してもよい。例えば、送信機が、異なる周波数上でコンテンツをブロードキャストしている場合、あるいは、送信機が、あるエリア中での、および／または、ある周波数上での送信電力調整のために異なる送信電力を使用して、コンテンツをブロードキャストするように要求される場合、ネットワークは、異なる物理レイヤパラメータを使用してもよい。このような物理レイヤパラメータは、直交周波数ドメイン多重化（ＯＦＤＭ）通信システム(例えば、ＭｅｄｉａＦＬＯ)における、高速フーリエ変換（Fast Fourier Transform）（ＦＦＴ）サイズ、サイクリックプレフィックス長（cyclic prefix length）、およびスロット対インターレースマッピングのようなパラメータを含んでいてもよい。移動体受信デバイスは、このような物理レイヤパラメータのサブセットを使用して、無線周波数（ＲＦ）送信のデコードのみをサポートしてもよい。例として、移動体デバイスは、４Ｋ ＦＦＴモードと１／８サイクリックプレフィックス長とで、ＲＦ波形のブロードキャストのデコードのみをサポートしてもよい。ブロードキャスト送信を受信するために、移動体受信デバイスは、１つ以上のローカルブロードキャストネットワークによって使用される、物理レイヤパラメータを決定しなければならない。このような物理レイヤパラメータは、典型的に、メタデータシグナリングチャネル、オーバーヘッドフローまたはサービス、あるいは、それぞれのネットワークのブロードキャスト信号の他のオーバーヘッド部分でブロードキャストされる。
【００１７】
図２Ａは、複数のマーケット中での共有または独立コンテンツのサポートを提供する複数の多重周波数ネットワーク２２−４８の複数のマーケットＡ、Ｂ、およびＣが存在するときに遭遇し得るシチュエーションを図示している。それぞれのマーケットＡ、Ｂ、Ｃ内では、複数の多重周波数ネットワーク２２−４８が存在していてもよく、これらは、マーケット内で協働しているかもしれない。各マーケット中で利用可能な、または、すべてのマーケット中にないコンテンツ（番組またはサービス）を記述するための上位レイヤの単一周波数ネットワークが存在しない場合、１つのマーケットから別のマーケットに移動している移動体受信機、または、異なるネットワークカバレッジエリアの間で移動している移動体受信機は、それぞれのネットワークに対するメタデータを自力で見つけて獲得するだろう。
【００１８】
典型的に、異なるネットワーク間での、番組、周波数プラン、または他のメタデータの分配のための中央レポジトリまたはリソースは存在しない。それぞれの多重周波数ネットワークが、そのサービスについてのそれ自身のメタデータをブロードキャストする。結果的に、それぞれのマーケット内でメタデータブロードキャストの周波数またはチャネルを発見することは、移動体受信機デバイスの責任である。しかしながら、受信機デバイスは、すべての利用可能なソースおよび番組を認識していることを確信することができないので、継続的に、新しい局をサーチしなければならない。これは、電力消費に望ましくない影響を及ぼし、バッテリー寿命を減少させ、必要とされるよりも、サービスの獲得をよりゆっくりにする。
【００１９】
さまざまな実施形態は、特定のネットワークからのコンテンツの受信を開始するのに必要とされる情報を効率的に取得するために、移動体受信機デバイスがネットワークごとに受信することができる仮想ホームチャネルを提供することによって、従来の多重周波数ネットワークのこれらの制限を克服する。実施形態は、近接多重周波数ネットワークから情報を集約し、すべての移動体受信機デバイスがアクセスできる、標準化されたフォーマット(すなわち、周波数、エンコーディングスキーム等)での集約された情報をブロードキャストするための、メカニズムを提供する。標準規格フォーマットでの集約された情報のブロードキャストが、他の点では関連のないネットワークのそれぞれの多重周波数ネットワークに仮想ホームチャネルを提供する。新しいネットワーク中ですべてのコンテンツおよびサービスを速く受信することができるために、１つのネットワークから別のネットワークに移動している移動体受信機デバイスは、仮想ホームチャネルにアクセスだけする必要がある。この実施形態によって要求される、それぞれのネットワークの部分上でのコミットメントは、参加ネットワークの集約のメンバーである他のネットワークにそのメタデータを提供することであり、他のネットワークのメタデータをブロードキャストすることである。
【００２０】
図２Ｂは、仮想ホームチャネルの実施形態を図示しており、この仮想ホームチャネルでは、マーケットＡ、Ｂ、およびＣが、互いにメタデータを交換し、仮想ホームチャネル上で、互いのメタデータをブロードキャストする。参加ネットワークのこのような構成の目的および利益は、１つのマーケットから別のマーケットに移動している、または、２つのマーケットの境界の近くに位置付けられている移動体受信機デバイスが、近接マーケットのネットワークメタデータを知ることを可能にすることである。近接マーケットのメタデータをブロードキャストすることにより、移動体受信機デバイスが、近接マーケットにおける別のネットワークからサービスを速く見つけることが可能になる。
【００２１】
ユーザが、近接ネットワークまたはマーケットのカバレッジエリア中に移動している間に１つのネットワークから特定のコンテンツまたは番組を受信しているときに、頻繁に生じることがあるシチュエーションによって、移動体受信機デバイスに対する仮想ホームチャネルの有用性を図示している。同じコンテンツまたは番組を受信し続けるために、移動体受信機デバイスは、新しいカバレッジエリアに入る際に、同じコンテンツを運ぶ、チャネル、局またはフローと、近接ネットワークまたはマーケットとを決定して、コンテンツまたは番組の受信を開始しなければならない。移動体受信機デバイス中で実行される、１つのネットワークから次のネットワークへの、コンテンツまたは番組ソースのこのような切り替えを、ここでは「ハンドオフ」と呼ぶ。より良好なユーザ経験を提供するために、このようなハンドオフは、結果として、表示されるコンテンツまたは番組の途絶が最小限にならなければならない。最適に、ユーザは、見ている番組のソースが１つのネットワークまたはマーケットから別のネットワークまたはマーケットへと切り替わるときを通知しなくてもよい。サービスのこのようなシームレスなハンドオフは、セルラ電話機の通信ネットワークに特有であるので、ユーザは、ユーザの移動体マルチメディア受信機デバイスから、類似した性能を予想する可能性がある。
【００２２】
しかしながら、ネットワークとマーケットとの間のこのようなハンドオフは、複雑なプロセスを伴うことがある。上記で述べたように、ネットワーク内の送信機、または、複数のネットワークおよびマーケット全体にわたった送信機は、コンテンツを送信するために、異なる物理レイヤパラメータを使用することがある。さらには、同じコンテンツまたは番組をブロードキャストする近接マーケットは、異なる周波数、チャネル、またはコンテンツフロー上で、そのように行うかもしれない。したがって、移動体受信機デバイスが特定のコンテンツまたは番組に対するハンドオフ動作を完了するためには、デバイスは、近接送信機、ネットワークまたはマーケットにより使用される物理レイヤパラメータを決定するとともに、(仮にも、そのコンテンツまたは番組を伝える場合)現在のコンテンツまたは番組を伝える、周波数、チャネル、またはコンテンツフローを決定しなければならない。その後、この情報を使用して、移動体受信機デバイスは、内部コンフィギュレーションを切り替えて、新しい周波数、チャネル、またはコンテンツフロー上で、そのコンテンツまたは番組の受信を開始しなければならない。多重周波数ネットワーク中でハンドオフを実施する方法は、２００８年１０月１６日に公開された米国特許公開番号第ＵＳ２００８／０２５３３３１号と；２００９年１月８日に公開されたＵＳ２００９／００１０２２５号と；２００９年１月１５日に公開されたＵＳ２００９／００１６３８０号と；２００９年８月６日に公開されたＵＳ２００９／０１９７６０４号と；２００９年１１月５日に公開されたＵＳ２００９／０２７４１１９号とに開示されている。
【００２３】
移動体受信機デバイスが、ハンドオフを完了する前に、近接送信機、ネットワーク、またはマーケットの、物理レイヤパラメータを発見しなければならない場合、この時間消費プロセスが、受信の際に不快な中断を要求することがある。たとえ、ある送信機、ネットワーク、またはマーケットから次の送信機、ネットワーク、またはマーケットへの遷移の時間において、コンテンツまたは番組が見られていない場合であっても、移動体受信機デバイスは、コンテンツにユーザがアクセスしたいときに準備するように、コンテンツを受信することができる送信機をそれでも発見し、受信することができるそれらの送信機またはネットワークに対する電子ビューイングガイドを発生させなければならない。仮想ホームチャネルがないと、移動体受信機デバイスは、近接ネットワーク中でＲＦ信号の受信に切り替えて、波形を読み取り、物理レイヤパラメータを発見して、その後、残りのプラットフォームをデバイスがデコードできるか否かを決定する必要がある。移動体受信機デバイスが、デバイス能力に基づいて、デコードすることができないＲＦ送信の適正を決定しようと試行している間、この発見プロセスが、所望のコンテンツを獲得する際に付加的な遅延を招くことになり、移動体受信機デバイスは、別の適したネットワークからのコンテンツの表示のギャップを示すかもしれない。
【００２４】
ネットワークとマーケットとの間の迅速かつ効率的なハンドオフを可能にするために、さまざまな実施形態は、近接送信機によって使用される物理レイヤパラメータを、仮想ホームチャネル上でのメタデータブロードキャストに含めることを可能にする。移動体受信機デバイスがカバレッジ境界の近傍にあるときに、移動体受信機デバイスは、その後、仮想ホームチャネルに同調して、デコードすることができるタイプの波形のデバイス知識に基づいて、近接周波数がハンドオフに適しているか否かを決定することができる。移動体受信機デバイスは、受信機によってデコードできる、移動体受信機デバイスの周波数をフィルタリングのみすることによって、ハンドオフセットを生じさせることがある。あるネットワークは、既知のパラメータの固定されたセットを使用して、既知の位置における送信機によって使用される物理レイヤパラメータを、その波形自体でブロードキャストする（例えば、ＦＬＯネットワーク)。仮想ホームチャネルメタデータで近接ネットワークに対する物理レイヤパラメータを指定しないケースでは、受信デバイスは、近接ネットワーク中でＲＦの受信に切り替えて、波形を読み取り、物理レイヤパラメータを発見して、その後、残りのプラットフォームをデバイスがデコードすることができるか否かを決定する必要があるだろう。再び、これは、所望のコンテンツを獲得する際に付加的な遅延を招き、受信デバイスは、デバイス能力に基づいて、デコードすることができないＲＦの適正を決定しようと試行している間に、別の適したネットワークからのコンテンツを獲得することを逃すかもしれない。
【００２５】
図２Ｂ中に図示されている実施形態は、中央集約および分配センター２００を備えており、この中央集約および分配センター２００が、送信機とマーケットとからメタデータを受信し、参加マーケットＡ、Ｂ、Ｃのうちのそれぞれ内の仮想ホームチャネル上で、ブロードキャストのためのデータを集約することができる。データ集約は、多数の異なる方法を使用して達成することができる。実施形態では、中央集約および分配センター２００は、インターネットまたはプライベートネットワークに結合されている中央集約サーバを備えていてもよく、この中央集約サーバが、さまざまなネットワーク／マーケット参加者から要求されるメタデータを受け入れ、または、獲得し、（細い矢印）、ブロードキャストのために、コンパイルされたメタデータを参加ネットワークに転送する（太い矢印）。実施形態では、参加ネットワークのうちの１つ以上が、中央集約および分配センター２００を管理してもよい。別の実施形態では、参加ネットワークのうちの任意のものに関係しない第三者が、すべてのブロードキャストネットワークからメタデータを収集して、中央集約および分配センター２００とメタデータデータベースとを管理してもよい。
【００２６】
仮想ホームチャネル上でブロードキャストされるコンパイルされたメタデータが、すべてのネットワーク／送信機のフルなメタデータを伝えないように、コンパイルされたメタデータは、参加ネットワークから受信したメタデータの減少した部分またはサブセットを含むとしてもよい。ブロードキャストされる完全なメタデータセットは、ローカルまたはコアネットワーク、および、近接マーケット中のコアまたは中央報告ネットワーク向けのものであり、それぞれのネットワークの特定の役割に依存している。所定のマーケットのメンバーは、そのメンバーのマーケットおよびメタデータへのアクセスを中央集約および分配センター２００に報告または提供する必要がある。
【００２７】
いくつかのブロードキャストネットワークは、異なるマーケットまたは地理的領域を取り扱うような、同じネットワーク内でメタデータの異なるセットを実現することができる。例えば、サンフランシスコの海岸エリア（San Francisco Bay area）におけるブロードキャストネットワークが、ブロードキャストネットワークの北部におけるネットワークからのブロードキャスト送信に関係するメタデータの１つのセットと、ブロードキャストネットワークの南部におけるネットワークからのブロードキャスト送信に関係するメタデータの異なるセットとを実現するかもしれない。同じネットワーク内の２つの領域間の境界に沿った送信機は、１つのエリアのコンテンツと、他のエリアのメタデータとをブロードキャストしてもよい。例えば、サンノゼ駅（San Jose station）における送信局が、南海岸のコンテンツ、プラス、北海岸のメタデータもブロードキャストするかもしれない。このように、オーバーラップが継続的に生じるエリアは、複数のホームチャネルを有していることがあり、このようなエリア内の送信機は、仮想ホーム隣接リストをブロードキャストしてもよい。
【００２８】
ホームチャネルの欠如に対する１つの解決は、すべてのサービスプロバイダメタデータを一緒に集約して、これを、すべてのネットワークから送信することである。マーケットエリア全体にわたるカバレッジを達成するマーケットエリアの送信機のサブセットは、それぞれのネットワーク上で、すべてのネットワークメタデータを伝える可能性のある代替である。複数の送信機は、共通のタワーまたは送信局を共有するケースが多い。すべての送信機のカバレッジエリアが類似していると仮定すると、その状況では、送信局につき送信機のうちの１つだけが、メタデータのより広いセットを伝える必要があるかもしれない。送信機のいくつかのサブセットが、フルなマーケットメタデータをブロードキャストするときに、すべての参加ネットワークは、フルなマーケットメタデータの迅速な獲得を可能にするメタデータを、最低限、送信すべきである。したがって、任意のマーケットのメタデータの送信が受信機デバイスによって見出されたとき、すべてのネットワークを迅速に発見することができる。
【００２９】
実施形態では、最小限のメタデータのみが、マーケットネットワークのすべてに供給されてもよい。この実施形態では、完全なメタデータブロードキャストを、機能性の損失がないマーケット内のネットワークに制限することができる。
【００３０】
マーケットの構成は、名目的に、管理上の機能であるが、この構成は、ネットワークにつき、一次送信機からの放射距離に基づいて達成されてもよい。このような一次送信機は、特定のマーケット内で仮想ホームチャネルをブロードキャストする送信機であってもよい。
【００３１】
図３は、マーケットの隣接しているグループの例示的な形成を図示している。この構成では、マーケットＡの隣接しているものは、Ａ’マーケットであり、マーケットＢの隣接しているものは、Ｂ’マーケットである。この構成では、Ａ’マーケットのメタデータは、丸括弧で示されているように、Ａマーケットのメタデータブロードキャスト中に含まれていてもよい。したがって、Ａマーケット中の受信機デバイスは、Ａ’マーケットからの、または、Ａ’マーケットに適当なメタデータも受信するだろう。同様に、Ｂマーケットにおけるメタデータブロードキャストは、丸括弧で示されているように、Ｂ’マーケットからのメタデータを含んでいてもよい。同様に、ＡおよびＢの両方の境界を有するマーケット、すなわち、Ａ’Ｂ’におけるメタデータブロードキャストは、丸括弧で示されているように、マーケットＡおよびＢの両方に対するメタデータを含んでいてもよい。したがって、この実施形態では、それぞれのマーケットは、それ自身のメタデータと、その周辺の隣接しているもののメタデータとを含むメタデータをブロードキャストしてもよい。マーケット間で移動している（例えば、自動車、バス、または電車で）移動体受信機デバイスが、そこに移動するかもしれない任意の近接マーケットの、および、その現在のマーケットのメタデータを受信している任意の所定のときに、ハンドオーバーをシームレスに実施することを、この実施形態は可能にするだろう。
【００３２】
図３および先述のパラグラフでは、いくつかのマーケット（すなわち、サブセットＡ’およびＢ’）においてブロードキャストされ得る、メタデータの２つのサブセットを記述しているが、この実施形態は、Ｎ個の近くのネットワークまたはマーケットに対するメタデータのＮ個のセットのような、メタデータの任意の数のＮ個のサブセットに適用してもよい。
【００３３】
図３は、潜在的な実施形態の構成を１つしか図示していないことに留意すべきである。南カリフォルニア（Southern California）のような、ある人口密度が高い領域において特に有用であり得る別の実施形態の構成では、広い継続的な発展エリア中のすべてのマーケットにおいて、そのエリア内のすべてのネットワークおよびマーケットのすべてのメタデータをブロードキャストしてもよい。移動体受信機デバイスが、継続的な発展エリアの領域内のすべてのネットワークおよびマーケットに対するメタデータを受信しているので、この実施形態により、移動体受信機デバイスが、継続的な発展エリア内のどこででも、ハンドオーバーをシームレスに実施することが可能になるだろう。
【００３４】
さらなる実施形態では、それぞれのネットワークが、そのカバレッジエリアの適切な記述を中央集約器サーバに提供する場合、それぞれのマーケットの隣接しているものの決定を、集約センター２００によって自動的に行うことができる。ネットワーク送信機が単一の無指向性アンテナを有しているとき、このカバレッジエリアの記述は、円形エリア(例えば、中心座標および放射状の寸法)の形態であってもよい。代替的に、カバレッジエリアの記述は、多重送信機および指向性アンテナのより複雑なシナリオにおいて適切であり得るように、カバレッジエリアを含む多角形(例えば、多角形の角を識別する一連の座標)の形態でもよい。中央集約器２００は、参加ネットワークから受信したカバレッジエリアの記述を使用し、カバレッジエリアの共通部分および／またはネットワークカバレッジエリア間の距離に基づいて、それぞれのネットワークの隣接リストを構築してもよい。集約器サーバ上で実現されるアルゴリズムにしたがって、自動的に、隣接リストのこの構築を達成するとしてもよい。例えば、関心あるネットワークの隣接しているものは、関心あるネットワークと交差しているカバレッジエリアを有する何らかのネットワークであってもよい。別の例として、２つのネットワークのカバレッジエリアにおいて最も近い２つの地点（それぞれのカバレッジエリアにおける１つの地点）間の最短距離が、しきい値の距離ｄよりも短い場合、２つのネットワークは、隣接しているものであると考えられてもよい。
【００３５】
この実施形態の変形では、近接マーケットに関して提供されるメタデータの量は、メタデータの完全なセットのサブセットであってもよい。したがって、特定のマーケット中で送信されるメタデータは、そのマーケットに対するメタデータのフルなセット、プラス、近接マーケットのそれぞれに対するメタデータの部分的なセットも含んでいてもよい（以下では、これを、「フルプラス部分的メタデータスキーム」と呼ぶ）。例えば、現在のマーケットに対するメタデータのフルなセットは、コアマーケット中で提供され得るような、現在のマーケットにおけるすべてのコアマーケットプロバイダに対する、周波数テーブル、ガイドデータ、および加入データを含んでいてもよい。しかしながら、完全なメタデータがアクセスされ得る近接マーケットのチャネルの周波数のみ、他のマーケットにおける部分的メタデータブロードキャスト中に含まれていてもよい。したがって、近接ネットワークおよびマーケットの部分的メタデータを受信する受信機デバイスに、そのネットワークまたはマーケットに対する完全なメタデータセットを取得するためにデバイスがアクセスできる特定の送信機またはネットワークを報知する。完全なメタデータに対して同調すべき場所を知っていることにより、ハンドオフプロセスの間に、十分な量の発見時間を受信機デバイスに確保することができる。
【００３６】
インプリメンテーションが、より繊細で効率的であればあるほど、ネットワークの集約が効果的かつ効率的に機能することを保証するように要求される管理上の機能も多くなる。このことは、すべての詳細なコアマーケットとデータを伝えるすべてのネットワークの実施形態の主な利点である。
【００３７】
所定のマーケット内の、または、近接マーケット中のいくつかのネットワークが、ハンドオフに適しているとしてもよい。すなわち、ハンドオフ候補ネットワーク上のコンテンツは、現在アクセスされているネットワーク中のコンテンツと同じ、または、類似している。これは、受信機デバイスによって、明示的に、または、暗黙的に決定されてもよい。例えば、番組についての現在のメタデータは、ハンドオフ候補ネットワークのメタデータと同じ、または、類似していてもよい（暗黙的）。別の例として、ＩＳＡＮのような、番組の特定のＩＤが、ハンドオフ候補ネットワークにおける番組の特定のＩＤと同一であってもよい（すなわち、ＩＤが、一致する）。いくつかのシチュエーションでは、データ多重化の構成が、同じであってもよく、および、同じ多重化を識別してもよい。共通の条件付きアクセス制御に基づくサービスでは、サービス記述は同一である可能性がある。このシチュエーションでは、サービス識別子だけがメタデータ中に含まれている必要があり、これにより、移動体受信機デバイスによる効率的なハンドオフが可能になる。ネットワーク当たりのサービスの規定にＩＰアドレスまたはフローＩＤを含んでいてもよい。
【００３８】
ある物理レイヤは、受信機デバイスが、ハンドオフ候補に同調し、ハンドオフ候補を受信することができるか否かを見ることを可能にすることができる時間的構造を規定し、（ＦＬＯ物理レイヤのような）送信機間での調整に対する必要性はない。現在の物理チャネル上で、ハンドオフ候補の評価および持続した受信を達成するために、他の物理レイヤは、何らかのレベルの相対的な送信時間同期化を要求する。適正および同期化データが、仮想ホームチャネル上で提供されるメタデータ中に含まれていてもよい。受信機デバイスが受信および評価できる、この情報は、グループ番号または特色コードの形態でもよい。グループまたは特色の概念を、時間的構成に適用してもよい。例えば、受信機デバイスが、同じ多重化を複数の搬送波から潜在的に獲得することができるように、時間ドメイン中でオーバーラップしていない４つの異なる時間的構成で、同じ多重化が伝えられてもよい。これは、ＭｅｄｉａＦＬＯ物理レイヤ中で実施されるような、時間−周波数空間における位置の明示的記述に関連する抽象概念である。これは、協働ネットワークのマーケット内の多重周波数ネットワークを通して、マーケット全体にわたってカバレッジを達成する可能性と、複数のマーケット全体にわたる同じ概念の拡張とを生む。同じメディア論理チャネル（ＭＬＣ）、パレード（parades）、または多重化を複数の搬送波上で受信することができると仮定すると、ＣＤＭＡネットワーク中で実施されるような−ベースバンドパケット合成を適用することができ、これにより、「ソフトハンドオフ」が可能になる。
【００３９】
さらなる実施形態では、中央集約器を必要とせずに、参加ネットワークおよび送信機によって集約メタデータパッケージの受信およびアセンブリを達成できるように、集約機能を分散させてもよい。この実施形態では、例えば、共通にアクセス可能なデータベース中に、または、共通にアクセス可能なインターネットウェブサイト上に、それぞれのネットワークのメタデータをポストすること、あるいは、すぐ近くのネットワークおよび送信機局のメタデータブロードキャストを傍受するようなことによって、それぞれのネットワークが、それぞれのネットワークのメタデータを他のネットワークおよびマーケットに対して利用可能にすることができる。
【００４０】
さらなる実施形態では、それぞれの局が、同じルールセット（ソフトウェア）を使用して、仮想ホームチャネルに対する共通のメタデータのそれ自体のバージョンを生成できるように、それぞれのネットワークのメタデータの、ルールベースの組み合わせを実行する共通（共有）ソフトウェアソリューションを、いくつかの送信局またはすべての送信局においてインストールしてもよい。この実施形態では、すべての局が、例えば、メタデータを周期的に交換すること、共通にアクセスされるデータベース（すなわち、すべての送信機局によってアクセス可能なデータベース）上にすべての局のメタデータを記憶すること、または、共通にアクセスされるウェブサイト上にすべての局のメタデータをポストするようなことによって、他のメンバーの使用のために、すべての局の一意的なメタデータを公開してもよい。参加している送信局の間でバージョンまたは構成のスキューが存在しないことを保証するために、共通の構成の制御が必要であろう。例えば、マーケット定義および参加リストは、初期化またはネットワーク構成の時点などに、手動構成を必要とするとしてもよい。フルプラス部分的メタデータスキームの指定は手動で施すとしてもよいが、上述した実施形態のフルプラス部分的メタデータスキームが、この実施形態において、同様に共通ルールセットの適切なコンフィギュレーションを通して実行されてもよい。
【００４１】
さらなる実施形態では、各送信機局およびネットワークは、それらの各メタデータブロードキャストを受信するためにエアーを通して互いに聞き、受信されると、受信したメタデータを使用してもよい。この受信したメタデータは、シーケンス番号と、ネットワークのそれぞれからの開始時間とを含む。その後、ブロードキャストのために集約メタデータを発生させるように、受信したメタデータを、共通に実現されるルール（ソフトウェア）に適用してもよい。エアーを通してメタデータを共有するこの方法は、さまざまなネットワークが互いの送信機信号を受信することができる（すなわち、送信局は、少なくとも、送信タワーの高さにおける互いのカバレッジエリア内にある）と仮定している。しかしながら、さまざまなネットワークは、離れたネットワークからのメタデータを含む、他のメンバーネットワークからの集約されたメタデータをコピーすることを可能にすることもあり得るので、これは、厳しい要件ではない。
【００４２】
マーケット構成は、あたかも、エリアがすべての参加者によって定義または同意された管理されている定義であるかように、ここでは概して扱う。しかしながら、これは、ハード要件ではない。一次ネットワークの１４４．８４０９６キロメートル（９０マイル）内の送信機ごとに送信局が含まれるというようなルールによって、メタデータの運搬の決定が行われてもよい。例えば、すべてのマーケット参加者および移動体受信機デバイスによってアクセス可能なインターネットサイト上のように、それぞれのネットワークによって、一次送信機の位置が公開されてもよい。マーケット内の一次送信機を識別する利点は、このような情報により、関心ある特定のマーケットをユーザが選択することが可能になることである。例えば、ＧＰＳ情報に基づく、位置サービスによるマーケットの識別は有用な場合がある。
【００４３】
さらなる実施形態では、カバレッジエリアとオーバーラップしている位置においてでさえも、メタデータが受信のために常に利用可能であるように、参加送信機全体にわたって、さまざまなネットワークおよびマーケットによる集約メタデータのブロードキャストを、時間的に同期させても、および、ずらしてもよい。図４中で図示されているようなサイクル様式で開始時間をずらすことによって、参加ネットワークは、同じメタデータエレメントを同時に送信することを、言い換えると、時間的ドメイン中でサービスのオーバーラップを引き起こすこと、を回避することができる。４つの時間的フェーズのうちの１つに関して、ずらすことも達成することができる。いくつかの実施形態では、受信機デバイスが受信することができるブロードキャストメタデータの４つの特色／フェーズがあるように、特色に関して４つの時間的フェーズを参照してもよい。時間的ドメインにおけるサービスのオーバーラップの可能性をさらに減少させるために、使用されるべき実際のサイクルパターンの選択の際に複数のサービスをスキップすることによって、開始時間をずらすことをさらに向上させることができる。ずらされたブロードキャストコンテンツを受信機デバイスが受信することを可能にするために、仮想ホームチャネル上でのメタデータのブロードキャスト（例えば、１つ以上のネットワークによるマルチネットワークのメタデータのブロードキャスト）は、それぞれのネットワーク上で実現される、ずらすこと、または、時間／フェーズ遅延に関する情報を含んでいてもよい。
【００４４】
図５は、例示的な方法５０を図示しており、この例示的な方法５０は、図２Ｂ中で図示されているように、集約メタデータパッケージを発生させ、この集約メタデータパッケージを参加マーケットに送信するための、集約器サーバによって実現することができる。方法５０では、ステップ５１において、集約器サーバが、参加ネットワークおよびマーケットのすべてからメタデータを受信してもよい。メタデータ送信の変更およびタイミングを調整する必要がないときに、参加者が、データを送信することしか必要ないように、このような受信したメタデータをローカルデータベース中に記憶してもよい。ステップ５２において、集約器サーバが、その後、それぞれのマーケットまたはネットワーク参加者によってブロードキャストされるべき特定のメタデータを決定してもよい。上記で説明したように、それぞれのネットワークマーケット参加者に提供されるメタデータは、用いられる実施形態に応じて変えることができる。例えば、１つの実施形態では、すべてのネットワークおよびマーケットが、互いのメタデータのすべてをブロードキャストするだろう。別の実施形態では、それぞれのネットワークまたはマーケットは、近接ネットワークおよびマーケットのみのメタデータを送信してもよい。さらなる実施形態では、近接ネットワークメタデータの一部分だけが、特定のネットワークまたはマーケットに対する集約メタデータパッケージ中に含まれていてもよい。上述したようないくつかの実施形態では、ステップ５２において、メタデータパッケージの決定は、地理的位置およびカバレッジエリアを考慮に入れてもよい。実施形態では、ネットワーク構成の初期化プロセスにおけるような、ブロードキャストシステムネットワークまたはマーケット参加者に対する選択されたメタデータの決定は、前もって決定されてもよい。したがって、ステップ５２は、リアルタイムで実行されなくてもよい。
【００４５】
いったん、それぞれのマーケットまたはネットワーク中でブロードキャストされるべきメタデータが決定されると、ステップ５３において、集約器サーバが、それぞれのネットワークまたはマーケット参加者に送られるべき個々の集約メタデータパッケージを発生させてもよい。集約メタデータパッケージを発生させたとき、ステップ５４において、それぞれのマーケットおよび参加ブロードキャストネットワークに集約メタデータパッケージを送信してもよい。専用ネットワークおよびインターネットを含む任意の既知の通信技術によって、このような送信を達成することができる。時々生じる、メタデータの変更に対応するために、メタデータを受信するプロセス（ステップ５１）、それぞれのネットワークおよびマーケットに対するメタデータを決定するプロセス（ステップ５２）、集約メタデータパッケージを発生させるプロセス（ステップ５３）、およびブロードキャストネットワーク参加者にパッケージを送信するプロセス（ステップ５４）を、破線の矢印によって図示されているように、周期的に反復してもよい。
【００４６】
図６は、例示的な方法６０を図示しており、この例示的な方法６０によって、個々のネットワークの送信機によるような分散型態様で、メタデータ集約機能を達成することができる。方法６０では、ステップ６１において、それぞれのネットワークまたは送信機が、それ自身のメタデータを他の参加ネットワークおよびマーケットに送出してもよい。専用ネットワークおよびインターネットを含む何らかの既知の通信技術を使用して、メタデータのこのような送信を達成することができ、そして、メタデータの通常のブロードキャストを通しても達成することができる。メタデータの所有者がそのメタデータを他のものに送信するインプリメンテーションでは、その送信は、インターネットのようなネットワーク技術によるものであってもよく、メタデータは、ネットワークまたは送信機内のサーバによって送信されてもよい。ステップ６２において、ネットワークまたは送信機内のサーバが、他のネットワークおよびマーケットからメタデータを受信してもよい。ステップ６３において、ネットワークまたは送信機内のサーバは、その後、ブロードキャストされるべき受信したメタデータの部分を決定するために、ルールの共通のセットを、他のものから受信したメタデータに適用してもよい。ステップ６３において、すべての、または、いくつかのネットワーク（例えば、近接マーケット）またはマーケット参加者からのメタデータがブロードキャストされ、他のネットワークまたはマーケットメタデータのすべてまたは一部分が送信されるように、適用されたルールは、上述したものに類似していてもよい。ステップ６４において、サーバが、サーバ自身のフルなメタデータセットと、他のネットワークおよびマーケットから、決定されたフルまたは部分的なメタデータとの両方を含む集約メタデータを発生させてもよい。異なる領域に対する、異なるブロードキャストコンテツ−例えば、異なるメタデータを有するブロードキャストネットワークでは、集約されたメタデータは、異なる領域のそれぞれに対するメタデータを含んでいてもよい。ステップ６５において、ネットワークまたは送信機が、その後、発生された集約メタデータセットを通常の態様でブロードキャストしてもよい。
【００４７】
この方法６０において、複数の多重周波数ブロードキャストネットワークは、異なる地理的エリアのマーケット内のものであり、ローカルコンテンツを伝えてもよい。メタデータは、中央メタデータ集約サーバに集めてもよく、この中央メタデータ集約サーバが、ブロードキャストするべき複数の多重周波数ブロードキャストネットワークから受信したメタデータの部分を決定してもよい。ブロードキャストのためのメタデータの決定された部分は、実質的に、受信したメタデータのすべて、受信したメタデータのサブセット、および／または、マーケット内のすべてのネットワークに対するすべてのメタデータの少なくとも一部分をブロードキャストするマーケット内の特定のネットワークに対するメタデータであってもよい。ブロードキャストのためのメタデータの決定は、近接ネットワークに関する送信機のネットワーク位置の受信エリアの位置および／または形状等のような地理的な考慮とともに、近接ネットワークにおける本質的なメタデータブロードキャストを、考慮に入れてよい。ブロードキャストされるべき受信したメタデータの決定された部分は、ネットワーク周波数のリスト、ブロードキャスト波形をエンコードするために送信機によって使用される物理レイヤパラメータ、番組ガイドデータ、加入可能サービス、データのダウンロードスケジュール、送信機の特色またはグループ識別子、およびメタデータのシーケンス番号のうちの１つ以上を含んでいてもよい。ブロードキャストのためのメタデータの決定は、複数の多重周波数ブロードキャストネットワークのうちの特定のものに対するものであり、複数の多重周波数ブロードキャストネットワークのうちの１つ以上に対するメタデータパッケージを発生させることと、ブロードキャストのために、複数の多重周波数ブロードキャストネットワークのうちの１つ以上に対して、発生されたメタデータパッケージを送信することとを含んでいてもよい。代替的に、ブロードキャストのためのメタデータの決定は、複数の多重周波数ブロードキャストネットワークのそれぞれに対するものでもよく、ネットワークのそれぞれに対してそれぞれのメタデータパッケージを発生させることと、ブロードキャストのために、ネットワークのそれぞれに対して、発生されたそれぞれのメタデータパッケージを送信することを含むとしてもよい。
【００４８】
図７は、仮想ホームチャネルからの情報を使用して、効率的なサービスハンドオフを達成するために、移動体受信機デバイスによって実現され得る例示的な方法７０を図示している。方法７０では、ステップ７１において、受信機デバイスが、仮想ホームチャネルを獲得してもよく、この仮想ホームチャネルは、集約メタデータメッセージの形態でブロードキャストしてもよい。ステップ７２において、受信機デバイスが、近接ネットワークまたはマーケットに対するメタデータを取得する。受信機デバイスが、メタデータと、取得されるメタデータの部分とを取得する態様は、ブロードキャストシステム中で実現される特定の実施形態に依存するだろう。ステップ７３において、近接マーケットに対する取得したメタデータを使用して、移動体受信機デバイスは、ハンドオフの達成に備えてハンドオフテーブルと他の情報とを準備してもよい。移動体受信機デバイスは、その後、時間期間内に生じる獲得失敗の数をカウントするような、受信品質の監視を行い、近接ネットワークまたは送信機へのハンドオフをいつ達成すべきかを決定してもよい、決定ステップ７４。ステップ７５において、十分な獲得失敗を経験して、ハンドオフを達成すべきことを示す（すなわち、決定ステップ７４＝「はい」の）とき、移動体受信機デバイスは、メタデータから取得した情報を使用してハンドオフを達成することができる。上記でリストアップした米国特許出願において、多重周波数ネットワーク中でハンドオフを準備して実施する方法を開示している。
【００４９】
この方法７０において、受信機デバイスが、別の多重周波数ブロードキャストネットワークに対するメタデータを使用して、例えば、受信したメタデータが、ローカル多重周波数ブロードキャストネットワークから受信したメタデータに類似しているか否かを決定するなどによって、マーケット中の複数のネットワークとは異なるネットワークを選択してもよい。受信したメタデータが、ローカル多重周波数ブロードキャストネットワークから受信したメタデータに類似しているときに、同じまたは類似したコンテンツに対する暗黙的ハンドオフを達成することができる。ステップ７３では、受信機デバイスが、他の多重周波数ブロードキャストネットワークに対するメタデータを使用して、そのネットワークへのハンドオフを実行する準備をしてもよい。他の多重周波数ブロードキャストネットワークに対するメタデータを使用して、他の多重周波数ブロードキャストネットワークを受信することと、他の多重周波数ブロードキャストネットワークからのメタデータブロードキャストを受信することと、他の多重周波数ブロードキャストネットワークから受信したメタデータブロードキャストを使用して、マーケット中の複数のネットワークから異なるネットワークを選択することとによって、このハンドオフを実行してもよい。この選択は、類似したサービスメタデータをブロードキャストする、マーケット中の複数のネットワークのうちの１つを選択することを含んでいてもよい。
【００５０】
受信機デバイスは、他の多重周波数ブロードキャストネットワークから受信したメタデータブロードキャストを使用して、多数の方法で異なるネットワークを選択してもよい。１つの方法では、受信機デバイスは、マーケット中の複数のネットワークのうちの１つを選択してもよく、マーケット中の複数のネットワークのうちの１つに対するブロードキャストメタデータは、現在受信されているコンテンツの一意的なコンテンツ識別子と一致する、一意的なコンテンツ識別子を含む。別の方法では、受信機デバイスは、マーケット中の複数のネットワークのうちの１つを選択してもよく、マーケット中の複数のネットワークの１つに対するブロードキャストメタデータは、ローカル多重周波数ブロードキャストネットワークのからのサービスデータ、および、ローカル多重周波数ブロードキャストネットワークのからの多重化の詳細のうちの１つ、または、両方と正確に一致する。別の方法では、受信機デバイスは、マーケット中の複数のネットワークのうちの１つを選択してもよく、マーケット中の複数のネットワークの１つに対するブロードキャストメタデータは、ローカル多重周波数ブロードキャストネットワークのものと一致する物理レイヤコンフィギュレーションのプロビジョニングを含む。別の方法では、受信機デバイスは、マーケット中の複数のネットワークのうちの１つを選択してもよく、マーケット中の複数のネットワークの１つに対するブロードキャストメタデータは、受信機デバイスが受信することができる物理レイヤレイヤコンフィギュレーションのプロビジョニングを含む。別の方法では、受信機デバイスは、現在受信されているコンテンツをブロードキャストするマーケット中の複数のネットワークのうちの１つを選択してもよく、マーケット中の複数のネットワークの１つに対するブロードキャストメタデータは、受信機デバイスが受信することができる物理レイヤコンフィギュレーションのプロビジョニングを含む。受信したメタデータブロードキャストを使用することにより、受信機デバイスが、より早い電源投入獲得と、信号の損失状態からのより早い回復とを達成することが可能になる。
【００５１】
図８は、別の例示的な実施形態の方法８０を図示しており、この別の例示的な実施形態の方法８０により、ネットワーク実施形態において、移動体受信機デバイスがハンドオフを実施することができる。このネットワーク実施形態では、仮想ホームチャネル中で、近接ネットワークメタデータの一部分のみを提供する。方法８０では、ステップ８１において、受信機デバイスが仮想ホームチャネルを獲得してもよく、この仮想ホームチャネルは集約メタデータメッセージの形態でブロードキャストしてもよい。ステップ８２において、受信機デバイスが、近接ネットワークまたはマーケットに対するメタデータを取得する。移動体受信機デバイスは、その後、時間期間内に生じる獲得失敗の数をカウントするような、受信品質の監視を行い、近接ネットワークまたは送信機へのハンドオフを達成すべきであるときを決定してもよい、決定ステップ８３。十分な獲得失敗を経験して、ハンドオフを達成すべきことを示す（すなわち、決定ステップ８３＝「はい」の）とき、ステップ８４において、移動体受信機デバイスが、近接マーケットのコアネットワークにアクセスして、そのフルなメタデータセットを取得してもよい。ステップ８５において、移動体受信機デバイスが、その後、コアネットワークからのフルなメタデータセットを使用して、ハンドオフテーブルを準備し、ハンドオフを達成するのに必要な他の情報を取得して、ステップ８６において、ハンドオフを通常の様態で達成してもよい。
【００５２】
要約すると、さまざまな実施形態は、移動体ＴＶデバイスに対する発見およびハンドオフを簡単にするための方法を提供し、この方法は、単一の周波数ネットワーク上位レイヤに依存しない仮想ホームチャネルを使用する。利用可能な上位通信レイヤがないエリアをサポートするために、または、単一の周波数ネットワークにおける共通のデータ帯域幅のいずれかの部分の負担を軽減するために、単一の周波数ネットワーク上位レイヤとともに、この能力を使用してもよい。例えば、単一の周波数ネットワークは、多重周波数ネットワークに対する周波数データしか、または、包括的なマーケットのメタデータを用いるネットワークに対する周波数データしか伝えなくてもよい。さまざまな実施形態は、すべての参加送信機またはネットワーク上のコアマーケットのメタデータを、または、マーケットエリアのカバレッジを達成するメタデータのサブセットを伝えるネットワークによって、仮想ホームチャネルの生成を提供する。メタデータは、周波数のリスト、番組ガイドデータ、加入可能なサービス、データダウンロードスケジュール等を含んでいてもよい。
【００５３】
タウンロード自体のためにではないが、番組ガイドのケースを除いて、メンバーに対して、File Delivery over Undirectional Transport（ＦＬＵＴＥ）プロトコルを、または、ＦＬＵＴＥ／ＡＬＣファイル転送アプリケーションを使用して、メタデータをブロードキャストしてもよい。実施形態では、メタデータは、ハンドオフプロセスを促進するために、送信機の「特色」またはグループ識別子を含んでいてもよい。
【００５４】
実施形態では、メタデータは、送信機ネットワークによってメタデータを伝えるための、シーケンス番号と実効時間とを含んでいてもよい。さまざまな実施形態では、さまざまな方法でメタデータを集約してもよく、このメタデータは、すべてのネットワークに対するすべてのメタデータ、近接ネットワークおよびマーケットのみに対するメタデータ、他のマーケットおよびネットワークに対する部分的メタデータ、近接マーケットおよびネットワークに対する部分的メタデータを含む。近接マーケットおよびネットワークのこの決定は、距離とブロードキャストカバレッジエリアサイズおよび形状とのような地理的情報に基づいていてもよい。
【００５５】
すべてのネットワークおよびマーケット参加者からメタデータを収集および受信し、メタデータを特定の集約メタデータパッケージ（例えば、ネットワーク中で実現される実施形態に依存しているメタデータのフルおよび部分的なセット）にコンパイルして、メタデータパッケージをネットワークおよびマーケット参加者に再分配するために、中央集約サーバを提供してもよい。先に述べたように、中央集約サーバは、参加ネットワークのうちの１つ以上によって管理されてもよく、または、参加ネットワークに関連のない第三者によって管理されてもよい。別の実施形態では、メタデータを集約する機能は、参加者の間で分散させてもよく、参加ネットワークおよびマーケットは、メタデータを交換して、共有または共通ルールを使用して、メタデータパッケージ(例えば、ネットワーク中で実現される実施形態に依存しているメタデータのフルおよび部分的なセット）を生成させる。
【００５６】
実施形態では、隣接しているネットワークまたはマーケットに対するメタデータの限定されたサブセットをブロードキャストしてもよく、このメタデータの限定されたサブセットは、現在のマーケットに対するメタデータを詳述する周波数のリストと、近接マーケットからの選択的な共通メタデータと、近接マーケットに対するメタデータを持つ周波数のリストと、受信機デバイスがメタデータセット全体を受信し得る、近接マーケット中のコア送信機に対するメタデータとを含んでいてもよい。
【００５７】
実施形態は、類似したサービスメタデータが存在する単一のマーケット内で、および、類似したサービスメタデータが存在するマーケット間で、同じまたは類似したコンテンツへの暗黙的ハンドオフを実行するための手段を提供してもよい。実施形態は、サービスデータおよび／または多重化の詳細の正確な一致が存在するときには共通のマーケット内で、ならびに、サービスデータおよび／または多重化の詳細の正確な一致が存在するときには２つのマーケット間で、一意的なコンテンツ識別子を使用して、同じコンテンツへの明示的ハンドオフを実行するための手段を提供してもよい。
【００５８】
実施形態は、移動体の受信に十分なタイムスロットの構成についてのデータを含む物理レイヤコンフィギュレーション情報の通信に対するプロビジョンを含む。これは、（例えば、プロビジョニングまたはブロードキャストすることによって）、潜在的な並行受信の知識を、または、ハンドオフ候補の少なくとも部分的な受信を、受信機デバイスに提供することを含んでいてもよい。これにより、受信機デバイスによるハンドオフ候補ネットワークの適正の評価が可能になる。さらなる実施形態は、特定の多重化またはサービスの、開始位置と持続期間とを宣言することを含んでいてもよい。
【００５９】
さらなる実施形態は、複数のネットワーク上での同じサービスまたはメタデータの並行受信を可能にするようにサイクル方式で開始時間をずらすことを含んでいてもよい。これは、実際のサイクルパターンの選択の際に複数のサービスをスキップすることを含むとしてもよく、時間的ドメインにおいて、特に、オーバーラップしているブロードキャストカバレッジエリアを持つネットワーク間で、サービスオーバーラップの可能性を減少させるために使用される。さらなる実施形態は、マーケットメンバーシップの識別を含んでいてもよい。
【００６０】
さらなる実施形態は、仮想ホームチャネルのメタデータ内に、ブロードキャスト波形をエンコードするために送信機によって使用される物理レイヤパラメータの通信のためのプロビジョニングを含んでいてもよい。近接送信機に対して、このような物理レイヤパラメータを通信してもよく、ネットワーク間およびネットワーク内でこのような情報を提供してもよい。実施形態では、受信デバイスは、仮想ホームチャネルのメタデータで指定された物理レイヤパラメータを使用して、所望のコンテンツに対する、近接ネットワークの適正を決定することができる。
【００６１】
図９は、コンテンツ配信システムのさまざまなインプリメンテーションにおいて使用するのに適した集約器サーバ９０の１つのインプリメンテーションを図示している。例えば、さまざまな実施形態によると、サーバ９０は、集約センター２００におけるメタデータ集約コンピュータとして、または、個々の送信機で共有されているルールにしたがってメタデータを発生させるためのプロセッサとして、使用することができる。サーバ９０は、処理ロジック９７と、リソースおよびインターフェース９６と、トランシーバロジック９４とを備えていてもよく、これらすべては、内部データバス９１に結合されている。サーバ９０はまた、アクティブ化ロジック９８と、メタデータ記憶装置９２と、メタデータ集約器ロジック９３も備えていてもよく、これらもまた、データバス９１に結合されている。
【００６２】
さまざまなインプリメンテーションにしたがうと、処理ロジック９７は、ＣＰＵ、プロセッサ、ゲートアレイ、ハードウェアロジック、メモリエレメント、仮想機械、ソフトウェア、および／またはハードウェアおよびソフトウェアの任意の組み合わせを含んでいてもよい。したがって、処理ロジック９７は、プロセッサ実行可能な命令を実行し、内部データバス９１を通して、サーバ９０の１つ以上の他の機能エレメントを制御するためのロジックを含むことができる。
【００６３】
リソースおよびインターフェース９６は、内部システムおよび外部システムとサーバ９０とが通信することを可能にする、ハードウェアおよび／またはソフトウェアエレメントを備えていてもよい。例えば、内部システムは、大容量記憶システム、メモリ、ディスプレイドライバー、モデム、または他の内部デバイスリソースを含んでいてもよい。外部システムは、ユーザーインターフェースデバイス、プリンタ、ディスクドライブ、あるいは他のローカルデバイスまたはシステムを含んでいてもよい。
【００６４】
トランシーバロジック９４は、通信チャネル９５を使用して、遠隔デバイスまたはシステムで、データおよび／または他の情報をサーバ９０が送信および受信することを可能にするように動作することができる、ハードウェア、ソフトウェア、および／または他のロジックを含んでいてもよい。例えば、さまざまなインプリメンテーションでは、通信チャネル９５は、データネットワークおよび／またはインターネットとサーバ９０が通信することを可能にするための、何らかの適したタイプの通信リンクを含んでいてもよい。
【００６５】
アクティブ化ロジック９８は、ＣＰＵ、プロセッサ、ゲートアレイ、ハードウェアロジック、メモリエレメント、仮想機械、ソフトウェア、および／または、ハードウェア、ソフトウェア、データおよび／または他のリソースのうちの任意の組み合わせ、を含んでいてもよい。アクティブ化ロジック９８は、サーバ９０を許可するように内部および／または外部プロセッサまたはデバイスをアクティブ化するように、および／または、他のネットワークおよびマーケットからのメタデータを選択および受信するように動作してもよい。さまざまなインプリメンテーションでは、アクティブ化ロジック９８は、アクティブ化プロセスの間に、クライアントプログラム９９をサーバおよび／またはデバイスに送信することができる。クライアントプログラム９８は、他のネットワークおよびマーケットからのメタデータを受信するようにサーバ９０上で実行することができる。したがって、アクティブ化ロジック９８は、他のサーバが提供するメタデータを認証するように、および、メタデータ記憶装置９２内の記憶のために、受信したメタデータをダウンロードするように動作することができる。
【００６６】
メタデータ記憶装置９２は、何らかの適したフォーマットで集約メタデータパッケージを発生させる際に使用するのに適したメモリ中にデータ記憶装置を備えていてもよい。例えば、メタデータ記憶装置９２は、サーバ９０のローカルメモリ中に記憶されていてもよく、他のネットワークおよびマーケットから受信したメタデータ、他のネットワークおよびマーケットから受信した地理的およびカバレッジエリア情報、または、他のネットワークおよびマーケットに関して前もって記憶されている地理的およびカバレッジエリア情報、集約ルール、および／または他の何らかのタイプの関連情報を含んでいてもよい。
【００６７】
メタデータ集約器ロジック９３は、トランシーバロジック９４を通しての、参加ネットワークおよびマーケットへの送信のために、集約されたメタデータパッケージを発生させるように動作する、コンピュータハードウェアおよび／またはソフトウェアを含んでいてもよい。メタデータ集約器ロジック９３は、さまざまな実施形態において記述したような、特定のネットワークおよびマーケットへの送信に適した集約されたメタデータパッケージを発生させるための集約ルールと組み合わせて、メタデータ記憶装置９２からアクセスされる参加ネットワークおよびマーケットからのデータを使用してもよい。
【００６８】
さまざまなインプリメンテーションでは、一時的でないコンピュータ読み取り可能記憶媒体上に記憶されているプログラム命令にしたがった自動処理で、集約メタデータメッセージの発生および配信を達成することができ、このプログラム命令は、プロセッサ１９１によって、例えば、処理ロジック９７および／またはメタデータ集約器ロジック９３によって実行されるときに、ここ記述した、サーバ９０の機能を提供することができる。例えば、プログラム命令は、フロッピー（登録商標）ディスク、ＣＤＲＯＭ、メモリカード、ＦＬＡＳＨメモリデバイス、ＲＡＭ、ＲＯＭ、あるいは、リソース９６を通してサーバ９０とインターフェースできる、他の何らかのタイプのメモリデバイスまたはコンピュータ読み取り可能媒体のような、一時的でないコンピュータ読み取り可能記憶媒体からサーバ９０にロードされてもよい。さまざまなインプリメンテーションでは、命令は、外部の一時的でない記憶デバイスから、または、トランシーバロジック９５を通してサーバ９０にインターフェースするネットワークリソースから、サーバ９０にダウンロードすることができる。
【００６９】
集約器サーバ９０は、図１０中に図示されているサーバ９０のような、さまざまな汎用コンピュータ、または、遠隔サーバデバイスのうちの何らかのもので実現してもよい。このようなサーバ９０は、典型的に、揮発性メモリ１４２と、ディスクドライブ１４３のような大容量不揮発性メモリとに結合されているプロセッサ１４１を備えている。サーバ９０はまた、プロセッサ１４１に結合されているフロッピーディスクドライブおよび／またはコンパクトディスク（ＣＤ）ドライブ１４６も備えていてもよい。サーバ９０はまた、インターネットのようなネットワーク１４５と通信するするための、プロセッサ１４１に結合されているネットワークアクセスポート１４４も備えていてもよい。
【００７０】
さまざまな実施形態とともに使用するのに適した典型的な移動体デバイス１０は、図１１中に図示されているコンポーネントと共通しているだろう。例えば、例示的な移動体デバイス１０は、内部メモリ１９２と、ディスプレイ１９３と、スピーカー１９９とに結合されているプロセッサ１９１を備えていてもよい。加えて、移動体デバイス１０は、ワイヤレスデータリンクに接続されている、および／または、プロセッサに結合されているセルラ電話機トランシーバ１９５に接続されている、電磁波放射を送信および受信するためのアンテナ１９４を有していてもよい。いくつかのインプリメンテーションでは、エアインターフェースが、ワイヤレスデータリンクを通してデータインターフェースを提供するので、セルラ電話機通信に使用される、トランシーバ１９５、ならびにプロセッサ１９１およびメモリ１９２部分は、まとめて、エアインターフェースと呼ばれる。移動体デバイスは、典型的に、ユーザ入力を受け取るための、キーパッド１９６または小型キーボード、および、メニュー選択ボタンまたはロッカースイッチ１９７も備えている。
【００７１】
プロセッサ１９１、１４１は、ここで記述したさまざまな実施形態の機能を含むさまざまな機能を実行するようにソフトウェア命令（アプリケーション）によって構成することができる、任意のプログラマブルマイクロプロセッサ、マイクロコンピュータまたは１つ以上の多重プロセッサチップであってもよい。いくつかの移動体デバイスでは、ワイヤレス通信機能専用の１つのプロセッサ、および、他のアプリケーションのランに専用の１つのプロセッサのような、複数のプロセッサ１９１、１４１が提供されてもよい。典型的に、ソフトウェアアプリケーションは、プロセッサ１９１、１４１にアクセスおよびロードされる前に、内部メモリ１９２、１４２中に記憶してもよい。いくつかの移動体デバイスおよびサーバでは、プロセッサ１９１、１４１は、アプリケーションソフトウェア命令を記憶させるのに十分な内部メモリを備えていてもよい。移動体デバイス１０はまた、さまざまな実施形態にしたがった、電子財布におけるような、クレジット、トークンおよびクーポンに関連する情報を記憶しているようなスマートカードのような別個のメモリチップ１９０を備えていてもよい。いくつかの移動体デバイスでは、安全なメモリは、プロセッサ１９１に結合されている別個のメモリチップ中のものであってもよい。多くの移動体デバイス１０およびサーバ９０では、内部メモリ１９２、１４２は、揮発性またはフラッシュメモリのような不揮発性メモリ、あるいは、双方の混合であってもよい。この説明の目的のために、メモリに対する一般参照は、プロセッサ１９１、１４２によってアクセス可能なメモリすべてを参照し、このメモリは、内部メモリ１９２、１４２、メモリチップ１９０、移動体デバイスまたはサーバにプラグ接続されているリムーバルメモリ、およびプロセッサ１９１、１４２自体内のメモリを含む。
【００７２】
電源投入において、または、信号損失のケースにおいて使用するために、隣接リスト情報と、物理レイヤメタデータとを提供するために、さまざまな実施形態も適用してもよく、より早い、サービスの利用可能性および再獲得を可能にするだろう。言い換えると、この実施形態を通して、複数のネットワークおよびマーケットに対する周波数マップまたはリスト、複数のネットワークおよびマーケットに対する物理レイヤメタデータ、隣接リスト、および他のメタデータの、ブロードキャストも使用してもよく、これにより、より早い電源投入獲得と、信号の損失状態からのより早い回復とが可能になる。
【００７３】
先述の方法の記述およびプロセスフロー図は、説明のための例として提供しているに過ぎず、提示した順序で、さまざまな実施形態のステップを実行すべきであることを要求または意味することを意図しているわけではない。当業者によって正しく認識されるように、先述の実施形態のステップの順序は、任意の順序で実行してもよい。「その後に」、「その後」、「次」等のようなワードは、ステップの順序を限定することを意図しているわけではない；これらのワードは、単に、方法の記述を通して、読み手を導くために使用するものである。さらに、例えば、冠詞「ａ」、「ａｎ」、または「ｔｈｅ」を使用しての、単数形での請求項の要素に対する何らかの参照は、要素を単数に限定すると解釈すべきではない。
【００７４】
ここで開示した実施形態に関連して記述した、さまざまな例示的な論理ブロック、モジュール、回路、およびアルゴリズムステップは、電子ハードウェア、コンピュータソフトウェア、または両方のものを組み合わせたものとして実現してもよい。ハードウェアおよびソフトウェアのこの互換性を明確に図示するために、一般的に、これらの機能性の観点で、さまざまな例示的なコンポーネント、ブロック、モジュール、回路、およびステップを上記で記述した。この機能性が、ハードウェアまたはソフトウェアとして実現されるか否かは、システム全体に課せられている、特定のアプリケーションおよび設計制約に依存する。熟練者が、それぞれの特定のアプリケーションの方法を変えて、記述した機能性を実現するかもしれないが、このようなインプリメンテーションの決定は、本発明の範囲から逸脱を生じさせるとして解釈されるべきでない。
【００７５】
ここで開示した態様に関連して記述した、さまざまな例示的な、論理、論理ブロック、モジュール、および回路を実現するために使用されるハードウェアは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。代替的に、所定の機能に特有である回路によって、何らかのステップまたは方法を実行してもよい。
【００７６】
１つ以上の例示的な態様では、記述した機能は、ハードウェア、ソフトウェア、ファームウェア、またはこれらの任意の組み合わせ中で実現してもよい。ソフトウェア中で実現した場合、機能は、一時的でないコンピュータ読み取り可能記憶媒体上で、または、プロセッサ読み取り可能記憶媒体上で、１つ以上のコンピュータ実行可能な命令またはコードとして、あるいは、プロセッサ実行可能な命令またはコードとして記憶してもよい。ここで開示した方法またはアルゴリズムのステップは、一時的でないコンピュータ読み取り可能記憶媒体上に存在し得る、実行されるプロセッサ実行可能なソフトウェアモジュールで具現化されてもよい。一時的でないコンピュータ読み取り可能な記憶媒体およびプロセッサ読み取り可能な記憶媒体は、任意の形態のコンピュータ記憶媒体を含む。一時的でない記憶媒体は、コンピュータまたはプロセッサによってアックセスされ得る何らかの利用可能な媒体であってもよい。例示によると、このような一時的でないコンピュータ読み取り可能媒体は、ＲＡＭ、ＲＯＭ、ＥＥＰＲＯＭ、ＣＤ−ＲＯＭ、または他の光ディスク記憶デバイス、磁気ディスク記憶デバイスまたは他の磁気記憶デバイス、あるいは命令またはデータ構成の形態で所望のプログラムコードを伝送または記憶するために使用でき、そしてコンピュータによってアクセスできる他の何らかの媒体を含んでいてもよいが、これらに限定されない。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピーディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記のものを組み合わせたものもまた、一時的でないコンピュータ読み取り可能記憶媒体およびプロセッサ読み取り可能記憶媒体の範囲内に含められるべきである。加えて、方法またはアルゴリズムの動作は、一時的でないコンピュータ読み取り可能記憶媒体およびプロセッサ読み取り可能記憶媒体上で、コードおよび／または命令のうちの１つ、あるいは、コードおよび／または命令の任意の組み合わせとして、あるいは、コードおよび／または命令セットとして存在していてもよく、これらは、コンピュータプログラムプロダクトの中に組み込まれていてもよい。
【００７７】
開示した実施形態の先述の説明は、当業者が、本発明を作ることができるように、または、使用できるように提供されている。これらの実施形態に対するさまざまな修正は、当業者に容易に明らかになるであろう。また、ここで規定されている一般的な原理は、この発明の範囲から逸脱することなく、他の実施形態に適用されてもよい。したがって、本発明は、ここに示した実施形態に限定されることを意図しているものではないが、以下の特許請求の範囲、および、ここで開示した原理および新規な特徴と矛盾しない最も広範囲に一致させるべきである。
【図１】
2013512622.tif 000003
【図２Ａ】
2013512622.tif 000004
【図２Ｂ】
2013512622.tif 000005
【図３】
2013512622.tif 000006
【図４】
2013512622.tif 000007
【図５】
2013512622.tif 000008
【図６】
2013512622.tif 000009
【図７】
2013512622.tif 000010
【図８】
2013512622.tif 000011
【図９】
2013512622.tif 000012
【図１０】
2013512622.tif 000013
【図１１】
2013512622.tif 000014
【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
複数の多重周波数ブロードキャストネットワークに対するブロードキャストメタデータを通信する方法において、
前記複数の多重周波数ブロードキャストネットワークのそれぞれに対するメタデータを受信することと、
仮想ホームチャネルを提供するために、前記複数の多重周波数ブロードキャストネットワークのうちのローカルのものに対する、および、前記複数の多重周波数ブロードキャストネットワークのうちの少なくとも１つの他のものから受信したメタデータの少なくとも一部分に対するメタデータ、をブロードキャストすることとを含む方法。
【請求項２】
前記複数の多重周波数ブロードキャストネットワークのうちのローカルのものは、地理的エリアのマーケット内にあり、ローカルコンテンツを伝える請求項１記載の方法。
【請求項３】
前記メタデータは、File Delivery over Undirectional Transport（ＦＬＵＴＥ）プロトコルを使用してブロードキャストされる請求項１記載の方法。
【請求項４】
メタデータは、時間的ドメインのサービスのオーバーラップを減少させるように設定されているずらされたサイクリックパターンにしたがって、前記複数の多重周波数ブロードキャストネットワークによってブロードキャストされる請求項１記載の方法。
【請求項５】
物理レイヤにおいてサポートされているような潜在的な受信を評価するために、受信機デバイスによって前記メタデータブロードキャストを使用することができるように、前記複数の多重周波数ブロードキャストネットワークの間で、メタデータブロードキャストを時間的に同期させる請求項１記載の方法。
【請求項６】
複数の異なるネットワークからの同じサービスを受信機デバイスが評価できるように、前記同期させたメタデータブロードキャストもずらす請求項５記載の方法。
【請求項７】
４つの時間的フェーズに関して、前記メタデータブロードキャストをずらす請求項６記載の方法。
【請求項８】
時間的ドメインのサービスのオーバーラップを減少させるために、前記複数の多重周波数ブロードキャストネットワークのうちの近接しているものの間で、コンテンツのブロードキャストをずらし、
前記メタデータブロードキャストは、受信機デバイスが前記コンテンツブロードキャストを受信することを可能にするために、前記時間的にずらすことについての情報を提供する請求項１記載の方法。
【請求項９】
前記メタデータのブロードキャストは、より速い電源投入獲得と、信号の損失状態からのより速い回復とを、受信機デバイスが達成することを可能にするように構成されている請求項１記載の方法。
【請求項１０】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
ブロードキャストされるべきである前記複数の多重周波数ブロードキャストネットワークから受信した前記メタデータの部分を決定することをさらに含む請求項１記載の方法。
【請求項１１】
データレポジトリは、前記複数の多重周波数ブロードキャストネットワークのうちの１つ以上によって管理される請求項１０記載の方法。
【請求項１２】
データレポジトリは、前記複数の多重周波数ブロードキャストネットワークのうちの任意のものに関係しない第三者によって管理される請求項１０記載の方法。
【請求項１３】
ブロードキャストされるべき受信したメタデータの前記決定された部分は、前記受信したメタデータのすべてを実質的に含む請求項１０記載の方法。
【請求項１４】
ブロードキャストされるべき受信したメタデータの前記決定された部分は、前記受信したメタデータのサブセットを含む請求項１０記載の方法。
【請求項１５】
ブロードキャストされるべき受信したメタデータの前記決定された部分は、マーケット内のすべてのネットワークに対するすべてのメタデータの少なくとも一部分をブロードキャストする前記マーケット内の特定のネットワークに対するメタデータを含む請求項１０記載の方法。
【請求項１６】
前記複数の多重周波数ブロードキャストネットワークのうちの１つ以上によってブロードキャストされるべきである前記複数の多重周波数ブロードキャストネットワークから受信した前記メタデータの部分を決定することは、前記複数のブロードキャストネットワークのうちの１つ以上内の受信エリアに基づいて、ブロードキャストされるべきである前記受信したメタデータの部分を決定することを含む請求項１０記載の方法。
【請求項１７】
ブロードキャストされるべき受信したメタデータの前記決定された部分は、前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含む請求項１０記載の方法。
【請求項１８】
前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む請求項１０記載の方法。
【請求項１９】
前記ローカルのもの前記複数の多重周波数ブロードキャストネットワークの前記カバレッジエリアに近接して位置付けられているブロードキャストカバレッジエリアを持つ多重周波数ブロードキャストネットワークは、前記複数の多重周波数ブロードキャストネットワークのうちのローカルのものと、前記複数の多重周波数ブロードキャストネットワークのうちの他のものとの間の距離に基づいて識別される請求項１８記載の方法。
【請求項２０】
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものは、前記複数の多重周波数ブロードキャストネットワークのブロードキャストカバレッジエリアの形状に基づいてさらに決定される請求項１９記載の方法。
【請求項２１】
ブロードキャストされるべき受信したメタデータの前記決定された部分は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択される請求項１０記載の方法。
【請求項２２】
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む請求項１記載の方法。
【請求項２３】
前記複数の多重周波数ブロードキャストネットワークのうちの１つ以上に対するメタデータパッケージを発生させることは、前記複数の多重周波数ブロードキャストネットワークの少なくともサブセットに対する複数のメタデータパッケージを発生させることを含む請求項２２記載の方法。
【請求項２４】
前記複数のメタデータパッケージのうちの１つ以上は、前記複数の多重周波数ブロードキャストネットワークから受信した前記メタデータのサブセットを含む請求項２３記載の方法。
【請求項２５】
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む請求項１記載の方法。
【請求項２６】
前記複数の多重周波数ブロードキャストネットワークのそれぞれに対する各メタデータパッケージを発生させることは、メタデータのＮ個のサブセットを含むメタデータパッケージを発生させることを含む請求項２５記載の方法。
【請求項２７】
前記複数の多重周波数ブロードキャストネットワークのそれぞれに対するメタデータを受信することは、前記複数の多重周波数ブロードキャストネットワークのうちのローカルのものにおける前記複数の多重周波数ブロードキャストネットワークのそれぞれから、前記メタデータを受信することを含み、
前記方法は、
前記複数の多重周波数ブロードキャストネットワークから受信した前記メタデータにルールのセットを適用して、前記複数の多重周波数ブロードキャストネットワークのうちのローカルのものによってブロードキャストされるべき前記受信したメタデータの一部分を決定することをさらに含む請求項１記載の方法。
【請求項２８】
前記複数の多重周波数ブロードキャストネットワークのうちのローカルのものにおける前記複数の多重周波数ブロードキャストネットワークのそれぞれに対する前記メタデータを受信することは、データネットワークから前記メタデータを受信することと、前記複数の多重周波数ブロードキャストネットワークのうちの１つ以上のブロードキャスト送信から前記メタデータを受信することと、のうちの１つを含む請求項２７記載の方法。
【請求項２９】
コンピュータにおいて、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対する、メタデータを前記多重周波数ブロードキャストネットワークにブロードキャストさせることとを含む動作を実行するための、コンピュータ実行可能なソフトウェア命令を有するように構成され、多重周波数ブロードキャストネットワークに結合されているコンピュータ。
【請求項３０】
前記多重周波数ブロードキャストネットワークは、地理的エリアのマーケット内にあり、ローカルコンテンツをブロードキャストする請求項２９記載のコンピュータ。
【請求項３１】
前記コンピュータは、File Delivery over Undirectional Transport（ＦＬＵＴＥ）プロトコルを使用して前記メタデータがブロードキャストされるように、コンピュータ実行可能なソフトウェア命令を有するように構成されている請求項２９記載のコンピュータ。
【請求項３２】
前記コンピュータは、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように、コンピュータ実行可能なソフトウェア命令を有するように構成されている請求項２９記載のコンピュータ。
【請求項３３】
前記コンピュータは、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるようにコンピュータ実行可能なソフトウェア命令を有するように構成されている請求項２９記載のコンピュータ。
【請求項３４】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項３３記載のコンピュータ。
【請求項３５】
前記コンピュータは、４つの時間的フェーズに関して前記メタデータブロードキャストをずらすようにコンピュータ実行可能なソフトウェア命令を有するように構成されている請求項３４記載のコンピュータ。
【請求項３６】
前記コンピュータは、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するようにコンピュータ実行可能なソフトウェア命令を有するように構成されている請求項２９記載のコンピュータ。
【請求項３７】
前記コンピュータは、前記メタデータのブロードキャストにより、より速い電源投入獲得と、信号の損失状態からのより速い回復とを受信機デバイスが達成することが可能になるようにコンピュータ実行可能なソフトウェア命令を有するように構成されている請求項２９記載のコンピュータ。
【請求項３８】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
ブロードキャストされるべきである前記複数の多重周波数ブロードキャストネットワークから受信した前記メタデータの部分を決定することをさらに含む動作を実行するための、コンピュータ実行可能なソフトウェア命令を有するように構成されている請求項２９記載のコンピュータ。
【請求項３９】
前記コンピュータは、前記複数の多重周波数ブロードキャストネットワークのうちの任意のものに関係しない第三者によって管理される請求項３８記載のコンピュータ。
【請求項４０】
前記コンピュータは、ブロードキャストされるべき受信したメタデータの前記決定された部分が、前記受信したメタデータのすべてを実質的に含むようにコンピュータ実行可能なソフトウェア命令を有するように構成されている請求項３８記載のコンピュータ。
【請求項４１】
前記コンピュータは、ブロードキャストされるべき受信したメタデータの前記決定された部分が、前記受信したメタデータのサブセットを含むようにコンピュータ実行可能なソフトウェア命令を有するように構成されている請求項３８記載のコンピュータ。
【請求項４２】
前記コンピュータは、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むようにコンピュータ実行可能なソフトウェア命令を有するように構成されている請求項３８記載のコンピュータ。
【請求項４３】
前記コンピュータは、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むようにコンピュータ実行可能なソフトウェア命令を有するように構成されている請求項３８記載のコンピュータ。
【請求項４４】
前記コンピュータは、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むようにコンピュータ実行可能なソフトウェア命令を有するように構成されている請求項３８記載のコンピュータ。
【請求項４５】
前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作を実行するための、コンピュータ実行可能なソフトウェア命令を有するように構成されている請求項２９記載のコンピュータ。
【請求項４６】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように、コンピュータ実行可能なソフトウェア命令を有するように構成されている請求項４５記載のコンピュータ。
【請求項４７】
前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように、コンピュータ実行可能なソフトウェア命令を有するように構成されている請求項４６記載のコンピュータ。
【請求項４８】
前記コンピュータは、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるようにコンピュータ実行可能なソフトウェア命令を有するように構成されている請求項３８記載のコンピュータ。
【請求項４９】
前記コンピュータは、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作を実行するためのコンピュータ実行可能なソフトウェア命令を有するように構成されている請求項３８記載のコンピュータ。
【請求項５０】
前記コンピュータは、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むようにコンピュータ実行可能なソフトウェア命令を有するように構成されている請求項４９記載のコンピュータ。
【請求項５１】
前記コンピュータは、前記複数のメタデータパッケージのうちの１つ以上が、前記複数の多重周波数ブロードキャストネットワークから受信した前記メタデータのサブセットを含むようにコンピュータ実行可能なソフトウェア命令を有するように構成されている請求項５０記載の方法。
【請求項５２】
前記コンピュータは、
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作を実行するためのコンピュータ実行可能なソフトウェア命令を有するように構成されている請求項２９記載のコンピュータ。
【請求項５３】
前記コンピュータは、前記複数の多重周波数ブロードキャストネットワークのそれぞれに対する各メタデータパッケージを発生させることが、メタデータのＮ個のサブセットを含むメタデータパッケージを発生させることを含むようにコンピュータ実行可能なソフトウェア命令を有するように構成されている請求項５２記載のコンピュータ。
【請求項５４】
前記コンピュータは、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作を実行するための、コンピュータ実行可能なソフトウェア命令を有するように構成されている請求項２９記載のコンピュータ。
【請求項５５】
前記コンピュータは、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むようにコンピュータ実行可能なソフトウェア命令を有するように構成されている請求項５４記載のコンピュータ。
【請求項５６】
多重周波数ブロードキャストネットワークに結合されているコンピュータにおいて、
複数の多重周波数ブロードキャストネットワークのそれぞれに対するメタデータを受信する手段と、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対するメタデータをブロードキャストする手段とを具備するコンピュータ。
【請求項５７】
前記多重周波数ブロードキャストネットワークは、地理的エリアのマーケット内にあり、ローカルコンテンツをブロードキャストする請求項５６記載のコンピュータ。
【請求項５８】
メタデータをブロードキャストする手段は、File Delivery over Undirectional Transport（ＦＬＵＴＥ）プロトコルを使用して、前記メタデータをブロードキャストする手段を備える請求項５６記載のコンピュータ。
【請求項５９】
前記複数の多重周波数ブロードキャストネットワークによるメタデータブロードキャストの時間的ドメインのサービスのオーバーラップを減少させるように設定されているずらされたサイクリックパターンにしたがって、前記メタデータを時々ブロードキャストする手段をさらに具備する請求項５６記載のコンピュータ。
【請求項６０】
物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、メタデータブロードキャストを同期させる手段をさらに具備する請求項５６記載のコンピュータ。
【請求項６１】
メタデータブロードキャストとメタデータブロードキャストを同期させる手段は、複数の異なる多重周波数ブロードキャストネットワークからの同じサービスを受信機デバイスが評価することを可能にするずらした態様でメタデータブロードキャストと、メタデータブロードキャストを同期させる手段を備える請求項６０記載のコンピュータ。
【請求項６２】
ずらした態様でメタデータブロードキャストとメタデータブロードキャストを同期させる手段は、４つの時間的フェーズに関してずらす、ずらした様態でメタデータブロードキャストと、メタデータブロードキャストを同期させる手段を備える請求項６１記載のコンピュータ。
【請求項６３】
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらし、
メタデータをブロードキャストする手段は、受信機デバイスが前記コンテンツブロードキャストを受信することを可能するために、前記時間的にずらすことについての情報を提供する前記メタデータをブロードキャストする手段を備える請求項５６記載のコンピュータ。
【請求項６４】
メタデータをブロードキャストする手段は、より速い電源投入獲得と、信号の損失状態からのより速い回復とを受信機デバイスが達成することを可能にする形態で前記メタデータをブロードキャストする手段を備える請求項５６記載のコンピュータ。
【請求項６５】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、
ブロードキャストされるべきである前記複数の多重周波数ブロードキャストネットワークから受信した前記メタデータの部分を決定する手段をさらに備える請求項５６記載のコンピュータ。
【請求項６６】
前記コンピュータは、前記複数の多重周波数ブロードキャストネットワークのうちの任意のものに関係しない第三者によって管理される請求項６５記載のコンピュータ。
【請求項６７】
ブロードキャストされるべき受信したメタデータの部分を決定する手段は、前記受信したメタデータのすべてを実質的にブロードキャストする手段を備える請求項６５記載のコンピュータ。
【請求項６８】
ブロードキャストされるべき受信したメタデータの部分を決定する手段は、前記受信したメタデータのサブセットをブロードキャストする手段を備える請求項６５記載のコンピュータ。
【請求項６９】
ブロードキャストされるべき受信したメタデータの部分を決定する手段は、マーケット内のすべてのネットワークに対するすべてのメタデータの少なくとも一部分をブロードキャストする前記マーケット内の特定のネットワークに対する、ブロードキャストされるべき受信したメタデータの部分を決定する手段を備える請求項６５記載のコンピュータ。
【請求項７０】
仮想ホームチャネルを提供するために、ブロードキャストされるべきである前記複数の多重周波数ブロードキャストネットワークから受信した前記メタデータの部分を決定する手段は、前記複数のブロードキャストネットワークのうちの１つ以上内の受信エリアに基づいて、ブロードキャストされるべきである前記受信したメタデータの部分を決定する手段を備える請求項６５記載のコンピュータ。
【請求項７１】
仮想ホームチャネルを提供するために、ブロードキャストされるべきである前記複数の多重周波数ブロードキャストネットワークから受信した前記メタデータの部分を決定する手段は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的にブロードキャストする手段を備える請求項６５記載のコンピュータ。
【請求項７２】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７３】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークと、前記複数の多重周波数ブロードキャストネットワークのうちの他のものとの間の距離に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７４】
前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記複数の多重周波数ブロードキャストネットワークのブロードキャストカバレッジエリアの形状に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える請求項５６記載のコンピュータ。
【請求項７５】
ブロードキャストされるべきである前記複数の多重周波数ブロードキャストネットワークから受信した前記メタデータの部分を決定する手段は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるメタデータを選択する手段を備える請求項６５記載のコンピュータ。
【請求項７６】
前記複数の多重周波数ブロードキャストネットワークのうちの特定のものによってブロードキャストされるべきである前記複数の多重周波数ブロードキャストネットワークから受信した前記メタデータの部分を決定する手段と、
前記複数の多重周波数ブロードキャストネットワークのうちの１つ以上に対するメタデータパッケージを発生させる手段と、
ブロードキャストのために、前記発生されたメタデータパッケージを前記複数の多重周波数ブロードキャストネットワークのうちの１つ以上に送信する手段とをさらに具備する請求項６５記載のコンピュータ。
【請求項７７】
前記複数の多重周波数ブロードキャストネットワークのうちの１つ以上に対するメタデータパッケージを発生させる手段は、前記複数の多重周波数ブロードキャストネットワークの少なくともサブセットに対する複数のメタデータパッケージを発生させる手段を備える請求項７６記載のコンピュータ。
【請求項７８】
前記複数の多重周波数ブロードキャストネットワークの少なくともサブセットに対する複数のメタデータパッケージを発生させる手段は、前記複数のメタデータパッケージのうちの１つ以上が、前記複数の多重周波数ブロードキャストネットワークから受信した前記メタデータのサブセットを含むように、前記複数の多重周波数ブロードキャストネットワークの少なくともサブセットに対する複数のメタデータパッケージを発生させる手段を備える請求項７７記載のコンピュータ。
【請求項７９】
前記複数の多重周波数ブロードキャストネットワークのそれぞれによってブロードキャストされるべきである前記複数の多重周波数ブロードキャストネットワークから受信した前記メタデータの部分を決定する手段と、
前記複数の多重周波数ブロードキャストネットワークのそれぞれに対する各メタデータパッケージを発生させる手段と、
ブロードキャストのために、前記複数の多重周波数ブロードキャストネットワークのそれぞれに前記発生された各メタデータパッケージを送信する手段とをさらに具備する請求項５６記載のコンピュータ。
【請求項８０】
ブロードキャストのために、前記複数の多重周波数ブロードキャストネットワークのそれぞれに前記発生された各メタデータパッケージを送信する手段は、メタデータのＮ個のサブセットを含むメタデータパッケージを発生させることを含む、前記複数の多重周波数ブロードキャストネットワークのそれぞれに対する各メタデータパッケージを発生させる手段を備える請求項７９記載のコンピュータ。
【請求項８１】
前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定する手段をさらに具備する請求項５６記載のコンピュータ。
【請求項８２】
前記複数の多重周波数ブロードキャストネットワークのそれぞれに対する前記メタデータを受信する手段は、データネットワークから前記メタデータを受信する手段と、前記複数の多重周波数ブロードキャストネットワークのうちの１つ以上のブロードキャスト送信から前記メタデータを受信する手段と、のうちの１つを備える請求項８１記載のコンピュータ。
【請求項８３】
一時的でないコンピュータ読み取り可能な記憶媒体において、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対するメタデータを前記多重周波数ブロードキャストネットワークにブロードキャストさせることとを含む動作を、多重周波数ブロードキャストネットワークに結合されているコンピュータに実行させるように構成されている、コンピュータ実行可能なソフトウェア命令がその上に記憶されている一時的でないコンピュータ読み取り可能な記憶媒体。
【請求項８４】
前記多重周波数ブロードキャストネットワークは、地理的エリアのマーケット内にあり、ローカルコンテンツをブロードキャストする請求項８３記載の一時的でないコンピュータ読み取り可能な記憶媒体。
【請求項８５】
前記記憶されているコンピュータ実行可能なソフトウェア命令は、File Delivery over Undirectional Transport（ＦＬＵＴＥ）プロトコルを使用して前記メタデータがブロードキャストされるように動作をコンピュータに実行させるように構成されている請求項８３記載の一時的でないコンピュータ読み取り可能な記憶媒体。
【請求項８６】
前記記憶されているコンピュータ実行可能なソフトウェア命令は、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように動作をコンピュータに実行させるように構成されている請求項８３記載の一時的でないコンピュータ読み取り可能な記憶媒体。
【請求項８７】
前記記憶されているコンピュータ実行可能なソフトウェア命令は、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるように動作をコンピュータに実行させるように構成されている請求項８３記載の一時的でないコンピュータ読み取り可能な記憶媒体。
【請求項８８】
前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている請求項８７記載の一時的でないコンピュータ読み取り可能な記憶媒体。
【請求項８９】
前記記憶されているコンピュータ実行可能なソフトウェア命令は、４つの時間的フェーズに関して前記メタデータブロードキャストをずらすように動作をコンピュータに実行させるように構成されている請求項８８記載の一時的でないコンピュータ読み取り可能な記憶媒体。
【請求項９０】
前記記憶されているコンピュータ実行可能なソフトウェア命令は、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するように動作をコンピュータに実行させるように構成されている請求項８３記載の一時的でないコンピュータ読み取り可能な記憶媒体。
【請求項９１】
前記記憶されているコンピュータ実行可能なソフトウェア命令は、前記メタデータのブロードキャストが、より速い電源投入獲得と、信号の損失状態からのより速い回復とを受信機デバイスが達成することを可能にするように動作をコンピュータに実行させるように構成されている請求項８３記載の一時的でないコンピュータ読み取り可能な記憶媒体。
【請求項９２】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、ブロードキャストされるべきである前記複数の多重周波数ブロードキャストネットワークから受信した前記メタデータの部分を決定することをさらに含む動作をコンピュータに実行させるように構成されている請求項８３記載の一時的でないコンピュータ読み取り可能な記憶媒体。
【請求項９３】
前記コンピュータは、前記複数の多重周波数ブロードキャストネットワークのうちの任意のものに関係しない第三者によって管理される請求項９２記載の一時的でないコンピュータ読み取り可能な記憶媒体。
【請求項９４】
前記記憶されているコンピュータ実行可能なソフトウェア命令は、ブロードキャストされるべき受信したメタデータの前記決定された部分が、前記受信したメタデータのすべてを実質的に含むように動作をコンピュータに実行させるように構成されている請求項９２記載の一時的でないコンピュータ読み取り可能な記憶媒体。
【請求項９５】
前記記憶されているコンピュータ実行可能なソフトウェア命令は、ブロードキャストされるべき受信したメタデータの前記決定された部分が、前記受信したメタデータのサブセットを含むように動作をコンピュータに実行させるように構成されている請求項９２記載の一時的でないコンピュータ読み取り可能な記憶媒体。
【請求項９６】
前記記憶されているコンピュータ実行可能なソフトウェア命令は、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むように動作をコンピュータに実行させるように構成されている請求項９２記載の一時的でないコンピュータ読み取り可能な記憶媒体。
【請求項９７】
前記記憶されているコンピュータ実行可能なソフトウェア命令は、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むように動作をコンピュータに実行させるように構成されている請求項９２記載の一時的でないコンピュータ読み取り可能な記憶媒体。
【請求項９８】
前記記憶されているコンピュータ実行可能なソフトウェア命令は、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むように動作をコンピュータに実行させるように構成されている請求項９２記載の一時的でないコンピュータ読み取り可能な記憶媒体。
【請求項９９】
前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作をコンピュータに実行させるように構成されている請求項８３記載の一時的でないコンピュータ読み取り可能な記憶媒体。
【請求項１００】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように動作をコンピュータに実行させるように構成されている請求項９９記載の一時的でないコンピュータ読み取り可能な記憶媒体。
【請求項１０１】
前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように動作をコンピュータに実行させるように構成されている請求項１００記載の一時的でないコンピュータ読み取り可能な記憶媒体。
【請求項１０２】
前記記憶されているコンピュータ実行可能なソフトウェア命令は、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるように動作をコンピュータに実行させるように構成されている請求項９２記載の一時的でないコンピュータ読み取り可能な記憶媒体。
【請求項１０３】
前記記憶されているコンピュータ実行可能なソフトウェア命令は、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作をコンピュータに実行させるように構成されている請求項９２記載の一時的でないコンピュータ読み取り可能な記憶媒体。
【請求項１０４】
前記記憶されているコンピュータ実行可能なソフトウェア命令は、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むように動作をコンピュータに実行させるように構成されている請求項１０３記載の一時的でないコンピュータ読み取り可能な記憶媒体。
【請求項１０５】
前記記憶されているコンピュータ実行可能なソフトウェア命令は、前記複数のメタデータパッケージのうちの１つ以上が、前記複数の多重周波数ブロードキャストネットワークから受信した前記メタデータのサブセットを含むように動作をコンピュータに実行させるように構成されている請求項１０４記載の一時的でないコンピュータ読み取り可能な記憶媒体。
【請求項１０６】
前記記憶されているコンピュータ実行可能なソフトウェア命令は、前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作をコンピュータに実行させるように構成されている請求項８３記載の一時的でないコンピュータ読み取り可能な記憶媒体。
【請求項１０７】
前記記憶されているコンピュータ実行可能なソフトウェア命令は、前記複数の多重周波数ブロードキャストネットワークのそれぞれに対する各メタデータパッケージを発生させることが、メタデータのＮ個のサブセットを含むメタデータパッケージを発生させることを含むように動作をコンピュータに実行させるように構成されている請求項１０６記載の一時的でないコンピュータ読み取り可能な記憶媒体。
【請求項１０８】
前記記憶されているコンピュータ実行可能なソフトウェア命令は、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作をコンピュータに実行させるように構成されている請求項８３記載の一時的でないコンピュータ読み取り可能な記憶媒体。
【請求項１０９】
前記記憶されているコンピュータ実行可能なソフトウェア命令は、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むように動作をコンピュータに実行させるように構成されている請求項１０８記載の一時的でないコンピュータ読み取り可能な記憶媒体。
【請求項１１０】
１つの多重周波数ブロードキャストネットワークから受信機デバイス中の別のものへのハンドオフを実施する方法において、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む方法。
【請求項１１１】
前記異なるネットワークは、前記別の多重周波数ブロードキャストネットワークである請求項１１０記載の方法。
【請求項１１２】
別の多重周波数ブロードキャストネットワークに対する前記メタデータを使用して、マーケット中の複数のネットワークから前記異なるネットワークを選択することをさらに含む請求項１１０記載の方法。
【請求項１１３】
受信したメタデータが、前記ローカル多重周波数ブロードキャストネットワークから受信したメタデータに類似しているか否かを決定することをさらに含み、
前記異なるネットワークへの前記ハンドオフを達成することは、前記受信したメタデータが前記ローカル多重周波数ブロードキャストネットワークから受信したメタデータに類似しているときに、同じまたは類似したコンテンツへの暗黙的なハンドオフを達成することを含む請求項１１０記載の方法。
【請求項１１４】
前記受信機デバイスは、前記受信したメタデータブロードキャストを使用して、より速い電源投入獲得と、信号損失の状態からのより速い回復とを達成する請求項１１０記載の方法。
【請求項１１５】
前記別の多重周波数ブロードキャストネットワークに対する前記メタデータを使用して、そのネットワークへのハンドオフを実行する準備をすることは、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含む請求項１１０記載の方法。
【請求項１１６】
前記別の多重周波数ブロードキャストネットワークから受信した前記メタデータブロードキャストを使用して、マーケット中の複数のネットワークから前記異なるネットワークを選択することは、類似したサービスメタデータをブロードキャストする、前記マーケット中の前記複数のネットワークのうちの１つを選択することを含む請求項１１５記載の方法。
【請求項１１７】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含む請求項１１５記載の方法。
【請求項１１８】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と、正確に一致する請求項１１５記載の方法。
【請求項１１９】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含む請求項１１５記載の方法。
【請求項１２０】
前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む請求項１１５記載の方法。
【請求項１２１】
前記別の多重周波数ブロードキャストネットワークから受信した前記メタデータブロードキャストを使用して、マーケット中の複数のネットワークから前記異なるネットワークを選択することは、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む請求項１１５記載の方法。
【請求項１２２】
受信機デバイスにおいて、
プロセッサと、
前記プロセッサに結合され、多重周波数ブロードキャストネットワークからのブロードキャスト送信を受信するように構成されている多重周波数受信機回路とを具備し、
前記プロセッサは、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を実行するための、プロセッサ実行可能な命令を有するように構成されている受信機デバイス。
【請求項１２３】
前記プロセッサは、前記異なるネットワークが前記別の多重周波数ブロードキャストネットワークであるように動作を実行するための、プロセッサ実行可能な命令を有するように構成されている請求項１２２記載の受信機デバイス。
【請求項１２４】
前記プロセッサは、別の多重周波数ブロードキャストネットワークに対する前記メタデータを使用して、マーケット中の複数のネットワークから前記異なるネットワークを選択することをさらに含む動作を実行するための、プロセッサ実行可能な命令を有するように構成されている請求項１２２記載の受信機デバイス。
【請求項１２５】
前記プロセッサは、受信したメタデータが前記ローカル多重周波数ブロードキャストネットワークから受信したメタデータに類似しているか否かを決定することをさらに含む動作を実行するための、プロセッサ実行可能な命令を有するように構成され、
前記プロセッサは、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を実行するための、プロセッサ実行可能な命令を有するように構成されている請求項１２２記載の受信機デバイス。
【請求項１２６】
前記プロセッサは、前記受信機デバイスが、前記受信したメタデータブロードキャストを使用して、より速い電源投入獲得と、信号損失の状態からのより速い回復とを達成するように動作を実行するための、プロセッサ実行可能な命令を有するように構成されている請求項１２２記載の受信機デバイス。
【請求項１２７】
前記プロセッサは、
前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を実行するための、プロセッサ実行可能な命令を有するように構成されている請求項１２２記載の受信機デバイス。
【請求項１２８】
前記プロセッサは、
前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を実行するための、プロセッサ実行可能な命令を有するように構成されている請求項１２７記載の受信機デバイス。
【請求項１２９】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を実行するための、プロセッサ実行可能な命令を有するように構成されている請求項１２７記載の受信機デバイス。
【請求項１３０】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と、正確に一致するように動作を実行するための、プロセッサ実行可能な命令を有するように構成されている請求項１２７記載の受信機デバイス。
【請求項１３１】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含むように動作を実行するための、プロセッサ実行可能な命令を有するように構成されている請求項１２７記載の受信機デバイス。
【請求項１３２】
前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３３】
前記プロセッサは、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている請求項１２７記載の受信機デバイス。
【請求項１３４】
受信機デバイスにおいて、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定する手段と、
前記別の多重周波数ブロードキャストネットワークに対する前記メタデータを使用して、異なるネットワークへのハンドオフを実行する準備をする手段と、
ハンドオフを達成すべきときを決定する手段と、
前記異なるネットワークへの前記ハンドオフを達成する手段とを具備する受信機デバイス。
【請求項１３５】
前記異なるネットワークは、前記別の多重周波数ブロードキャストネットワークである請求項１３４記載の受信機デバイス。
【請求項１３６】
別の多重周波数ブロードキャストネットワークに対する前記メタデータを使用して、マーケット中の複数のネットワークから前記異なるネットワークを選択する手段をさらに具備する請求項１３４記載の受信機デバイス。
【請求項１３７】
受信したメタデータが、前記ローカル多重周波数ブロードキャストネットワークから受信したメタデータに類似しているか否かを決定する手段をさらに具備し、
前記異なるネットワークへの前記ハンドオフを達成する手段は、前記受信したメタデータが前記ローカル多重周波数ブロードキャストネットワークから受信したメタデータに類似しているときに、同じまたは類似したコンテンツへの暗黙的なハンドオフを達成する手段を備える請求項１３４記載の受信機デバイス。
【請求項１３８】
前記受信したメタデータブロードキャストを使用して、より速い電源投入獲得と、信号損失の状態からのより速い回復とを達成する手段をさらに具備する請求項１３４記載の受信機デバイス。
【請求項１３９】
前記別の多重周波数ブロードキャストネットワークに対する前記メタデータを使用して、そのネットワークへのハンドオフを実行する準備をする手段は、
前記別の多重周波数ブロードキャストネットワークに対する前記メタデータを使用して、前記別の多重周波数ブロードキャストネットワークを受信する手段と、
前記別の多重周波数ブロードキャストネットワークからのメタデータブロードキャストを受信する手段と、
前記別の多重周波数ブロードキャストネットワークから受信した前記メタデータブロードキャストを使用して、マーケット中の複数のネットワークから前記異なるネットワークを選択する手段とを備える請求項１３４記載の受信機デバイス。
【請求項１４０】
前記別の多重周波数ブロードキャストネットワークから受信した前記メタデータブロードキャストを使用して、マーケット中の複数のネットワークから前記異なるネットワークを選択する手段は、類似したサービスをブロードキャストする、前記マーケット中の前記複数のネットワークのうちの１つを選択する手段を備える請求項１３９記載の受信機デバイス。
【請求項１４１】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、現在受信されているコンテンツの一意的なコンテンツ識別子と一致する一意的なコンテンツ識別子を含む請求項１３９記載の受信機デバイス。
【請求項１４２】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と正確に一致する請求項１３９記載の受信機デバイス。
【請求項１４３】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含む請求項１３９記載の受信機デバイス。
【請求項１４４】
前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む請求項１３９記載の受信機デバイス。
【請求項１４５】
前記別の多重周波数ブロードキャストネットワークから受信した前記メタデータブロードキャストを使用して、マーケット中の複数のネットワークから前記異なるネットワークを選択する手段は、現在受信されているコンテンツをブロードキャストしている前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む請求項１３９記載の受信機デバイス。
【請求項１４６】
一時的でないプロセッサ読み取り可能な記憶媒体において、
別の多重周波数ブロードキャストネットワークに対するメタデータを含む、ローカル多重周波数ブロードキャストネットワークによるブロードキャストからメタデータを獲得して、前記ローカル多重周波数ブロードキャストネットワークの１つ以上の送信コンフィギュレーションと一致する１つ以上の送信コンフィギュレーションを決定することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を、受信機デバイスのプロセッサに実行させるように構成されているプロセッサ実行可能な命令がその上に記憶されている一時的でないプロセッサ読み取り可能な記憶媒体。
【請求項１４７】
前記記憶されているプロセッサ実行可能な命令は、前記異なるネットワークが、前記別の多重周波数ブロードキャストネットワークであるように動作を受信機デバイスのプロセッサに実行させるように構成されている請求項１４６記載の一時的でないプロセッサ読み取り可能な記憶媒体。
【請求項１４８】
前記記憶されているプロセッサ実行可能な命令は、別の多重周波数ブロードキャストネットワークに対する前記メタデータを使用して、マーケット中の複数のネットワークから前記異なるネットワークを選択することをさらに含む動作を受信機デバイスのプロセッサに実行させるように構成されている請求項１４６記載の一時的でないプロセッサ読み取り可能な記憶媒体。
【請求項１４９】
前記記憶されているプロセッサ実行可能な命令は、受信したメタデータが、前記ローカル多重周波数ブロードキャストネットワークから受信したメタデータに類似しているか否かを決定することをさらに含む動作を受信機デバイスのプロセッサに実行させるように構成され、
前記記憶されているプロセッサ実行可能な命令は、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を受信機デバイスのプロセッサに実行させるように構成されている請求項１４６記載の一時的でないプロセッサ読み取り可能な記憶媒体。
【請求項１５０】
前記記憶されているプロセッサ実行可能な命令は、より速い電源投入獲得と、信号損失の状態からのより速い回復とを達成するために、前記受信機デバイスが、前記受信したメタデータブロードキャストを使用するように動作を受信機デバイスのプロセッサに実行させるように構成されている請求項１４６記載の一時的でないプロセッサ読み取り可能な記憶媒体。
【請求項１５１】
前記記憶されているプロセッサ実行可能な命令は、前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからのメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を、受信機デバイスのプロセッサに実行させるように構成されている請求項１４６記載の一時的でないプロセッサ読み取り可能な記憶媒体。
【請求項１５２】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を受信機デバイスのプロセッサに実行させるように構成されている請求項１５１記載の一時的でないプロセッサ読み取り可能な記憶媒体。
【請求項１５３】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を受信機デバイスのプロセッサに実行させるように構成されている請求項１５１記載の一時的でないプロセッサ読み取り可能な記憶媒体。
【請求項１５４】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのサービスデータと、前記ローカル多重周波数ブロードキャストネットワークの多重化の詳細と、のうちの１つと、または、両方と正確に一致するように動作を受信機デバイスのプロセッサに実行させるように構成されている請求項１５１記載の一時的でないプロセッサ読み取り可能な記憶媒体。
【請求項１５５】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークの物理レイヤコンフィギュレーションと一致する物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５６】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。
【請求項１５７】
前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている請求項１５１記載の一時的でないプロセッサ読み取り可能な記憶媒体。
【手続補正２】
【補正対象書類名】明細書
【補正対象項目名】０００３
【補正方法】変更
【補正の内容】
【０００３】
実施形態では、複数の多重周波数ブロードキャストネットワークに対するブロードキャストメタデータを通信する方法は、複数の多重周波数ブロードキャストネットワークのそれぞれに対するメタデータを受信することと、仮想ホームチャネルを提供するために、複数の多重周波数ブロードキャストネットワークのうちのローカルのものに対する、および、複数の多重周波数ブロードキャストネットワークのうちの少なくとも１つの他のものから受信したメタデータの少なくとも一部分に対するメタデータをブロードキャストすることとを含んでいてもよい。複数の多重周波数ブロードキャストネットワークは、異なる地理的エリアのマーケット内にあり、ローカルコンテンツを伝えてもよい。メタデータは、File Delivery over Unidirectional Transport（ＦＬＵＴＥ）プロトコルを使用してブロードキャストされてもよい。メタデータは、時間的ドメインのサービスのオーバーラップを減少させるように設定されているずらされたサイクリックパターンにしたがってブロードキャストされてもよく、または、物理レイヤにおいてサポートされているような潜在的な受信を評価するために、受信機デバイスによってメタデータブロードキャストを使用することができるように、複数の多重周波数ブロードキャストネットワークの間で時間的に同期させてもよい。メタデータは、中央メタデータ集約サーバにおいて収集されてもよく、この中央メタデータ集約サーバは、ブロードキャストされるべき複数の多重周波数ブロードキャストネットワークから受信したメタデータの部分を決定してもよい。決定された部分は、実質的に、受信したメタデータのすべて、受信したメタデータのサブセット、および／または、マーケット内のすべてのネットワークに対するすべてのメタデータの少なくとも一部分をブロードキャストするマーケット内の特定のネットワークに対するメタデータであってもよい。この決定は、ネットワークの受信エリアの位置および／または形状、近接ネットワークに関する送信機の位置等のような地理的に考慮すべきこととともに、近接ネットワークにおけるメタデータブロードキャストの本質を考慮に入れてもよい。ブロードキャストされるべき受信したメタデータの決定された部分は、ネットワーク周波数のリスト、ブロードキャスト波形をエンコードするための送信機によって使用される物理レイヤパラメータ、番組ガイドデータ、加入可能なサービス、データダウンロードスケジュール、送信機の特色またはグループ識別子、メタデータシーケンス番号等のうちの１つ以上を含んでいてもよい。この決定は、複数の多重周波数ブロードキャストネットワークのうちの特定のものに対するものであってもよく、複数の多重周波数ブロードキャストネットワークのうちの１つ以上に対するメタデータパッケージを発生させることと、ブロードキャストのために、発生されたメタデータパッケージを複数の多重周波数ブロードキャストネットワークのうちの１つ以上に送信することとを含んでいてもよい。代替的に、この決定は、複数の多重周波数ブロードキャストのそれぞれに対するものであってもよく、ネットワークのそれぞれに対する各メタデータパッケージを発生させることと、ブロードキャストのために、発生さ��た各メタデータパッケージをネットワークのそれぞれに送信することとを含んでいてもよい。この実施形態の方法は、コンピュータ実行可能な命令で方法の動作を実行するように構成されている、サーバまたは類似したコンピュータで実現してもよく、このコンピュータ実行可能な命令はまた、一時的でないコンピュータ読み取り可能記憶媒体上で記憶されていてもよい。
【手続補正３】
【補正対象書類名】明細書
【補正対象項目名】０００４
【補正方法】変更
【補正の内容】
【０００４】
別の実施形態では、１つの多重周波数ブロードキャストネットワークから受信機デバイス中の別のものへのハンドオフを実施する方法は、別の多重周波数ブロードキャストネットワークに対するメタデータを含む、ローカル多重周波数ブロードキャストネットワークによるブロードキャストからメタデータを獲得することと、別の多重周波数ブロードキャストネットワークに対するメタデータを使用して、異なるネットワークへのハンドオフを実行する準備をすることと、ハンドオフを達成すべきときを決定することと、異なるネットワークへのハンドオフを達成することとを含んでいてもよい。この異なるネットワークは、他の多重周波数ブロードキャストネットワークであってもよい。この方法では、受信機デバイスが、例えば、受信したメタデータが、ローカル多重周波数ブロードキャストネットワークから受信したメタデータに類似しているか否かを決定するようなことによって、別の多重周波数ブロードキャストネットワークに対するメタデータを使用して、マーケット中の複数のネットワークから異なるネットワークを選択してもよい。受信したメタデータがローカル多重周波数ブロードキャストネットワークから受信したメタデータに類似しているときに、同じまたは類似したコンテンツへの暗黙的なハンドオフが達成されてもよい。受信機デバイスは、別の多重周波数ブロードキャストネットワークに対するメタデータを使用して、別の多重周波数ブロードキャストネットワークを受信することと、別の多重周波数ブロードキャストネットワークからメタデータブロードキャストを受信することと、別の多重周波数ブロードキャストネットワークから受信したメタデータブロードキャストを使用して、マーケット中の複数のネットワークから異なるネットワークを選択することととによって、別の多重周波数ブロードキャストネットワークに対するメタデータを使用して、そのネットワークへのハンドオフを実行する準備をしてもよく、この選択することは、類似したサービスメタデータをブロードキャストするマーケット中の複数のネットワークのうちの１つを選択することを含んでいてもよい。受信機デバイスは、マーケット中の複数のネットワークのうちの１つを選択し、マーケット中の複数のネットワークのうちの１つに対するブロードキャストメタデータは、現在受信されているコンテンツの一意的なコンテンツ識別子と一致する一意的なコンテンツ識別子を含むことと；マーケット中の複数のネットワークのうちの１つを選択し、マーケット中の複数のネットワークのうちの１つに対するブロードキャストメタデータはローカル多重周波数ブロードキャストネットワークのサービスデータと、ローカル多重周波数ブロードキャストネットワークの多重化の詳細と、のうちの１つと、または、両方と、正確に一致することと；マーケット中の複数のネットワークのうちの１つを選択し、マーケット中の複数のネットワークのうちの１つに対するブロードキャストメタデータは、ローカル多重周波数ブロードキャストネットワークの物理レイヤコンフィギュレーションと一致する物理レイヤコンフィギュレーションのプロビジョニングを含むことと；マーケット中の複数のネットワークのうちの１つを選択し、マーケット中の複数のネットワークのうちの１つに対するブロードキャストメタデータは、受信機デバイスが受信することができる物理レイヤコンフィギュレーションのプロビジョニングを含むことと；または、現在受信されているコンテンツをブロードキャストしているマーケット中の複数のネットワークのうちの１つを選択し、このマーケット中の複数のネットワークのうちの１つに対するブロードキャストメタデータは、受信機デバイスが受信することができる物理レイヤコンフィギュレーションのプロビジョニングを含むこととによって、別の多重周波数ブロードキャストネットワークから受信したメタデータブロードキャストを使用して、異なるネットワークを選択してもよい。受信したメタデータブロードキャストを使用することにより、受信機デバイスは、より速い電源投入獲得と、信号の損失状態からのより速い回復とを達成することを可能にすることができる。この実施形態の方法は、プロセッサ実行可能な命令で方法の動作を実行するように構成されている、プロセッサまたは受信機デバイスで実現してもよく、このプロセッサ実行可能な命令はまた、一時的でないコンピュータ読み取り可能記憶媒体上で記憶されていてもよい。
【手続補正４】
【補正対象書類名】明細書
【補正対象項目名】００５０
【補正方法】変更
【補正の内容】
【００５０】
受信機デバイスは、他の多重周波数ブロードキャストネットワークから受信したメタデータブロードキャストを使用して、多数の方法で異なるネットワークを選択してもよい。１つの方法では、受信機デバイスは、マーケット中の複数のネットワークのうちの１つを選択してもよく、マーケット中の複数のネットワークのうちの１つに対するブロードキャストメタデータは、現在受信されているコンテンツの一意的なコンテンツ識別子と一致する、一意的なコンテンツ識別子を含む。別の方法では、受信機デバイスは、マーケット中の複数のネットワークのうちの１つを選択してもよく、マーケット中の複数のネットワークの１つに対するブロードキャストメタデータは、ローカル多重周波数ブロードキャストネットワークのサービスデータ、および、ローカル多重周波数ブロードキャストネットワークの多重化の詳細のうちの１つ、または、両方と正確に一致する。別の方法では、受信機デバイスは、マーケット中の複数のネットワークのうちの１つを選択してもよく、マーケット中の複数のネットワークの１つに対するブロードキャストメタデータは、ローカル多重周波数ブロードキャストネットワークのものと一致する物理レイヤコンフィギュレーションのプロビジョニングを含む。別の方法では、受信機デバイスは、マーケット中の複数のネットワークのうちの１つを選択してもよく、マーケット中の複数のネットワークの１つに対するブロードキャストメタデータは、受信機デバイスが受信することができる物理レイヤレイヤコンフィギュレーションのプロビジョニングを含む。別の方法では、受信機デバイスは、現在受信されているコンテンツをブロードキャストするマーケット中の複数のネットワークのうちの１つを選択してもよく、マーケット中の複数のネットワークの１つに対するブロードキャストメタデータは、受信機デバイスが受信することができる物理レイヤコンフィギュレーションのプロビジョニングを含む。受信したメタデータブロードキャストを使用することにより、受信機デバイスが、より早い電源投入獲得と、信号の損失状態からのより早い回復とを達成することが可能になる。
【手続補正５】
【補正対象書類名】明細書
【補正対象項目名】００７７
【補正方法】変更
【補正の内容】
【００７７】
開示した実施形態の先述の説明は、当業者が、本発明を作ることができるように、または、使用できるように提供されている。これらの実施形態に対するさまざまな修正は、当業者に容易に明らかになるであろう。また、ここで規定されている一般的な原理は、この発明の範囲から逸脱することなく、他の実施形態に適用されてもよい。したがって、本発明は、ここに示した実施形態に限定されることを意図しているものではないが、以下の特許請求の範囲、および、ここで開示した原理および新規な特徴と矛盾しない最も広範囲に一致させるべきである。
以下に、本願出願の当初の特許請求の範囲に記載された発明を付記する。
［１］複数の多重周波数ブロードキャストネットワークに対するブロードキャストメタデータを通信する方法において、
前記複数の多重周波数ブロードキャストネットワークのそれぞれに対するメタデータを受信することと、
仮想ホームチャネルを提供するために、前記複数の多重周波数ブロードキャストネットワークのうちのローカルのものに対する、および、前記複数の多重周波数ブロードキャストネットワークのうちの少なくとも１つの他のものから受信したメタデータの少なくとも一部分に対するメタデータ、をブロードキャストすることとを含む方法。
［２］前記複数の多重周波数ブロードキャストネットワークのうちのローカルのものは、地理的エリアのマーケット内にあり、ローカルコンテンツを伝える［１］記載の方法。
［３］前記メタデータは、File Delivery over Undirectional Transport（ＦＬＵＴＥ）プロトコルを使用してブロードキャストされる［１］記載の方法。
［４］メタデータは、時間的ドメインのサービスのオーバーラップを減少させるように設定されているずらされたサイクリックパターンにしたがって、前記複数の多重周波数ブロードキャストネットワークによってブロードキャストされる［１］記載の方法。
［５］物理レイヤにおいてサポートされているような潜在的な受信を評価するために、受信機デバイスによって前記メタデータブロードキャストを使用することができるように、前記複数の多重周波数ブロードキャストネットワークの間で、メタデータブロードキャストを時間的に同期させる［１］記載の方法。
［６］複数の異なるネットワークからの同じサービスを受信機デバイスが評価できるように、前記同期させたメタデータブロードキャストもずらす［５］記載の方法。
［７］４つの時間的フェーズに関して、前記メタデータブロードキャストをずらす［６］記載の方法。
［８］時間的ドメインのサービスのオーバーラップを減少させるために、前記複数の多重周波数ブロードキャストネットワークのうちの近接しているものの間で、コンテンツのブロードキャストをずらし、
前記メタデータブロードキャストは、受信機デバイスが前記コンテンツブロードキャストを受信することを可能にするために、前記時間的にずらすことについての情報を提供する［１］記載の方法。
［９］前記メタデータのブロードキャストは、より速い電源投入獲得と、信号の損失状態からのより速い回復とを、受信機デバイスが達成することを可能にするように構成されている［１］記載の方法。
［１０］前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
ブロードキャストされるべきである前記複数の多重周波数ブロードキャストネットワークから受信した前記メタデータの部分を決定することをさらに含む［１］記載の方法。
［１１］データレポジトリは、前記複数の多重周波数ブロードキャストネットワークのうちの１つ以上によって管理される［１０］記載の方法。
［１２］データレポジトリは、前記複数の多重周波数ブロードキャストネットワークのうちの任意のものに関係しない第三者によって管理される［１０］記載の方法。
［１３］ブロードキャストされるべき受信したメタデータの前記決定された部分は、前記受信したメタデータのすべてを実質的に含む［１０］記載の方法。
［１４］ブロードキャストされるべき受信したメタデータの前記決定された部分は、前記受信したメタデータのサブセットを含む［１０］記載の方法。
［１５］ブロードキャストされるべき受信したメタデータの前記決定された部分は、マーケット内のすべてのネットワークに対するすべてのメタデータの少なくとも一部分をブロードキャストする前記マーケット内の特定のネットワークに対するメタデータを含む［１０］記載の方法。
［１６］前記複数の多重周波数ブロードキャストネットワークのうちの１つ以上によってブロードキャストされるべきである前記複数の多重周波数ブロードキャストネットワークから受信した前記メタデータの部分を決定することは、前記複数のブロードキャストネットワークのうちの１つ以上内の受信エリアに基づいて、ブロードキャストされるべきである前記受信したメタデータの部分を決定することを含む［１０］記載の方法。
［１７］ブロードキャストされるべき受信したメタデータの前記決定された部分は、前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含む［１０］記載の方法。
［１８］前記複数の多重周波数ブロードキャストネットワークのそれぞれに対するメタデータを受信することは、中央メタデータ集約サーバにおいて、前記複数の多重周波数ブロードキャストネットワークのそれぞれから前記メタデータを受信することを含み、
前記方法は、
前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む［１０］記載の方法。
［１９］前記ローカルのもの前記複数の多重周波数ブロードキャストネットワークの前記カバレッジエリアに近接して位置付けられているブロードキャストカバレッジエリアを持つ多重周波数ブロードキャストネットワークは、前記複数の多重周波数ブロードキャストネットワークのうちのローカルのものと、前記複数の多重周波数ブロードキャストネットワークのうちの他のものとの間の距離に基づいて識別される［１８］記載の方法。
［２０］前記ローカルのもの前記複数の多重周波数ブロードキャストネットワークのカバレッジエリアに近接して位置付けられているブロードキャストカバレッジエリアを持つ前記複数の多重周波数ブロードキャストネットワークのうちのものは、前記複数の多重周波数ブロードキャストネットワークのブロードキャストカバレッジエリアの形状に基づいてさらに決定される［１９］記載の方法。
［２１］ブロードキャストされるべき受信したメタデータの前記決定された部分は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択される［１０］記載の方法。
［２２］前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む［１］記載の方法。
［２３］前記複数の多重周波数ブロードキャストネットワークのうちの１つ以上に対するメタデータパッケージを発生させることは、前記複数の多重周波数ブロードキャストネットワークの少なくともサブセットに対する複数のメタデータパッケージを発生させることを含む［２２］記載の方法。
［２４］前記複数のメタデータパッケージのうちの１つ以上は、前記複数の多重周波数ブロードキャストネットワークから受信した前記メタデータのサブセットを含む［２３］記載の方法。
［２５］前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む［１］記載の方法。
［２６］前記複数の多重周波数ブロードキャストネットワークのそれぞれに対する各メタデータパッケージを発生させることは、メタデータのＮ個のサブセットを含むメタデータパッケージを発生させることを含む［２５］記載の方法。
［２７］前記複数の多重周波数ブロードキャストネットワークのそれぞれに対するメタデータを受信することは、前記複数の多重周波数ブロードキャストネットワークのうちのローカルのものにおける前記複数の多重周波数ブロードキャストネットワークのそれぞれから、前記メタデータを受信することを含み、
前記方法は、
前記複数の多重周波数ブロードキャストネットワークから受信した前記メタデータにルールのセットを適用して、前記複数の多重周波数ブロードキャストネットワークのうちのローカルのものによってブロードキャストされるべき前記受信したメタデータの一部分を決定することをさらに含む［１］記載の方法。
［２８］前記複数の多重周波数ブロードキャストネットワークのうちのローカルのものにおける前記複数の多重周波数ブロードキャストネットワークのそれぞれに対する前記メタデータを受信することは、データネットワークから前記メタデータを受信することと、前記複数の多重周波数ブロードキャストネットワークのうちの１つ以上のブロードキャスト送信から前記メタデータを受信することと、のうちの１つを含む［２７］記載の方法。
［２９］コンピュータにおいて、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対する、メタデータを前記多重周波数ブロードキャストネットワークにブロードキャストさせることとを含む動作を実行するための、コンピュータ実行可能なソフトウェア命令を有するように構成され、多重周波数ブロードキャストネットワークに結合されているコンピュータ。
［３０］前記多重周波数ブロードキャストネットワークは、地理的エリアのマーケット内にあり、ローカルコンテンツをブロードキャストする［２９］記載のコンピュータ。
［３１］前記コンピュータは、File Delivery over Undirectional Transport（ＦＬＵＴＥ）プロトコルを使用して前記メタデータがブロードキャストされるように、コンピュータ実行可能なソフトウェア命令を有するように構成されている［２９］記載のコンピュータ。
［３２］前記コンピュータは、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように、コンピュータ実行可能なソフトウェア命令を有するように構成されている［２９］記載のコンピュータ。
［３３］前記コンピュータは、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるようにコンピュータ実行可能なソフトウェア命令を有するように構成されている［２９］記載のコンピュータ。
［３４］前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている［３３］記載のコンピュータ。
［３５］前記コンピュータは、４つの時間的フェーズに関して前記メタデータブロードキャストをずらすようにコンピュータ実行可能なソフトウェア命令を有するように構成されている［３４］記載のコンピュータ。
［３６］前記コンピュータは、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するようにコンピュータ実行可能なソフトウェア命令を有するように構成されている［２９］記載のコンピュータ。
［３７］前記コンピュータは、前記メタデータのブロードキャストにより、より速い電源投入獲得と、信号の損失状態からのより速い回復とを受信機デバイスが達成することが可能になるようにコンピュータ実行可能なソフトウェア命令を有するように構成されている［２９］記載のコンピュータ。
［３８］前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
ブロードキャストされるべきである前記複数の多重周波数ブロードキャストネットワークから受信した前記メタデータの部分を決定することをさらに含む動作を実行するための、コンピュータ実行可能なソフトウェア命令を有するように構成されている［２９］記載のコンピュータ。
［３９］前記コンピュータは、前記複数の多重周波数ブロードキャストネットワークのうちの任意のものに関係しない第三者によって管理される［３８］記載のコンピュータ。
［４０］前記コンピュータは、ブロードキャストされるべき受信したメタデータの前記決定された部分が、前記受信したメタデータのすべてを実質的に含むようにコンピュータ実行可能なソフトウェア命令を有するように構成されている［３８］記載のコンピュータ。
［４１］前記コンピュータは、ブロードキャストされるべき受信したメタデータの前記決定された部分が、前記受信したメタデータのサブセットを含むようにコンピュータ実行可能なソフトウェア命令を有するように構成されている［３８］記載のコンピュータ。
［４２］前記コンピュータは、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むようにコンピュータ実行可能なソフトウェア命令を有するように構成されている［３８］記載のコンピュータ。
［４３］前記コンピュータは、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むようにコンピュータ実行可能なソフトウェア命令を有するように構成されている［３８］記載のコンピュータ。
［４４］前記コンピュータは、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むようにコンピュータ実行可能なソフトウェア命令を有するように構成されている［３８］記載のコンピュータ。
［４５］前記コンピュータは、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むようにコンピュータ実行可能なソフトウェア命令を有するように構成され、
前記コンピュータは、
前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作を実行するための、コンピュータ実行可能なソフトウェア命令を有するように構成されている［２９］記載のコンピュータ。
［４６］前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように、コンピュータ実行可能なソフトウェア命令を有するように構成されている［４５］記載のコンピュータ。
［４７］前記コンピュータは、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように、コンピュータ実行可能なソフトウェア命令を有するように構成されている［４６］記載のコンピュータ。
［４８］前記コンピュータは、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるようにコンピュータ実行可能なソフトウェア命令を有するように構成されている［３８］記載のコンピュータ。
［４９］前記コンピュータは、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作を実行するためのコンピュータ実行可能なソフトウェア命令を有するように構成されている［３８］記載のコンピュータ。
［５０］前記コンピュータは、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むようにコンピュータ実行可能なソフトウェア命令を有するように構成されている［４９］記載のコンピュータ。
［５１］前記コンピュータは、前記複数のメタデータパッケージのうちの１つ以上が、前記複数の多重周波数ブロードキャストネットワークから受信した前記メタデータのサブセットを含むようにコンピュータ実行可能なソフトウェア命令を有するように構成されている［５０］記載の方法。
［５２］前記コンピュータは、
前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作を実行するためのコンピュータ実行可能なソフトウェア命令を有するように構成されている［２９］記載のコンピュータ。
［５３］前記コンピュータは、前記複数の多重周波数ブロードキャストネットワークのそれぞれに対する各メタデータパッケージを発生させることが、メタデータのＮ個のサブセットを含むメタデータパッケージを発生させることを含むようにコンピュータ実行可能なソフトウェア命令を有するように構成されている［５２］記載のコンピュータ。
［５４］前記コンピュータは、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作を実行するための、コンピュータ実行可能なソフトウェア命令を有するように構成されている［２９］記載のコンピュータ。
［５５］前記コンピュータは、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むようにコンピュータ実行可能なソフトウェア命令を有するように構成されている［５４］記載のコンピュータ。
［５６］多重周波数ブロードキャストネットワークに結合されているコンピュータにおいて、
複数の多重周波数ブロードキャストネットワークのそれぞれに対するメタデータを受信する手段と、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対するメタデータをブロードキャストする手段とを具備するコンピュータ。
［５７］前記多重周波数ブロードキャストネットワークは、地理的エリアのマーケット内にあり、ローカルコンテンツをブロードキャストする［５６］記載のコンピュータ。
［５８］メタデータをブロードキャストする手段は、File Delivery over Undirectional Transport（ＦＬＵＴＥ）プロトコルを使用して、前記メタデータをブロードキャストする手段を備える［５６］記載のコンピュータ。
［５９］前記複数の多重周波数ブロードキャストネットワークによるメタデータブロードキャストの時間的ドメインのサービスのオーバーラップを減少させるように設定されているずらされたサイクリックパターンにしたがって、前記メタデータを時々ブロードキャストする手段をさらに具備する［５６］記載のコンピュータ。
［６０］物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、メタデータブロードキャストを同期させる手段をさらに具備する［５６］記載のコンピュータ。
［６１］メタデータブロードキャストとメタデータブロードキャストを同期させる手段は、複数の異なる多重周波数ブロードキャストネットワークからの同じサービスを受信機デバイスが評価することを可能にするずらした態様でメタデータブロードキャストと、メタデータブロードキャストを同期させる手段を備える［６０］記載のコンピュータ。
［６２］ずらした態様でメタデータブロードキャストとメタデータブロードキャストを同期させる手段は、４つの時間的フェーズに関してずらす、ずらした様態でメタデータブロードキャストと、メタデータブロードキャストを同期させる手段を備える［６１］記載のコンピュータ。
［６３］時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらし、
メタデータをブロードキャストする手段は、受信機デバイスが前記コンテンツブロードキャストを受信することを可能するために、前記時間的にずらすことについての情報を提供する前記メタデータをブロードキャストする手段を備える［５６］記載のコンピュータ。
［６４］メタデータをブロードキャストする手段は、より速い電源投入獲得と、信号の損失状態からのより速い回復とを受信機デバイスが達成することを可能にする形態で前記メタデータをブロードキャストする手段を備える［５６］記載のコンピュータ。
［６５］前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、
ブロードキャストされるべきである前記複数の多重周波数ブロードキャストネットワークから受信した前記メタデータの部分を決定する手段をさらに備える［５６］記載のコンピュータ。
［６６］前記コンピュータは、前記複数の多重周波数ブロードキャストネットワークのうちの任意のものに関係しない第三者によって管理される［６５］記載のコンピュータ。
［６７］ブロードキャストされるべき受信したメタデータの部分を決定する手段は、前記受信したメタデータのすべてを実質的にブロードキャストする手段を備える［６５］記載のコンピュータ。
［６８］ブロードキャストされるべき受信したメタデータの部分を決定する手段は、前記受信したメタデータのサブセットをブロードキャストする手段を備える［６５］記載のコンピュータ。
［６９］ブロードキャストされるべき受信したメタデータの部分を決定する手段は、マーケット内のすべてのネットワークに対するすべてのメタデータの少なくとも一部分をブロードキャストする前記マーケット内の特定のネットワークに対する、ブロードキャストされるべき受信したメタデータの部分を決定する手段を備える［６５］記載のコンピュータ。
［７０］仮想ホームチャネルを提供するために、ブロードキャストされるべきである前記複数の多重周波数ブロードキャストネットワークから受信した前記メタデータの部分を決定する手段は、前記複数のブロードキャストネットワークのうちの１つ以上内の受信エリアに基づいて、ブロードキャストされるべきである前記受信したメタデータの部分を決定する手段を備える［６５］記載のコンピュータ。
［７１］仮想ホームチャネルを提供するために、ブロードキャストされるべきである前記複数の多重周波数ブロードキャストネットワークから受信した前記メタデータの部分を決定する手段は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的にブロードキャストする手段を備える［６５］記載のコンピュータ。
［７２］前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える［５６］記載のコンピュータ。
［７３］前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記コンピュータに結合されている前記多重周波数ブロードキャストネットワークと、前記複数の多重周波数ブロードキャストネットワークのうちの他のものとの間の距離に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える［５６］記載のコンピュータ。
［７４］前記複数の多重周波数ブロードキャストネットワークのそれぞれに対するメタデータを受信する手段は、中央メタデータ集約サーバとして機能するように構成されている前記コンピュータにおいて、前記複数の多重周波数ブロードキャストネットワークのそれぞれから前記メタデータを受信する手段を備え、
前記コンピュータは、前記複数の多重周波数ブロードキャストネットワークのブロードキャストカバレッジエリアの形状に基づいて、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択する手段をさらに備える［５６］記載のコンピュータ。
［７５］ブロードキャストされるべきである前記複数の多重周波数ブロードキャストネットワークから受信した前記メタデータの部分を決定する手段は、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるメタデータを選択する手段を備える［６５］記載のコンピュータ。
［７６］前記複数の多重周波数ブロードキャストネットワークのうちの特定のものによってブロードキャストされるべきである前記複数の多重周波数ブロードキャストネットワークから受信した前記メタデータの部分を決定する手段と、
前記複数の多重周波数ブロードキャストネットワークのうちの１つ以上に対するメタデータパッケージを発生させる手段と、
ブロードキャストのために、前記発生されたメタデータパッケージを前記複数の多重周波数ブロードキャストネットワークのうちの１つ以上に送信する手段とをさらに具備する［６５］記載のコンピュータ。
［７７］前記複数の多重周波数ブロードキャストネットワークのうちの１つ以上に対するメタデータパッケージを発生させる手段は、前記複数の多重周波数ブロードキャストネットワークの少なくともサブセットに対する複数のメタデータパッケージを発生させる手段を備える［７６］記載のコンピュータ。
［７８］前記複数の多重周波数ブロードキャストネットワークの少なくともサブセットに対する複数のメタデータパッケージを発生させる手段は、前記複数のメタデータパッケージのうちの１つ以上が、前記複数の多重周波数ブロードキャストネットワークから受信した前記メタデータのサブセットを含むように、前記複数の多重周波数ブロードキャストネットワークの少なくともサブセットに対する複数のメタデータパッケージを発生させる手段を備える［７７］記載のコンピュータ。
［７９］前記複数の多重周波数ブロードキャストネットワークのそれぞれによってブロードキャストされるべきである前記複数の多重周波数ブロードキャストネットワークから受信した前記メタデータの部分を決定する手段と、
前記複数の多重周波数ブロードキャストネットワークのそれぞれに対する各メタデータパッケージを発生させる手段と、
ブロードキャストのために、前記複数の多重周波数ブロードキャストネットワークのそれぞれに前記発生された各メタデータパッケージを送信する手段とをさらに具備する［５６］記載のコンピュータ。
［８０］ブロードキャストのために、前記複数の多重周波数ブロードキャストネットワークのそれぞれに前記発生された各メタデータパッケージを送信する手段は、メタデータのＮ個のサブセットを含むメタデータパッケージを発生させることを含む、前記複数の多重周波数ブロードキャストネットワークのそれぞれに対する各メタデータパッケージを発生させる手段を備える［７９］記載のコンピュータ。
［８１］前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定する手段をさらに具備する［５６］記載のコンピュータ。
［８２］前記複数の多重周波数ブロードキャストネットワークのそれぞれに対する前記メタデータを受信する手段は、データネットワークから前記メタデータを受信する手段と、前記複数の多重周波数ブロードキャストネットワークのうちの１つ以上のブロードキャスト送信から前記メタデータを受信する手段と、のうちの１つを備える［８１］記載のコンピュータ。
［８３］一時的でないコンピュータ読み取り可能な記憶媒体において、
複数の多重周波数ブロードキャストネットワークのそれぞれに対するメタデータを受信することと、
仮想ホームチャネルを提供するために、前記多重周波数ブロードキャストネットワークに対する、および、前記複数の多重周波数ブロードキャストネットワークのうちの少なくとも１つの他のものから受信した前記メタデータの少なくとも一部分に対するメタデータを前記多重周波数ブロードキャストネットワークにブロードキャストさせることとを含む動作を、多重周波数ブロードキャストネットワークに結合されているコンピュータに実行させるように構成されている、コンピュータ実行可能なソフトウェア命令がその上に記憶されている一時的でないコンピュータ読み取り可能な記憶媒体。
［８４］前記多重周波数ブロードキャストネットワークは、地理的エリアのマーケット内にあり、ローカルコンテンツをブロードキャストする［８３］記載の一時的でないコンピュータ読み取り可能な記憶媒体。
［８５］前記記憶されているコンピュータ実行可能なソフトウェア命令は、File Delivery over Undirectional Transport（ＦＬＵＴＥ）プロトコルを使用して前記メタデータがブロードキャストされるように動作をコンピュータに実行させるように構成されている［８３］記載の一時的でないコンピュータ読み取り可能な記憶媒体。
［８６］前記記憶されているコンピュータ実行可能なソフトウェア命令は、前記複数の多重周波数ブロードキャストネットワークによるメタデータブロードキャストの時間的ドメインのサービスのオーバーラップを減少させるように設定されているずらされたサイクリックパターンにしたがって、前記メタデータが時々ブロードキャストされるように動作をコンピュータに実行させるように構成されている［８３］記載の一時的でないコンピュータ読み取り可能な記憶媒体。
［８７］前記記憶されているコンピュータ実行可能なソフトウェア命令は、物理レイヤにおいてサポートされているような潜在的な受信を評価するために、受信機デバイスが前記メタデータブロードキャストを使用することを可能にする態様で、前記複数の多重周波数ブロードキャストネットワークのうちの他のもののメタデータブロードキャストと、前記メタデータブロードキャストを時間的に同期させるように動作をコンピュータに実行させるように構成されている［８３］記載の一時的でないコンピュータ読み取り可能な記憶媒体。
［８８］前記コンピュータは、複数の異なる多重周波数ブロードキャストネットワークからの同じサービスを受信機デバイスが評価することを可能にする態様で、前記同期させたメタデータブロードキャストもずらすようにコンピュータ実行可能なソフトウェア命令を有するようにさらに構成されている［８７］記載の一時的でないコンピュータ読み取り可能な記憶媒体。
［８９］前記記憶されているコンピュータ実行可能なソフトウェア命令は、４つの時間的フェーズに関して前記メタデータブロードキャストをずらすように動作をコンピュータに実行させるように構成されている［８８］記載の一時的でないコンピュータ読み取り可能な記憶媒体。
［９０］前記記憶されているコンピュータ実行可能なソフトウェア命令は、
時間的ドメインのサービスのオーバーラップを減少させるために、前記複数の多重周波数ブロードキャストネットワークのうちの近接しているもののコンテンツブロードキャストに関して、前記多重周波数ブロードキャストネットワークによるコンテンツのブロードキャストを時間的にずらすようにと、
受信機デバイスが前記コンテンツブロードキャストを受信することを可能にするために、前記メタデータブロードキャストが、前記時間的にずらすことについての情報を提供するように動作をコンピュータに実行させるように構成されている［８３］記載の一時的でないコンピュータ読み取り可能な記憶媒体。
［９１］前記記憶されているコンピュータ実行可能なソフトウェア命令は、前記メタデータのブロードキャストが、より速い電源投入獲得と、信号の損失状態からのより速い回復とを受信機デバイスが達成することを可能にするように動作をコンピュータに実行させるように構成されている［８３］記載の一時的でないコンピュータ読み取り可能な記憶媒体。
［９２］前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、ブロードキャストされるべきである前記複数の多重周波数ブロードキャストネットワークから受信した前記メタデータの部分を決定することをさらに含む動作をコンピュータに実行させるように構成されている［８３］記載の一時的でないコンピュータ読み取り可能な記憶媒体。
［９３］前記コンピュータは、前記複数の多重周波数ブロードキャストネットワークのうちの任意のものに関係しない第三者によって管理される［９２］記載の一時的でないコンピュータ読み取り可能な記憶媒体。
［９４］前記記憶されているコンピュータ実行可能なソフトウェア命令は、ブロードキャストされるべき受信したメタデータの前記決定された部分が、前記受信したメタデータのすべてを実質的に含むように動作をコンピュータに実行させるように構成されている［９２］記載の一時的でないコンピュータ読み取り可能な記憶媒体。
［９５］前記記憶されているコンピュータ実行可能なソフトウェア命令は、ブロードキャストされるべき受信したメタデータの前記決定された部分が、前記受信したメタデータのサブセットを含むように動作をコンピュータに実行させるように構成されている［９２］記載の一時的でないコンピュータ読み取り可能な記憶媒体。
［９６］前記記憶されているコンピュータ実行可能なソフトウェア命令は、ブロードキャストされるべき受信したメタデータの前記決定された部分が、マーケット内のすべてのネットワークに対するすべてのメタデータの少なくとも一部分をブロードキャストする前記マーケット内の特定のネットワークに対するメタデータを含むように動作をコンピュータに実行させるように構成されている［９２］記載の一時的でないコンピュータ読み取り可能な記憶媒体。
［９７］前記記憶されているコンピュータ実行可能なソフトウェア命令は、仮想ホームチャネルを提供するために、ブロードキャストされるべきである前記複数の多重周波数ブロードキャストネットワークから受信した前記メタデータの部分を決定することが、前記複数のブロードキャストネットワークのうちの１つ以上内の受信エリアに基づいて、ブロードキャストされるべきである前記受信したメタデータの部分を決定することを含むように動作をコンピュータに実行させるように構成されている［９２］記載の一時的でないコンピュータ読み取り可能な記憶媒体。
［９８］前記記憶されているコンピュータ実行可能なソフトウェア命令は、ブロードキャストされるべき受信したメタデータの前記決定された部分が、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信した前記メタデータのすべてを実質的に含むように動作をコンピュータに実行させるように構成されている［９２］記載の一時的でないコンピュータ読み取り可能な記憶媒体。
［９９］前記記憶されているコンピュータ実行可能なソフトウェア命令は、前記複数の多重周波数ブロードキャストネットワークのそれぞれに対するメタデータを受信することが、中央メタデータ集約サーバとして機能するように構成されている前記コンピュータにおいて、前記複数の多重周波数ブロードキャストネットワークのそれぞれから前記メタデータを受信することを含むように動作をコンピュータに実行させるように構成され、
前記記憶されているコンピュータ実行可能なソフトウェア命令は、前記コンピュータに結合されている前記多重周波数ブロードキャストネットワークのカバレッジエリアに近接して位置付けられているブロードキャストカバレッジエリアを持つ前記複数の多重周波数ブロードキャストネットワークのうちのものから受信したブロードキャストメタデータを選択することをさらに含む動作をコンピュータに実行させるように構成されている［８３］記載の一時的でないコンピュータ読み取り可能な記憶媒体。
［１００］前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記コンピュータに結合されている前記多重周波数ブロードキャストネットワークと、前記複数の多重周波数ブロードキャストネットワークのうちの他のものとの間の距離に基づいて識別されるように動作をコンピュータに実行させるように構成されている［９９］記載の一時的でないコンピュータ読み取り可能な記憶媒体。
［１０１］前記記憶されているコンピュータ実行可能なソフトウェア命令は、前記コンピュータに結合されている前記多重周波数ブロードキャストネットワークの前記カバレッジエリアに近接して位置付けられているブロードキャストカバレッジエリアを持つ多重周波数ブロードキャストネットワークが、前記複数の多重周波数ブロードキャストネットワークのブロードキャストカバレッジエリアの形状に基づいてさらに識別されるように動作をコンピュータに実行させるように構成されている［１００］記載の一時的でないコンピュータ読み取り可能な記憶媒体。
［１０２］前記記憶されているコンピュータ実行可能なソフトウェア命令は、ブロードキャストされるべき受信したメタデータの前記決定された部分が、ネットワーク周波数のリスト、ブロードキャスト波形をエンコードするために送信機によって使用される物理レイヤパラメータ、番組ガイドデータ、加入可能なサービス、データダウンロードスケジュール、送信機の特色またはグループ識別子、メタデータシーケンス番号からなるグループから選択されるように動作をコンピュータに実行させるように構成されている［９２］記載の一時的でないコンピュータ読み取り可能な記憶媒体。
［１０３］前記記憶されているコンピュータ実行可能なソフトウェア命令は、
前記複数の多重周波数ブロードキャストネットワークのうちの特定のものによってブロードキャストされるべきである前記複数の多重周波数ブロードキャストネットワークから受信した前記メタデータの部分を決定することと、
前記複数の多重周波数ブロードキャストネットワークのうちの１つ以上に対するメタデータパッケージを発生させることと、
ブロードキャストのために、前記発生されたメタデータパッケージを前記複数の多重周波数ブロードキャストネットワークのうちの１つ以上に送信することとをさらに含む動作をコンピュータに実行させるように構成されている［９２］記載の一時的でないコンピュータ読み取り可能な記憶媒体。
［１０４］前記記憶されているコンピュータ実行可能なソフトウェア命令は、前記複数の多重周波数ブロードキャストネットワークのうちの１つ以上に対するメタデータパッケージを発生させることが、前記複数の多重周波数ブロードキャストネットワークの少なくともサブセットに対する複数のメタデータパッケージを発生させることを含むように動作をコンピュータに実行させるように構成されている［１０３］記載の一時的でないコンピュータ読み取り可能な記憶媒体。
［１０５］前記記憶されているコンピュータ実行可能なソフトウェア命令は、前記複数のメタデータパッケージのうちの１つ以上が、前記複数の多重周波数ブロードキャストネットワークから受信した前記メタデータのサブセットを含むように動作をコンピュータに実行させるように構成されている［１０４］記載の一時的でないコンピュータ読み取り可能な記憶媒体。
［１０６］前記記憶されているコンピュータ実行可能なソフトウェア命令は、前記複数の多重周波数ブロードキャストネットワークのそれぞれによってブロードキャストされるべきである前記複数の多重周波数ブロードキャストネットワークから受信した前記メタデータの部分を決定することと、
前記複数の多重周波数ブロードキャストネットワークのそれぞれに対する各メタデータパッケージを発生させることと、
ブロードキャストのために、前記複数の多重周波数ブロードキャストネットワークのそれぞれに前記発生された各メタデータパッケージを送信することとをさらに含む動作をコンピュータに実行させるように構成されている［８３］記載の一時的でないコンピュータ読み取り可能な記憶媒体。
［１０７］前記記憶されているコンピュータ実行可能なソフトウェア命令は、前記複数の多重周波数ブロードキャストネットワークのそれぞれに対する各メタデータパッケージを発生させることが、メタデータのＮ個のサブセットを含むメタデータパッケージを発生させることを含むように動作をコンピュータに実行させるように構成されている［１０６］記載の一時的でないコンピュータ読み取り可能な記憶媒体。
［１０８］前記記憶されているコンピュータ実行可能なソフトウェア命令は、前記複数の多重周波数ブロードキャストネットワークから受信した前記メタデータにルールのセットを適用して、前記コンピュータに結合されている前記多重周波数ブロードキャストネットワークによってブロードキャストされるべき前記受信したメタデータの一部分を決定することをさらに含む動作をコンピュータに実行させるように構成されている［８３］記載の一時的でないコンピュータ読み取り可能な記憶媒体。
［１０９］前記記憶されているコンピュータ実行可能なソフトウェア命令は、前記複数の多重周波数ブロードキャストネットワークのそれぞれに対する前記メタデータを受信することが、データネットワークから前記メタデータを受信することと、前記複数の多重周波数ブロードキャストネットワークのうちの１つ以上のブロードキャスト送信から前記メタデータを受信することと、のうちの１つを含むように動作をコンピュータに実行させるように構成されている［１０８］記載の一時的でないコンピュータ読み取り可能な記憶媒体。
［１１０］１つの多重周波数ブロードキャストネットワークから受信機デバイス中の別のものへのハンドオフを実施する方法において、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む方法。
［１１１］前記異なるネットワークは、前記別の多重周波数ブロードキャストネットワークである［１１０］記載の方法。
［１１２］別の多重周波数ブロードキャストネットワークに対する前記メタデータを使用して、マーケット中の複数のネットワークから前記異なるネットワークを選択することをさらに含む［１１０］記載の方法。
［１１３］受信したメタデータが、前記ローカル多重周波数ブロードキャストネットワークから受信したメタデータに類似しているか否かを決定することをさらに含み、
前記異なるネットワークへの前記ハンドオフを達成することは、前記受信したメタデータが前記ローカル多重周波数ブロードキャストネットワークから受信したメタデータに類似しているときに、同じまたは類似したコンテンツへの暗黙的なハンドオフを達成することを含む［１１０］記載の方法。
［１１４］前記受信機デバイスは、前記受信したメタデータブロードキャストを使用して、より速い電源投入獲得と、信号損失の状態からのより速い回復とを達成する［１１０］記載の方法。
［１１５］前記別の多重周波数ブロードキャストネットワークに対する前記メタデータを使用して、そのネットワークへのハンドオフを実行する準備をすることは、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含む［１１０］記載の方法。
［１１６］前記別の多重周波数ブロードキャストネットワークから受信した前記メタデータブロードキャストを使用して、マーケット中の複数のネットワークから前記異なるネットワークを選択することは、類似したサービスメタデータをブロードキャストする、前記マーケット中の前記複数のネットワークのうちの１つを選択することを含む［１１５］記載の方法。
［１１７］前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含む［１１５］記載の方法。
［１１８］前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのからのサービスデータと、前記ローカル多重周波数ブロードキャストネットワークのからの多重化の詳細と、のうちの１つと、または、両方と、正確に一致する［１１５］記載の方法。
［１１９］前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークからの物理レイヤコンフィギュレーションと一致する物理レイヤコンフィギュレーションのプロビジョニングを含む［１１５］記載の方法。
［１２０］前記別の多重周波数ブロードキャストネットワークから受信した前記メタデータブロードキャストを使用して、マーケット中の複数のネットワークから前記異なるネットワークを選択することは、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む［１１５］記載の方法。
［１２１］前記別の多重周波数ブロードキャストネットワークから受信した前記メタデータブロードキャストを使用して、マーケット中の複数のネットワークから前記異なるネットワークを選択することは、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含む［１１５］記載の方法。
［１２２］受信機デバイスにおいて、
プロセッサと、
前記プロセッサに結合され、多重周波数ブロードキャストネットワークからのブロードキャスト送信を受信するように構成されている多重周波数受信機回路とを具備し、
前記プロセッサは、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を実行するための、プロセッサ実行可能な命令を有するように構成されている受信機デバイス。
［１２３］前記プロセッサは、前記異なるネットワークが前記別の多重周波数ブロードキャストネットワークであるように動作を実行するための、プロセッサ実行可能な命令を有するように構成されている［１２２］記載の受信機デバイス。
［１２４］前記プロセッサは、別の多重周波数ブロードキャストネットワークに対する前記メタデータを使用して、マーケット中の複数のネットワークから前記異なるネットワークを選択することをさらに含む動作を実行するための、プロセッサ実行可能な命令を有するように構成されている［１２２］記載の受信機デバイス。
［１２５］前記プロセッサは、受信したメタデータが前記ローカル多重周波数ブロードキャストネットワークから受信したメタデータに類似しているか否かを決定することをさらに含む動作を実行するための、プロセッサ実行可能な命令を有するように構成され、
前記プロセッサは、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を実行するための、プロセッサ実行可能な命令を有するように構成されている［１２２］記載の受信機デバイス。
［１２６］前記プロセッサは、前記受信機デバイスが、前記受信したメタデータブロードキャストを使用して、より速い電源投入獲得と、信号損失の状態からのより速い回復とを達成するように動作を実行するための、プロセッサ実行可能な命令を有するように構成されている［１２２］記載の受信機デバイス。
［１２７］前記プロセッサは、
前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を実行するための、プロセッサ実行可能な命令を有するように構成されている［１２２］記載の受信機デバイス。
［１２８］前記プロセッサは、
前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を実行するための、プロセッサ実行可能な命令を有するように構成されている［１２７］記載の受信機デバイス。
［１２９］前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を実行するための、プロセッサ実行可能な命令を有するように構成されている［１２７］記載の受信機デバイス。
［１３０］前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのからのサービスデータと、前記ローカル多重周波数ブロードキャストネットワークのからの多重化の詳細と、のうちの１つと、または、両方と、正確に一致するように動作を実行するための、プロセッサ実行可能な命令を有するように構成されている［１２７］記載の受信機デバイス。
［１３１］前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークからの物理レイヤコンフィギュレーションと一致する物理レイヤコンフィギュレーションのプロビジョニングを含むように動作を実行するための、プロセッサ実行可能な命令を有するように構成されている［１２７］記載の受信機デバイス。
［１３２］前記プロセッサは、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている［１２７］記載の受信機デバイス。
［１３３］前記プロセッサは、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を実行するための、プロセッサ実行可能な命令を有するように構成されている［１２７］記載の受信機デバイス。
［１３４］受信機デバイスにおいて、
別の多重周波数ブロードキャストネットワークに対するメタデータを含む、ローカル多重周波数ブロードキャストネットワークによるブロードキャストからメタデータを獲得する手段と、
前記別の多重周波数ブロードキャストネットワークに対する前記メタデータを使用して、異なるネットワークへのハンドオフを実行する準備をする手段と、
ハンドオフを達成すべきときを決定する手段と、
前記異なるネットワークへの前記ハンドオフを達成する手段とを具備する受信機デバイス。
［１３５］前記異なるネットワークは、前記別の多重周波数ブロードキャストネットワークである［１３４］記載の受信機デバイス。
［１３６］別の多重周波数ブロードキャストネットワークに対する前記メタデータを使用して、マーケット中の複数のネットワークから前記異なるネットワークを選択する手段をさらに具備する［１３４］記載の受信機デバイス。
［１３７］受信したメタデータが、前記ローカル多重周波数ブロードキャストネットワークから受信したメタデータに類似しているか否かを決定する手段をさらに具備し、
前記異なるネットワークへの前記ハンドオフを達成する手段は、前記受信したメタデータが前記ローカル多重周波数ブロードキャストネットワークから受信したメタデータに類似しているときに、同じまたは類似したコンテンツへの暗黙的なハンドオフを達成する手段を備える［１３４］記載の受信機デバイス。
［１３８］前記受信したメタデータブロードキャストを使用して、より速い電源投入獲得と、信号損失の状態からのより速い回復とを達成する手段をさらに具備する［１３４］記載の受信機デバイス。
［１３９］前記別の多重周波数ブロードキャストネットワークに対する前記メタデータを使用して、そのネットワークへのハンドオフを実行する準備をする手段は、
前記別の多重周波数ブロードキャストネットワークに対する前記メタデータを使用して、前記別の多重周波数ブロードキャストネットワークを受信する手段と、
前記別の多重周波数ブロードキャストネットワークからのメタデータブロードキャストを受信する手段と、
前記別の多重周波数ブロードキャストネットワークから受信した前記メタデータブロードキャストを使用して、マーケット中の複数のネットワークから前記異なるネットワークを選択する手段とを備える［１３４］記載の受信機デバイス。
［１４０］前記別の多重周波数ブロードキャストネットワークから受信した前記メタデータブロードキャストを使用して、マーケット中の複数のネットワークから前記異なるネットワークを選択する手段は、類似したサービスをブロードキャストする、前記マーケット中の前記複数のネットワークのうちの１つを選択する手段を備える［１３９］記載の受信機デバイス。
［１４１］前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、現在受信されているコンテンツの一意的なコンテンツ識別子と一致する一意的なコンテンツ識別子を含む［１３９］記載の受信機デバイス。
［１４２］前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークのからのサービスデータと、前記ローカル多重周波数ブロードキャストネットワークのからの多重化の詳細と、のうちの１つと、または、両方と正確に一致する［１３９］記載の受信機デバイス。
［１４３］前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記ローカル多重周波数ブロードキャストネットワークからの物理レイヤコンフィギュレーションと一致する物理レイヤコンフィギュレーションのプロビジョニングを含む［１３９］記載の受信機デバイス。
［１４４］前記別の多重周波数ブロードキャストネットワークから受信した前記メタデータブロードキャストを使用して、マーケット中の複数のネットワークから前記異なるネットワークを選択する手段は、前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む［１３９］記載の受信機デバイス。
［１４５］前記別の多重周波数ブロードキャストネットワークから受信した前記メタデータブロードキャストを使用して、マーケット中の複数のネットワークから前記異なるネットワークを選択する手段は、現在受信されているコンテンツをブロードキャストしている前記マーケット中の前記複数のネットワークのうちの１つを選択する手段を備え、前記マーケット中の前記複数のネットワークのうちの１つに対するブロードキャストメタデータは、前記受信機デバイスが受信することができる物理レイヤコンフィギュレーションのプロビジョニングを含む［１３９］記載の受信機デバイス。
［１４６］一時的でないプロセッサ読み取り可能な記憶媒体において、
別の多重周波数ブロードキャストネットワークに対するメタデータを含む、ローカル多重周波数ブロードキャストネットワークによるブロードキャストからメタデータを獲得することと、
前記別の多重周波数ブロードキャストネットワークに対する前記メタデータを使用して、異なるネットワークへのハンドオフを実行する準備をすることと、
ハンドオフを達成すべきときを決定することと、
前記異なるネットワークへの前記ハンドオフを達成することとを含む動作を、受信機デバイスのプロセッサに実行させるように構成されているプロセッサ実行可能な命令がその上に記憶されている一時的でないプロセッサ読み取り可能な記憶媒体。
［１４７］前記記憶されているプロセッサ実行可能な命令は、前記異なるネットワークが、前記別の多重周波数ブロードキャストネットワークであるように動作を受信機デバイスのプロセッサに実行させるように構成されている［１４６］記載の一時的でないプロセッサ読み取り可能な記憶媒体。
［１４８］前記記憶されているプロセッサ実行可能な命令は、別の多重周波数ブロードキャストネットワークに対する前記メタデータを使用して、マーケット中の複数のネットワークから前記異なるネットワークを選択することをさらに含む動作を受信機デバイスのプロセッサに実行させるように構成されている［１４６］記載の一時的でないプロセッサ読み取り可能な記憶媒体。
［１４９］前記記憶されているプロセッサ実行可能な命令は、受信したメタデータが、前記ローカル多重周波数ブロードキャストネットワークから受信したメタデータに類似しているか否かを決定することをさらに含む動作を受信機デバイスのプロセッサに実行させるように構成され、
前記記憶されているプロセッサ実行可能な命令は、前記異なるネットワークへの前記ハンドオフを達成することが、前記ローカル多重周波数ブロードキャストネットワークから受信したメタデータに前記受信したメタデータが類似しているときに、同じまたは類似したコンテンツへの暗黙的なハンドオフを達成することを含むように動作を受信機デバイスのプロセッサに実行させるように構成されている［１４６］記載の一時的でないプロセッサ読み取り可能な記憶媒体。
［１５０］前記記憶されているプロセッサ実行可能な命令は、より速い電源投入獲得と、信号損失の状態からのより速い回復とを達成するために、前記受信機デバイスが、前記受信したメタデータブロードキャストを使用するように動作を受信機デバイスのプロセッサに実行させるように構成されている［１４６］記載の一時的でないプロセッサ読み取り可能な記憶媒体。
［１５１］前記記憶されているプロセッサ実行可能な命令は、前記別の多重周波数ブロードキャストネットワークに対する前記メタデータを使用して、そのネットワークへのハンドオフを実行する準備をすることが、
前記別の多重周波数ブロードキャストネットワークに対する前記メタデータを使用して、前記別の多重周波数ブロードキャストネットワークを受信することと、
前記別の多重周波数ブロードキャストネットワークからのメタデータブロードキャストを受信することと、
前記別の多重周波数ブロードキャストネットワークから受信した前記メタデータブロードキャストを使用して、マーケット中の複数のネットワークから前記異なるネットワークを選択することとを含むように動作を、受信機デバイスのプロセッサに実行させるように構成されている［１４６］記載の一時的でないプロセッサ読み取り可能な記憶媒体。
［１５２］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、類似したサービスメタデータをブロードキャストする、前記マーケット中の前記複数のネットワークのうちの１つを選択することを含むように動作を受信機デバイスのプロセッサに実行させるように構成されている［１５１］記載の一時的でないプロセッサ読み取り可能な記憶媒体。
［１５３］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、現在受信されているコンテンツの一意的なコンテンツ識別子と一致する一意的なコンテンツ識別子を含むように動作を受信機デバイスのプロセッサに実行させるように構成されている［１５１］記載の一時的でないプロセッサ読み取り可能な記憶媒体。
［１５４］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークのからのサービスデータと、前記ローカル多重周波数ブロードキャストネットワークのからの多重化の詳細と、のうちの１つと、または、両方と正確に一致するように動作を受信機デバイスのプロセッサに実行させるように構成されている［１５１］記載の一時的でないプロセッサ読み取り可能な記憶媒体。
［１５５］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記ローカル多重周波数ブロードキャストネットワークからの物理レイヤコンフィギュレーションと一致する物理レイヤコンフィギュレーションのプロビジョニングを含むように動作を受信機デバイスのプロセッサに実行させるように構成されている［１５１］記載の一時的でないプロセッサ読み取り可能な記憶媒体。
［１５６］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている［１５１］記載の一時的でないプロセッサ読み取り可能な記憶媒体。
［１５７］前記記憶されているプロセッサ実行可能な命令は、前記別の多重周波数ブロードキャストネットワークから受信した前記メタデータブロードキャストを使用して、マーケット中の複数のネットワークから前記異なるネットワークを選択することが、現在受信されているコンテンツをブロードキャストしている前記マーケット中の前記複数のネットワークのうちの１つを選択することを含み、前記マーケット中の前記複数のネットワークのうちの１つに対するブロードキャストメタデータは、前記受信機デバイスが受信することができる物理レイヤコンフィギュレーションのプロビジョニングを含むように動作を受信機デバイスのプロセッサに実行させるように構成されている［１５１］記載の一時的でないプロセッサ読み取り可能な記憶媒体。
【国際調査報告】
2013512622.tif 000015
2013512622.tif 000016
2013512622.tif 000017
2013512622.tif 000018
2013512622.tif 000019